(57)【要約】      （修正有）【課題】  硬貨包装機の作動を頻繁に停止させることなく、効率よく、硬貨を包装して、包装硬貨ロールを生成することができる硬貨包装機を提供する。【解決手段】  着脱可能に設けられ、硬貨包装部２０によって生成された包装硬貨ロールＣを、開口部を介して、収納する複数の包装硬貨収納ボックス４１、４２、４３と、硬貨包装手段によって生成された包装硬貨ロールを、複数の包装硬貨収納ボックスに選択的に送る包装硬貨分配手段５１と、包装硬貨分配手段を制御する制御手段７０を備え、制御手段が、複数の包装硬貨センサのいずれから、包装硬貨検出信号が入力されているかに基づいて、複数の包装硬貨収納ボックスから、生成された包装硬貨ロールを収納すべき包装硬貨収納ボックスを決定し、包装硬貨分配手段を制御して、こうして決定した包装硬貨収納ボックス内に、生成された包装硬貨ロールを収納させるように構成されたことを特徴とする硬貨包装機。【選択図】      図７
2006139557.tif 000002
【特許請求の範囲】
【請求項１】
硬貨を投入可能な上部ホッパ手段と、前記上部ホッパ手段を介して、投入された硬貨を受け、回転によって生じた遠心力によって、１枚ずつ、送り出す回転円板と、前記回転円板から送り出された硬貨を、１枚ずつ、搬送する硬貨通路と、前記硬貨通路の終端部に接続され、包装すべき所定枚数の硬貨を集積して、集積硬貨を生成する硬貨集積手段と、前記硬貨集積手段によって生成された集積硬貨の周囲に、包装用フイルムを巻回して、集積硬貨を包装し、包装すべき所定枚数の硬貨を含む包装硬貨ロールを生成する硬貨包装手段とを備えた硬貨包装機であって、着脱可能に設けられ、前記硬貨包装手段によって生成された包装硬貨ロールを、開口部を介して、収納する複数の包装硬貨収納ボックスと、前記硬貨包装手段によって生成された包装硬貨ロールを、前記複数の包装硬貨収納ボックスに選択的に送る包装硬貨分配手段と、前記複数の包装硬貨収納ボックスのそれぞれに付随して設けられ、対応する前記複数の包装硬貨収納ボックス内に、これ以上、包装硬貨ロールを収納させることができないときに、包装硬貨検出信号を出力する複数の包装硬貨センサと、前記複数の包装硬貨センサから、包装硬貨検出信号が入力可能に構成され、前記回転円板、前記硬貨集積手段、前記硬貨包装手段および前記包装硬貨分配手段を制御する制御手段を備え、前記制御手段が、前記複数の包装硬貨センサのいずれから、包装硬貨検出信号が入力されているかに基づいて、前記複数の包装硬貨収納ボックスから、前記硬貨包装手段によって生成された包装硬貨ロールを収納すべき包装硬貨収納ボックスを決定し、前記包装硬貨分配手段を制御して、こうして決定した前記包装硬貨収納ボックス内に、前記硬貨包装手段によって生成された包装硬貨ロールを収納させるように構成されたことを特徴とする硬貨包装機。
【請求項２】
さらに、アラームを発するアラーム手段および／またはメッセージを表示する表示手段を備え、前記制御手段が、前記複数の包装硬貨センサのすべてから、包装硬貨検出信号が入力され、前記複数の包装硬貨収納ボックスの中に、前記硬貨包装手段によって生成された包装硬貨ロールを収納することができる包装硬貨収納ボックスがないと判定したときに、前記アラーム手段にアラームを発生させ、および／または、前記表示手段に、前記硬貨包装手段によって生成された包装硬貨ロールを収納することができる包装硬貨収納ボックスがない旨のメッセージを表示させるように構成されたことを特徴とする請求項１に記載の硬貨包装機。
【請求項３】
さらに、オペレータによって操作され、指示信号を入力可能な入力手段を備え、前記入力手段に入力された指示信号により、前記硬貨包装手段によって生成された包装硬貨ロールを収納すべき包装硬貨収納ボックスが指定されたときに、前記制御手段が、前記複数の包装硬貨センサのいずれから、包装硬貨検出信号が入力されているかに基づいて、前記入力手段に入力された指示信号により指定された包装硬貨収納ボックス内に、前記硬貨包装手段によって生成された包装硬貨ロールを収納することができるか否かを判定し、前記入力手段に入力された指示信号により指定された包装硬貨収納ボックス内に、前記硬貨包装手段によって生成された包装硬貨ロールを収納することができると判定したときは、前記入力手段に入力された指示信号により指定された包装硬貨収納ボックスを、前記硬貨包装手段によって生成された包装硬貨ロールを収納すべき包装硬貨収納ボックスとして決定し、前記入力手段に入力された指示信号により指定された包装硬貨収納ボックス内に、前記硬貨包装手段によって生成された包装硬貨ロールを収納することができないと判定したときは、前記複数の包装硬貨収納ボックスのうち、前記入力手段に入力された指示信号により指定された包装硬貨収納ボックス以外の包装硬貨収納ボックスで、付随する包装硬貨センサから包装硬貨検出信号が入力されていない包装硬貨収納ボックスを、前記硬貨包装手段によって生成された包装硬貨ロールを収納すべき包装硬貨収納ボックスとして決定するように構成されたことを特徴とする請求項１または２に記載の硬貨包装機。
【請求項４】
前記硬貨包装手段によって生成された包装硬貨ロールを収納することができないと判定し、前記複数の包装硬貨収納ボックスのうち、前記入力手段に入力された指示信号により指定された包装硬貨収納ボックス以外の包装硬貨収納ボックスで、付随する包装硬貨センサから包装硬貨検出信号が入力されていない包装硬貨収納ボックスが複数あると判定したときに、前記制御手段が、前記入力手段に入力された指示信号により指定された包装硬貨収納ボックス以外の包装硬貨収納ボックスで、付随する包装硬貨センサから包装硬貨検出信号が入力されていない複数の包装硬貨収納ボックスから、あらかじめ定められた順序にしたがって、前記硬貨包装手段によって生成された包装硬貨ロールを収納すべき包装硬貨収納ボックスを決定するように構成されたことを特徴とする請求項３に記載の硬貨包装機。
【請求項５】
さらに、オペレータによって操作され、指示信号を入力可能な入力手段を備え、前記入力手段に入力された指示信号により、前記硬貨包装手段によって生成された包装硬貨ロールを収納すべき包装硬貨収納ボックスが指定されたときに、前記制御手段が、前記複数の包装硬貨センサのいずれから、包装硬貨検出信号が入力されているかに基づいて、前記入力手段に入力された指示信号により指定された包装硬貨収納ボックス内に、前記硬貨包装手段によって生成された包装硬貨ロールを収納することができるか否かを判定し、前記入力手段に入力された指示信号により指定された包装硬貨収納ボックス内に、前記硬貨包装手段によって生成された包装硬貨ロールを収納することができると判定したときは、前記入力手段に入力された指示信号により指定された包装硬貨収納ボックスを、前記硬貨包装手段によって生成された包装硬貨ロールを収納すべき包装硬貨収納ボックスとして決定し、前記入力手段に入力された指示信号により指定された包装硬貨収納ボックス内に、前記硬貨包装手段によって生成された包装硬貨ロールを収納することができないと判定したときは、前記アラーム手段にアラームを発生させ、および／または、前記表示手段に、前記入力手段に入力された指示信号により指定された包装硬貨収納ボックス内に、包装硬貨ロールを収納することができない旨を報知するメッセージおよび前記複数の包装硬貨収納ボックスのうち、別の包装硬貨収納ボックスを指定するように促すメッセージを表示させるように構成されたことを特徴とする請求項１または２に記載の硬貨包装機。
【請求項６】
前記アラーム手段が発生したアラーム、および／または、前記表示手段に表示されたメッセージにしたがって、前記入力手段に入力された指示信号により、前記硬貨包装手段によって生成された包装硬貨ロールを収納すべき包装硬貨収納ボックスとして、最初に指定された包装硬貨収納ボックスとは異なる包装硬貨収納ボックスが指定されたときに、前記制御手段が、前記入力手段に入力された指示信号により指定された包装硬貨収納ボックスに付随する包装硬貨センサから、包装硬貨検出信号が入力されているか否かを判定して、前記入力手段に入力された指示信号により指定された包装硬貨収納ボックス内に、前記硬貨包装手段によって生成された包装硬貨ロールを収納することができるか否かを判定し、前記入力手段に入力された指示信号により指定された包装硬貨収納ボックス内に、前記硬貨包装手段によって生成された包装硬貨ロールを収納することができると判定したときは、前記入力手段に入力された指示信号により指定された包装硬貨収納ボックスを、前記硬貨包装手段によって生成された包装硬貨ロールを収納すべき包装硬貨収納ボックスとして、決定し、前記入力手段に入力された指示信号により指定された包装硬貨収納ボックス内に、前記硬貨包装手段によって生成された包装硬貨ロールを収納することができないと判定したときは、前記アラーム手段にアラームを発生させ、および／または、前記表示手段に、前記硬貨包装手段によって生成された包装硬貨ロールを収納することができる包装硬貨収納ボックスがなく、前記複数の包装硬貨収納ボックスのうち、別の包装硬貨収納ボックスを指定するように促すメッセージを表示させるように構成されたことを特徴とする請求項５に記載の硬貨包装機。
【請求項７】
さらに、硬貨包装機の本体の下部に、少なくとも１つの下部包装硬貨収納ボックスを備え、硬貨包装機の本体の上部に、少なくとも１つの上部包装硬貨収納ボックスを備えたことを特徴とする請求項１ないし６のいずれか１項に記載の硬貨包装機。
【請求項８】
前記下部包装硬貨収納ボックスが、それぞれ、開口部を備えた２つの下部包装硬貨収納サブボックスに分割され、前記制御手段が、前記下部包装硬貨収納ボックスを、前記硬貨包装手段によって生成された包装硬貨ロールを収納すべき包装硬貨収納ボックスとして、決定したときに、前記硬貨包装手段によって生成された包装硬貨ロールが、前記２つの下部包装硬貨収納サブボックス内に交互に収納されるように、前記包装硬貨分配手段を制御するように構成されたことを特徴とする請求項７に記載の硬貨包装機。
【請求項９】
さらに、硬貨包装機の本体の上部に、それぞれ、開口部を備えた２つの上部包装硬貨収納ボックスを備えたことを特徴とする請求項７または８に記載の硬貨包装機。
【請求項１０】
さらに、前記硬貨通路に設けられ、硬貨の特性を検出して、硬貨検出信号を出力するセンサ手段と、前記硬貨通路に設けられ、硬貨を回収可能な硬貨回収手段と、前記硬貨回収手段によって回収された硬貨を収容可能な下部ホッパと、前記下部ホッパに収容された硬貨を、前記上部ホッパ内に移送する硬貨リフトを備え、前記入力手段が、包装すべき硬貨の金種を指定する指示信号を入力可能に構成されるとともに、前記制御手段が、前記センサ手段から出力された硬貨検出信号に基づいて、前記センサ手段によって検出された硬貨の金種が、前記入力手段に入力された指示信号により指定された包装すべき硬貨の金種と一致するか否かを判別し、前記センサ手段によって検出された硬貨の金種が、前記入力手段に入力された指示信号により指定された包装すべき硬貨の金種と一致しないと判別したときに、前記硬貨回収手段を駆動して、その金種が、前記入力手段に入力された指示信号により指定された包装すべき硬貨の金種と一致しないと判別した硬貨を、前記下部ホッパに導いて、収容させるように構成されたことを特徴とする請求項１ないし９のいずれか１項に記載の硬貨包装機。
【請求項１１】
前記制御手段が、前記硬貨包装手段に、前記上部ホッパに投入された硬貨を、金種別に、順次、包装させて、包装硬貨ロールを生成させ、前記硬貨包装手段によって生成された包装硬貨ロールが、前記複数の包装硬貨収納ボックスのうち、包装された硬貨の金種別に、異なる包装硬貨収納ボックス内に収納されるように、前記包装硬貨分配手段を制御するように構成されたことを特徴とする請求項１０に記載の硬貨包装機。
【請求項１２】
前記制御手段が、前記硬貨包装手段によって生成された包装硬貨ロールを、前記複数の包装硬貨収納ボックスのうち、異なる包装硬貨収納ボックス内に収納するのに先立って、前記アラーム手段にアラームを発生させ、および／または、前記表示手段に、前記硬貨包装手段によって生成された包装硬貨ロールを、異なる包装硬貨収納ボックス内に収納する旨のメッセージを表示させるように構成されたことを特徴とする請求項１１に記載の硬貨包装機。
【請求項１３】
さらに、前記硬貨包装手段によって生成され、前記包装硬貨分配手段から分配された包装硬貨ロールを、前記少なくとも１つの上部包装硬貨収納ボックスに向けて、移送する包装硬貨リフトを備えたことを特徴とする請求項７ないし１３のいずれか１項に記載の硬貨包装機。
【発明の詳細な説明】
【技術分野】
【０００１】
本発明は、硬貨包装機に関するものであり、さらに詳細には、硬貨包装機の作動を頻繁に停止させることなく、効率よく、硬貨を包装して、包装硬貨ロールを生成することができる硬貨包装機に関するものである。
【背景技術】
【０００２】
投入された硬貨を、１枚ずつ、搬送して、所定の金種を有する硬貨のみを選別し、所定の金種を有する所定枚数の硬貨を集積した後、包装シートによって巻回し、ロール状の包装硬貨ロールを生成する硬貨包装機が知られている。
【０００３】
このようにして生成された包装硬貨ロールは、硬貨包装機の下部に着脱可能に取り付けられた包装硬貨回収ボックス内に収納され、オペレータによって回収される。
【０００４】
また、生成した包装硬貨ロールを、硬貨包装機から容易に取り出し、回収することを可能とするため、生成された包装硬貨ロールをリフト機構によって、硬貨包装機の上部に設けられた包装硬貨収納ボックス内に送って、収納させるように構成された硬貨包装機も知られている（たとえば、特公昭６４−９４２０号公報など）。
【発明の開示】
【発明が解決しようとする課題】
【０００５】
しかしながら、硬貨包装機の上部に、包装硬貨収納ボックスを設けた硬貨包装機にあっては、生成された包装硬貨ロールを、包装硬貨収納ボックスに移送するためのリフト機構を設ける必要があり、包装硬貨収納ボックスの容量が制限されるため、すぐに、包装硬貨収納ボックス内が、包装硬貨ロールによって満たされて、それ以上、包装硬貨ロールを収納させることができなくなり、したがって、硬貨包装機の作動を頻繁に停止させて、包装硬貨収納ボックス内に収納されている包装硬貨ロールを回収することが必要であり、きわめて不効率であるという問題があった。
【０００６】
したがって、本発明は、硬貨包装機の作動を頻繁に停止させることなく、効率よく、硬貨を包装して、包装硬貨ロールを生成することができる硬貨包装機を提供することを目的とするものである。
【課題を解決するための手段】
【０００７】
本発明のかかる目的は、硬貨を投入可能な上部ホッパ手段と、前記上部ホッパ手段を介して、投入された硬貨を受け、回転によって生じた遠心力によって、１枚ずつ、送り出す回転円板と、前記回転円板から送り出された硬貨を、１枚ずつ、搬送する硬貨通路と、前記硬貨通路の終端部に接続され、包装すべき所定枚数の硬貨を集積して、集積硬貨を生成する硬貨集積手段と、前記硬貨集積手段によって生成された集積硬貨の周囲に、包装用フイルムを巻回して、集積硬貨を包装し、包装すべき所定枚数の硬貨を含む包装硬貨ロールを生成する硬貨包装手段とを備えた硬貨包装機であって、着脱可能に設けられ、前記硬貨包装手段によって生成された包装硬貨ロールを、開口部を介して、収納する複数の包装硬貨収納ボックスと、前記硬貨包装手段によって生成された包装硬貨ロールを、前記複数の包装硬貨収納ボックスに選択的に送る包装硬貨分配手段と、前記複数の包装硬貨収納ボックスのそれぞれに付随して設けられ、対応する前記複数の包装硬貨収納ボックス内に、これ以上、包装硬貨ロールを収納させることができないときに、包装硬貨検出信号を出力する複数の包装硬貨センサと、前記複数の包装硬貨センサから、包装硬貨検出信号が入力可能に構成され、前記回転円板、前記硬貨集積手段、前記硬貨包装手段および前記包装硬貨分配手段を制御する制御手段を備え、前記制御手段が、前記複数の包装硬貨センサのいずれから、包装硬貨検出信号が入力されているかに基づいて、前記複数の包装硬貨収納ボックスから、前記硬貨包装手段によって生成された包装硬貨ロールを収納すべき包装硬貨収納ボックスを決定し、前記包装硬貨分配手段を制御して、こうして決定した前記包装硬貨収納ボックス内に、前記硬貨包装手段によって生成された包装硬貨ロールを収納させるように構成されたことを特徴とする硬貨包装機によって達成される。
【０００８】
本発明によれば、硬貨包装機は、包装硬貨ロールを収納する複数の包装硬貨収納ボックスと、複数の包装硬貨収納ボックスのそれぞれに付随して設けられ、対応する複数の包装硬貨収納ボックス内に、これ以上、包装硬貨ロールを収納させることができないときに、包装硬貨検出信号を出力する複数の包装硬貨センサを備え、制御手段が、複数の包装硬貨センサのいずれから、包装硬貨検出信号が入力されているかに基づいて、複数の包装硬貨収納ボックスから、硬貨包装手段によって生成された包装硬貨ロールを収納すべき包装硬貨収納ボックスを決定し、包装硬貨分配手段を制御して、こうして決定した包装硬貨収納ボックス内に、硬貨包装手段によって生成された包装硬貨ロールを収納させるように構成されているから、生成された包装硬貨ロールを、確実に、包装硬貨ロールを収納する余裕がある包装硬貨収納ボックス内に収納させることができ、硬貨包装機の作動を頻繁に停止させることなく、効率よく、硬貨を包装して、包装硬貨ロールを生成することが可能になる。
【０００９】
本発明の好ましい実施態様においては、硬貨包装機は、さらに、アラームを発するアラーム手段および／またはメッセージを表示する表示手段を備え、前記制御手段が、前記複数の包装硬貨センサのすべてから、包装硬貨検出信号が入力され、前記複数の包装硬貨収納ボックスの中に、前記硬貨包装手段によって生成された包装硬貨ロールを収納することができる包装硬貨収納ボックスがないと判定したときに、前記アラーム手段にアラームを発生させ、および／または、前記表示手段に、前記硬貨包装手段によって生成された包装硬貨ロールを収納することができる包装硬貨収納ボックスがない旨のメッセージを表示させるように構成されている。
【００１０】
本発明の好ましい実施態様によれば、制御手段が、複数の包装硬貨センサのすべてから、包装硬貨検出信号が入力され、複数の包装硬貨収納ボックスの中に、硬貨包装手段によって生成された包装硬貨ロールを収納することができる包装硬貨収納ボックスがないと判定したときに、アラーム手段にアラームを発生させ、および／または、表示手段に、硬貨包装手段によって生成された包装硬貨ロールを収納することができる包装硬貨収納ボックスがない旨のメッセージを表示させるように構成されているから、包装硬貨ロールを収納させることができる包装硬貨収納ボックスがなくなり、硬貨包装機の作動を停止させる必要がある場合にのみ、硬貨包装機の作動を停止させて、包装硬貨収納ボックスから、包装硬貨ロールを取り出して、回収すればよく、硬貨包装機の作動を頻繁に停止させることなく、効率よく、硬貨を包装して、包装硬貨ロールを生成することが可能になる。
【００１１】
本発明のさらに好ましい実施態様においては、硬貨包装機は、さらに、オペレータによって操作され、指示信号を入力可能な入力手段を備え、前記入力手段に入力された指示信号により、前記硬貨包装手段によって生成された包装硬貨ロールを収納すべき包装硬貨収納ボックスが指定されたときに、前記制御手段が、前記複数の包装硬貨センサのいずれから、包装硬貨検出信号が入力されているかに基づいて、前記入力手段に入力された指示信号により指定された包装硬貨収納ボックス内に、前記硬貨包装手段によって生成された包装硬貨ロールを収納することができるか否かを判定し、前記入力手段に入力された指示信号により指定された包装硬貨収納ボックス内に、前記硬貨包装手段によって生成された包装硬貨ロールを収納することができると判定したときは、前記入力手段に入力された指示信号により指定された包装硬貨収納ボックスを、前記硬貨包装手段によって生成された包装硬貨ロールを収納すべき包装硬貨収納ボックスとして決定し、前記入力手段に入力された指示信号により指定された包装硬貨収納ボックス内に、前記硬貨包装手段によって生成された包装硬貨ロールを収納することができないと判定したときは、前記複数の包装硬貨収納ボックスのうち、前記入力手段に入力された指示信号により指定された包装硬貨収納ボックス以外の包装硬貨収納ボックスで、付随する包装硬貨センサから包装硬貨検出信号が入力されていない包装硬貨収納ボックスを、前記硬貨包装手段によって生成された包装硬貨ロールを収納すべき包装硬貨収納ボックスとして決定するように構成されている。
【００１２】
本発明のさらに好ましい実施態様によれば、入力手段に入力された指示信号により、硬貨包装手段によって生成された包装硬貨ロールを収納すべき包装硬貨収納ボックスが指定されたときに、制御手段が、複数の包装硬貨センサのいずれから、包装硬貨検出信号が入力されているかに基づいて、入力手段に入力された指示信号により指定された包装硬貨収納ボックス内に、硬貨包装手段によって生成された包装硬貨ロールを収納することができるか否かを判定し、入力手段に入力された指示信号により指定された包装硬貨収納ボックス内に、硬貨包装手段によって生成された包装硬貨ロールを収納することができると判定したときは、入力手段に入力された指示信号により指定された包装硬貨収納ボックスを、硬貨包装手段によって生成された包装硬貨ロールを収納すべき包装硬貨収納ボックスとして決定するように構成されているから、包装硬貨ロールを、オペレータが所望する包装硬貨収納ボックス内に収納させることができ、一方、入力手段に入力された指示信号により指定された包装硬貨収納ボックス内に、硬貨包装手段によって生成された包装硬貨ロールを収納することができないと判定したときは、制御手段が、複数の包装硬貨収納ボックスのうち、入力手段に入力された指示信号により指定された包装硬貨収納ボックス以外の包装硬貨収納ボックスで、付随する包装硬貨センサから包装硬貨検出信号が入力されていない包装硬貨収納ボックスを、硬貨包装手段によって生成された包装硬貨ロールを収納すべき包装硬貨収納ボックスとして決定するように構成されているから、硬貨包装機の作動を頻繁に停止させることなく、効率よく、硬貨を包装して、包装硬貨ロールを生成することが可能になる。
【００１３】
本発明のさらに好ましい実施態様においては、前記硬貨包装手段によって生成された包装硬貨ロールを収納することができないと判定し、前記複数の包装硬貨収納ボックスのうち、前記入力手段に入力された指示信号により指定された包装硬貨収納ボックス以外の包装硬貨収納ボックスで、付随する包装硬貨センサから包装硬貨検出信号が入力されていない包装硬貨収納ボックスが複数あると判定したときに、前記制御手段が、前記入力手段に入力された指示信号により指定された包装硬貨収納ボックス以外の包装硬貨収納ボックスで、付随する包装硬貨センサから包装硬貨検出信号が入力されていない複数の包装硬貨収納ボックスから、あらかじめ定められた順序にしたがって、前記硬貨包装手段によって生成された包装硬貨ロールを収納すべき包装硬貨収納ボックスを決定するように構成されている。
【００１４】
本発明のさらに好ましい実施態様によれば、硬貨包装手段によって生成された包装硬貨ロールを収納することができないと判定し、複数の包装硬貨収納ボックスのうち、入力手段に入力された指示信号により指定された包装硬貨収納ボックス以外の包装硬貨収納ボックスで、付随する包装硬貨センサから包装硬貨検出信号が入力されていない包装硬貨収納ボックスが複数あると判定したときに、制御手段が、入力手段に入力された指示信号により指定された包装硬貨収納ボックス以外の包装硬貨収納ボックスで、付随する包装硬貨センサから包装硬貨検出信号が入力されていない複数の包装硬貨収納ボックスから、あらかじめ定められた順序にしたがって、硬貨包装手段によって生成された包装硬貨ロールを収納すべき包装硬貨収納ボックスを決定するように構成されているから、硬貨包装機の作動を頻繁に停止させることなく、効率よく、硬貨を包装して、包装硬貨ロールを生成することが可能になる。
【００１５】
本発明の別の好ましい実施態様においては、硬貨包装機は、さらに、オペレータによって操作され、指示信号を入力可能な入力手段を備え、前記入力手段に入力された指示信号により、前記硬貨包装手段によって生成された包装硬貨ロールを収納すべき包装硬貨収納ボックスが指定されたときに、前記制御手段が、前記複数の包装硬貨センサのいずれから、包装硬貨検出信号が入力されているかに基づいて、前記入力手段に入力された指示信号により指定された包装硬貨収納ボックス内に、前記硬貨包装手段によって生成された包装硬貨ロールを収納することができるか否かを判定し、前記入力手段に入力された指示信号により指定された包装硬貨収納ボックス内に、前記硬貨包装手段によって生成された包装硬貨ロールを収納することができると判定したときは、前記入力手段に入力された指示信号により指定された包装硬貨収納ボックスを、前記硬貨包装手段によって生成された包装硬貨ロールを収納すべき包装硬貨収納ボックスとして決定し、前記入力手段に入力された指示信号により指定された包装硬貨収納ボックス内に、前記硬貨包装手段によって生成された包装硬貨ロールを収納することができないと判定したときは、前記アラーム手段にアラームを発生させ、および／または、前記表示手段に、前記入力手段に入力された指示信号により指定された包装硬貨収納ボックス内に、包装硬貨ロールを収納することができない旨を報知するメッセージおよび前記複数の包装硬貨収納ボックスのうち、別の包装硬貨収納ボックスを指定するように促すメッセージを表示させるように構成されている。
【００１６】
本発明のさらに好ましい実施態様によれば、入力手段に入力された指示信号により、硬貨包装手段によって生成された包装硬貨ロールを収納すべき包装硬貨収納ボックスが指定されたときに、制御手段が、複数の包装硬貨センサのいずれから、包装硬貨検出信号が入力されているかに基づいて、入力手段に入力された指示信号により指定された包装硬貨収納ボックス内に、硬貨包装手段によって生成された包装硬貨ロールを収納することができるか否かを判定し、入力手段に入力された指示信号により指定された包装硬貨収納ボックス内に、硬貨包装手段によって生成された包装硬貨ロールを収納することができると判定したときは、入力手段に入力された指示信号により指定された包装硬貨収納ボックスを、硬貨包装手段によって生成された包装硬貨ロールを収納すべき包装硬貨収納ボックスとして決定するように構成されているから、包装硬貨ロールを、オペレータが所望する包装硬貨収納ボックス内に収納させることができ、一方、入力手段に入力された指示信号により指定された包装硬貨収納ボックス内に、硬貨包装手段によって生成された包装硬貨ロールを収納することができないと判定したときは、制御手段が、アラーム手段にアラームを発生させ、および／または、表示手段に、入力手段に入力された指示信号により指定された包装硬貨収納ボックス内に、包装硬貨ロールを収納することができない旨を報知するメッセージおよび複数の包装硬貨収納ボックスのうち、別の包装硬貨収納ボックスを指定するように促すメッセージを表示させるように構成されているから、硬貨包装機の作動を頻繁に停止させることなく、効率よく、硬貨を包装して、包装硬貨ロールを生成し、オペレータの意思に合致した包装硬貨収納ボックス内に、包装硬貨ロールを収納させることが可能になる。
【００１７】
本発明のさらに好ましい実施態様においては、前記アラーム手段が発生したアラーム、および／または、前記表示手段に表示されたメッセージにしたがって、前記入力手段に入力された指示信号により、前記硬貨包装手段によって生成された包装硬貨ロールを収納すべき包装硬貨収納ボックスとして、最初に指定された包装硬貨収納ボックスとは異なる包装硬貨収納ボックスが指定されたときに、前記制御手段が、前記入力手段に入力された指示信号により指定された包装硬貨収納ボックスに付随する包装硬貨センサから、包装硬貨検出信号が入力されているか否かを判定して、前記入力手段に入力された指示信号により指定された包装硬貨収納ボックス内に、前記硬貨包装手段によって生成された包装硬貨ロールを収納することができるか否かを判定し、前記入力手段に入力された指示信号により指定された包装硬貨収納ボックス内に、前記硬貨包装手段によって生成された包装硬貨ロールを収納することができると判定したときは、前記入力手段に入力された指示信号により指定された包装硬貨収納ボックスを、前記硬貨包装手段によって生成された包装硬貨ロールを収納すべき包装硬貨収納ボックスとして、決定し、前記入力手段に入力された指示信号により指定された包装硬貨収納ボックス内に、前記硬貨包装手段によって生成された包装硬貨ロールを収納することができないと判定したときは、前記アラーム手段にアラームを発生させ、および／または、前記表示手段に、前記硬貨包装手段によって生成された包装硬貨ロールを収納することができる包装硬貨収納ボックスがなく、前記複数の包装硬貨収納ボックスのうち、別の包装硬貨収納ボックスを指定するように促すメッセージを表示させるように構成されている。
【００１８】
本発明のさらに好ましい実施態様によれば、アラーム手段が発生したアラーム、および／または、表示手段に表示されたメッセージにしたがって、入力手段に入力された指示信号により、硬貨包装手段によって生成された包装硬貨ロールを収納すべき包装硬貨収納ボックスとして、最初に指定された包装硬貨収納ボックスとは異なる包装硬貨収納ボックスが指定されたときに、制御手段が、入力手段に入力された指示信号により指定された包装硬貨収納ボックスに付随する包装硬貨センサから、包装硬貨検出信号が入力されているか否かを判定して、入力手段に入力された指示信号により指定された包装硬貨収納ボックス内に、硬貨包装手段によって生成された包装硬貨ロールを収納することができるか否かを判定し、入力手段に入力された指示信号により指定された包装硬貨収納ボックス内に、硬貨包装手段によって生成された包装硬貨ロールを収納することができると判定したときは、入力手段に入力された指示信号により指定された包装硬貨収納ボックスを、硬貨包装手段によって生成された包装硬貨ロールを収納すべき包装硬貨収納ボックスとして、決定し、一方、入力手段に入力された指示信号により指定された包装硬貨収納ボックス内に、硬貨包装手段によって生成された包装硬貨ロールを収納することができないと判定したときは、制御手段が、アラーム手段にアラームを発生させ、および／または、表示手段に、硬貨包装手段によって生成された包装硬貨ロールを収納することができる包装硬貨収納ボックスがなく、複数の包装硬貨収納ボックスのうち、別の包装硬貨収納ボックスを指定するように促すメッセージを表示させるように構成されているから、硬貨包装機の作動を頻繁に停止させることなく、効率よく、硬貨を包装して、包装硬貨ロールを生成し、オペレータの意思に合致した包装硬貨収納ボックス内に、包装硬貨ロールを収納させることが可能になる。
【００１９】
本発明のさらに好ましい実施態様においては、硬貨包装機は、さらに、硬貨包装機の本体の下部に、少なくとも１つの下部包装硬貨収納ボックスを備え、硬貨包装機の本体の上部に、少なくとも１つの上部包装硬貨収納ボックスを備えている。
【００２０】
本発明のさらに好ましい実施態様によれば、硬貨包装機は、さらに、硬貨包装機の本体の下部に、少なくとも１つの下部包装硬貨収納ボックスを備え、硬貨包装機の本体の上部に、少なくとも１つの上部包装硬貨収納ボックスを備えているから、オペレータは、包装硬貨ロールを回収しやすい包装硬貨収納ボックスを選択して、包装硬貨ロールを収納させることが可能になる。
【００２１】
本発明のさらに好ましい実施態様においては、前記下部包装硬貨収納ボックスが、それぞれ、開口部を備えた２つの下部包装硬貨収納サブボックスに分割され、前記制御手段が、前記下部包装硬貨収納ボックスを、前記硬貨包装手段によって生成された包装硬貨ロールを収納すべき包装硬貨収納ボックスとして、決定したときに、前記硬貨包装手段によって生成された包装硬貨ロールが、前記２つの下部包装硬貨収納サブボックス内に交互に収納されるように、前記包装硬貨分配手段を制御するように構成されている。
【００２２】
ある包装硬貨収納ボックス内に、それ以上、包装硬貨ロールを収納させることができなくなるまで、包装硬貨ロールを収納させ、次いで、他の包装硬貨収納ボックス内に、包装硬貨ロールを収納させるときは、収納された包装硬貨ロールが、各包装収納ボックスの開口部の下方で、積み重ねられて、盛り上がり、その包装硬貨収納ボックス内に、さらに、包装硬貨ロールを収納させることが可能であるにもかかわらず、付随する包装硬貨センサが、その包装硬貨収納ボックス内に、それ以上、包装硬貨ロールを収納させることができないと判定することがあり得るが、本発明のさらに好ましい実施態様によれば、下部包装硬貨収納ボックスが、それぞれ、開口部を備えた２つの下部包装硬貨収納サブボックスに分割され、制御手段が、下部包装硬貨収納ボックスを、硬貨包装手段によって生成された包装硬貨ロールを収納すべき包装硬貨収納ボックスとして、決定したときに、硬貨包装手段によって生成された包装硬貨ロールが、２つの下部包装硬貨収納サブボックス内に交互に収納されるように、包装硬貨分配手段を制御するように構成されているから、２つの下部包装硬貨収納サブボックス内に収納された包装硬貨ロールが、それぞれの開口部の下方で、積み重ねられて、盛り上がることを効果的に防止することができ、したがって、２つの下部包装硬貨収納サブボックスのスペースを有効に活用することが可能になる。
【００２３】
本発明のさらに好ましい実施態様においては、硬貨包装機は、さらに、硬貨包装機の本体の上部に、それぞれ、開口部を備えた２つの上部包装硬貨収納ボックスを備えている。
【００２４】
本発明のさらに好ましい実施態様においては、硬貨包装機は、さらに、前記硬貨通路に設けられ、硬貨の特性を検出して、硬貨検出信号を出力するセンサ手段と、前記硬貨通路に設けられ、硬貨を回収可能な硬貨回収手段と、前記硬貨回収手段によって回収された硬貨を収容可能な下部ホッパと、前記下部ホッパに収容された硬貨を、前記上部ホッパ内に移送する硬貨リフトを備え、前記入力手段が、包装すべき硬貨の金種を指定する指示信号を入力可能に構成されるとともに、前記制御手段が、前記センサ手段から出力された硬貨検出信号に基づいて、前記センサ手段によって検出された硬貨の金種が、前記入力手段に入力された指示信号により指定された包装すべき硬貨の金種と一致するか否かを判別し、前記センサ手段によって検出された硬貨の金種が、前記入力手段に入力された指示信号により指定された包装すべき硬貨の金種と一致しないと判別したときに、前記硬貨回収手段を駆動して、その金種が、前記入力手段に入力された指示信号により指定された包装すべき硬貨の金種と一致しないと判別した硬貨を、前記下部ホッパに導いて、収容させるように構成されている。
【００２５】
本発明のさらに好ましい実施態様によれば、硬貨包装機は、さらに、硬貨通路に設けられ、硬貨の特性を検出して、硬貨検出信号を出力するセンサ手段と、硬貨通路に設けられ、硬貨を回収可能な硬貨回収手段と、硬貨回収手段によって回収された硬貨を収容可能な下部ホッパと、下部ホッパに収容された硬貨を、上部ホッパ内に移送する硬貨リフトを備え、入力手段が、包装すべき硬貨の金種を指定する指示信号を入力可能に構成されるとともに、制御手段が、センサ手段から出力された硬貨検出信号に基づいて、センサ手段によって検出された硬貨の金種が、入力手段に入力された指示信号により指定された包装すべき硬貨の金種と一致するか否かを判別し、センサ手段によって検出された硬貨の金種が、入力手段に入力された指示信号により指定された包装すべき硬貨の金種と一致しないと判別したときに、硬貨回収手段を駆動して、その金種が、入力手段に入力された指示信号により指定された包装すべき硬貨の金種と一致しないと判別した硬貨を、下部ホッパに導いて、収容させるように構成されているから、硬貨包装機内に投入された硬貨のうち、入力手段に入力された指示信号により指定された包装すべき硬貨の金種と異なる金種の硬貨を、硬貨回収手段によって、下部ホッパ内に回収し、硬貨リフトによって、上部ホッパ内に送ることによって、入力手段に入力された指示信号により指定された包装すべき金種の硬貨の包装に引き続き、入力手段に入力された指示信号により指定された包装すべき金種以外の硬貨を包装して、包装硬貨ロールを生成し、包装硬貨ボックス内に収納させることができ、したがって、入力手段に入力された指示信号により指定された包装すべき金種以外の硬貨を、一旦、回収し、改めて、上部ホッパに投入することなく、硬貨包装機の投入されたすべての金種の硬貨を包装して、包装硬貨ロールを生成し、包装硬貨ボックス内に収納させることが可能になる。
【００２６】
本発明のさらに好ましい実施態様においては、前記制御手段が、前記硬貨包装手段に、前記上部ホッパに投入された硬貨を、金種別に、順次、包装させて、包装硬貨ロールを生成させ、前記硬貨包装手段によって生成された包装硬貨ロールが、前記複数の包装硬貨収納ボックスのうち、包装された硬貨の金種別に、異なる包装硬貨収納ボックス内に収納されるように、前記包装硬貨分配手段を制御するように構成されている。
【００２７】
本発明のさらに好ましい実施態様によれば、制御手段が、硬貨包装手段によって生成された包装硬貨ロールが、複数の包装硬貨収納ボックスのうち、包装された硬貨の金種別に、異なる包装硬貨収納ボックス内に収納されるように構成されているから、きわめて容易に、包装硬貨ロールを、金種別に回収することが可能になる。
【００２８】
本発明のさらに好ましい実施態様においては、前記制御手段が、前記硬貨包装手段によって生成された包装硬貨ロールを、前記複数の包装硬貨収納ボックスのうち、異なる包装硬貨収納ボックス内に収納するのに先立って、前記アラーム手段にアラームを発生させ、および／または、前記表示手段に、前記硬貨包装手段によって生成された包装硬貨ロールを、異なる包装硬貨収納ボックス内に収納する旨のメッセージを表示させるように構成されている。
【００２９】
本発明のさらに好ましい実施態様においては、硬貨包装機は、さらに、前記硬貨包装手段によって生成され、前記包装硬貨分配手段から分配された包装硬貨ロールを、前記少なくとも１つの上部包装硬貨収納ボックスに向けて、移送する包装硬貨リフトを備えている。
【発明の効果】
【００３０】
本発明によれば、硬貨包装機の作動を頻繁に停止させることなく、効率よく、硬貨を包装して、包装硬貨ロールを生成することができる硬貨包装機を提供することが可能になる。
【発明を実施するための最良の形態】
【００３１】
以下、添付図面に基づいて、本発明の好ましい実施態様につき、詳細に説明を加える。
【００３２】
図１は、本発明の好ましい実施態様にかかる硬貨包装機の略平面図であり、図２は、図１のＡ−Ａ線に沿った略断面図、図３は、図１のＢ−Ｂ線に沿った略断面図である。
【００３３】
図１ないし図３に示されるように、本実施態様にかかる硬貨包装機は、硬貨が投入される上部ホッパ１と、上部ホッパ１の開口部１ａの下方に配置され、上部ホッパ１に投入された硬貨を、上部ホッパ１の開口部１ａを介して、その上面で受け取る第一の回転円板２と、第一の回転円板２に隣接して設けられ、その上面で、第一の回転円板２から送られた硬貨を受け取る第二の回転円板３と、第二の回転円板３に接続された硬貨通路４を備えている。
【００３４】
第一の回転円板２および第二の回転円板３は、駆動手段（図示せず）によって、水平面内で回転可能に構成され、硬貨包装機内の上部ホッパ１内に投入され、上部ホッパ１の開口部１ａを介して、第一の回転円板２上に送られた硬貨は、第一の回転円板２の回転によって生じた遠心力によって、１枚ずつ、第二の回転円板３上に送られる。
【００３５】
第二の回転円板３の周囲には、環状のガイド（図示せず）が設けられており、第二の回転円板３内に送り込まれた硬貨は、第二の回転円板３の回転により生じた遠心力により、環状のガイドに沿って移動し、環状のガイドに設けられた送出口（図示せず）から、硬貨通路４内に、１枚ずつ、送り出される。
【００３６】
図１ないし図３に示されるように、硬貨通路４には、硬貨通路４の上面と所定の間隔を隔てて、プーリ５ａに巻回されたエンドレスの搬送ベルト５が設けられており、第二の回転円板３から硬貨通路４に送り出された硬貨は、硬貨通路４の上面と搬送ベルト５との間に挟持されつつ、硬貨通路４内を移送される。図３においては、搬送ベルト５は省略されている。
【００３７】
硬貨通路４の両側部には、互いに平行に、一対のガイドレール６ａ、６ｂが設けられており、一対のガイドレール６ａ、６ｂの間隔は、処理すべき最大径の硬貨の径より大きくなるように設定されている。本実施態様においては、ガイドレール６ａは、基準ガイドレールとして機能し、硬貨は、ガイドレール６ａに沿って、硬貨通路４内を搬送されるように、構成されている。
【００３８】
図１に示されるように、硬貨通路４は、方向転換部４ａにおいて、硬貨包装機の本体に沿って、略９０度にわたって、その方向を変えるように配置されており、方向転換部４ａの下流側の硬貨通路４には、硬貨の径、表面パターンなどの光学的データを検出するとともに、硬貨の材質を検出する硬貨検出部７が設けられている。図２および図３においては、硬貨検出部７は省略されている。
【００３９】
図１に示されるように、硬貨検出部７の下流側の硬貨通路４には、少なくとも偽造硬貨や外国硬貨などの受け入れ不能な硬貨を選択的に落下させて、回収する第一の硬貨回収口８が形成され、第一の硬貨回収口８の下流側の硬貨通路４には、所定の金種の硬貨を選択的に落下させて、回収する第二の硬貨回収口９が形成されている。
【００４０】
図１ないし図３に示されるように、硬貨通路４には、一対の集積ドラム１０ａ、１０ｂを備えた硬貨集積部１０が接続され、図１に示されるように、硬貨通路４の終端部には、硬貨が、硬貨集積部１０に送られるのを防止するためのストッパ１１が設けられている。
【００４１】
図４は、ストッパ１１の略斜視図である。
【００４２】
図４に示されるように、ストッパ１１は、円筒を、その軸に平行な平面に沿って、底部が残るように切り欠いて形成され、突出部１１ａと底部１１ｂとを有している。ストッパ１１は、その底部１１ｂの上面が、硬貨通路４の通路上面と同一平面になるように設けられており、通常は、底部１１ｂのみが、硬貨通路４内に位置し、突出部１１ａの底部１１ｂ側の面が、一方のガイドレールの内面と同一平面になるように位置しており、駆動手段（図示せず）によって駆動されたときに、ストッパ１１の回転軸１１ｃが回転され、ストッパ１１の突出部１１ａが、硬貨通路４内に位置して、硬貨が硬貨集積部１０に送られることを妨げるように構成されている。
【００４３】
図１および図３に示されるように、硬貨集積部１０は、回転可能な一対の集積ドラム１０ａ、１０ｂを備え、図２に示されるように、一対の集積ドラム１０ａ、１０ｂの外周には、螺線状の突起１２が形成されている。一対の集積ドラム１０ａ、１０ｂの間隔は、調整可能であり、包装すべき金種の硬貨の径に応じて、あらかじめ、その間隔が調整されている。硬貨集積部１０に送り込まれた硬貨は、一対の集積ドラム１０ａ、１０ｂの外周に形成された螺線状突起１２によって、その周縁部が支持される。
【００４４】
一対の集積ドラム１０ａ、１０ｂは、包装すべき金種の硬貨が、硬貨集積部１０に送り込まれるたびに、所定量だけ、回転するように制御されており、したがって、硬貨集積部１０に送り込まれた硬貨は、一対の集積ドラム１０ａ、１０ｂが回転することによって、次々に、下方に移動される。
【００４５】
図２および図３に示されるように、一対の集積ドラム１０ａ、１０ｂの下方には、シャッタ１３が設けられている。
【００４６】
一対の集積ドラム１０ａ、１０ｂは、包装すべき枚数の硬貨が、硬貨集積部１０に送り込まれ、ストッパ１１が駆動されて、後続する硬貨の搬送が阻止された後も、回転され、シャッタ１３の上面に、所定枚数の集積硬貨が載置された時点で停止される。本実施態様においては、一対の集積ドラム１０ａ、１０ｂが一回転したとき、所定枚数の集積硬貨が、シャッタ１３の上面に載置されるように構成されている。
【００４７】
図１ないし図３に示されるように、硬貨集積部１０の下方には、硬貨集積部１０によって集積された所定枚数の集積硬貨の周囲に、包装用フイルムを巻回して、円筒状の包装硬貨ロールを生成する硬貨包装部２０が設けられている。本実施態様において、硬貨包装部２０は、公知の構成を有している。
【００４８】
図５は、硬貨包装部２０の詳細を示す略平面図である。
【００４９】
図５に示されるように、硬貨包装部２０は、３本の包装ローラ２１、２１、２１と、硬貨集積部１０において集積された所定枚数の集積硬貨を、その上面で支持する硬貨支持ポスト２２と、包装用フイルムロール２３から包装用フイルムを包装ローラ２１、２１、２１に供給する供給ローラ２４と、所定長さの包装用フイルムが、包装ローラ２１、２１、２１に供給された時点で、包装用フイルムを切断するカッタ２５と、集積硬貨に包装用フイルムが巻回された後、包装用フイルムの上下部分を加締める上下一対の加締爪２６、２６（便宜上、図５において、上方に位置する一方の加締爪２６のみが図示されている。）を備えている。
【００５０】
図２に示されるように、硬貨支持ポスト２２は、硬貨の包装時以外は、３本の包装ローラ２１、２１、２１の下方で、かつ、側方に退避しており、所定枚数の包装すべき金種の硬貨が硬貨集積部１０に送られると、移動を開始し、３本の包装ローラ２１、２１、２１の間を上昇し、集積ドラム１０ａ、１０ｂが一回転した時点で、シャッタ１３の直下に位置させられる。
【００５１】
次いで、シャッタ１３が開かれ、シャッタ１３の上面に載置されていた集積硬貨は、硬貨支持ポスト２２の上面に移送される。集積硬貨を受けた後、硬貨支持ポスト２２は、下降を開始し、これと同期して、３本の包装ローラ２１、２１、２１は、回転しつつ、互いに近接するように移動するとともに、供給ローラ２４は、包装用フイルムを包装用フイルムロール２３から引き出して、包装ローラ２１、２１、２１と、集積硬貨との間に供給し、集積硬貨は、包装用フイルムを介して、包装ローラ２１、２１、２１により挟持される。
【００５２】
こうして、集積硬貨の周囲に、所定長さの包装用フイルムが巻回されると、供給ローラ２４の回転が停止され、包装ローラ２１、２１、２１の回転により包装用フイルムに生ずる張力によって、包装用フイルムが、カッタ２５に押し付けられ、切断される。その後、包装用フイルムの上下部分が、加締爪２６、２６により、加締められて、包装硬貨ロールが生成される。
【００５３】
図３に示されるように、第一の硬貨回収口８には、第一の硬貨回収通路３０が接続されており、第一の硬貨回収口８内に落下した硬貨は、第一の硬貨回収通路３０を介して、硬貨回収ボックス３１内に回収されるように構成されている。
【００５４】
硬貨回収ボックス３１は、硬貨包装機から、引き出し可能に構成され、硬貨回収ボックス３１内に回収された硬貨は、硬貨回収ボックス３１を硬貨包装機から引き出すことによって、硬貨包装機から、回収されるように構成されている。
【００５５】
一方、図３に示されるように、第二の硬貨回収口９には、第二の硬貨回収通路３２が接続されており、第二の硬貨回収口９内に落下した硬貨は、第二の硬貨回収通路３２を介して、下部ホッパ３５内に回収されるように構成されている。
【００５６】
下部ホッパ３５は、処理すべき硬貨を下部ホッパ３５内に投入し、下部ホッパ３５内に回収された硬貨を、硬貨包装機から取り出すことが可能なように、硬貨包装機の外部から、アクセス可能に構成されている。
【００５７】
下部ホッパ３５の底部は、図３において、右に向かって、徐々に、その高さが高くなるように配置されたエンドレスの搬送ベルト３６によって形成されており、下部ホッパ３５と上部ホッパ１との間には、搬送ベルト３６から、硬貨を受け取り可能に設けられたエンドレスの硬貨リフトベルト３７が設けられている。図３に示されるように、硬貨リフトベルト３７には、複数の櫛歯状の突起３７ａが形成されている。
【００５８】
搬送ベルト３６は、間欠的に駆動可能であり、搬送ベルト３６を間欠的に駆動することによって、下部ホッパ３５内に収容され、搬送ベルト３６上に保持された硬貨は、１枚づつ、包装硬貨リフトベルト３７に送られ、硬貨リフトベルト３７の櫛歯状の突起３７ａによって、その下縁が係止され、硬貨リフトベルト３７の面に、硬貨面が沿った状態で、下部ホッパ３５から上部ホッパ１に向けて搬送されるように構成されている。
【００５９】
硬貨リフトベルト３７の上端部近傍には、硬貨リフトベルト３７の櫛歯状の突起３７ａにより係止されつつ、搬送される硬貨の上縁と当接可能な位置に、スクレイパープレート（図示せず）が設けられており、下部ホッパ３５から、上部ホッパ１に向けて、搬送されてきた硬貨は、スクレイパープレートによって、硬貨リフトベルト３７から掻き落とされる。
【００６０】
図１ないし図３に示されるように、硬貨リフトベルト３７の上部近傍には、上部ホッパ１の硬貨投入口の上方にまで延びるエンドレスの供給ベルト３８が設けられており、スクレイパープレートによって、硬貨リフトベルト３７から掻き落とされた硬貨は、供給ベルト３８上に落下し、上部ホッパ１内に供給されるように構成されている。
【００６１】
さらに、図１ないし図３に示されるように、硬貨包装機の下部には、硬貨包装部２０によって生成された包装硬貨ロールを収納する下部包装硬貨収納ボックス４０が設けられ、硬貨包装機の上部には、硬貨包装部２０によって生成された包装硬貨ロールを収納する上部包装硬貨収納ボックス４５が設けられている。
【００６２】
下部包装硬貨収納ボックス４０および上部包装硬貨収納ボックス４５は、いずれも、硬貨包装機に着脱可能に取り付けられている。
【００６３】
図２および図３において、４６は、床面であり、４７は、硬貨包装機を支持するキャスターである。
【００６４】
図１ないし図３に示されるように、本実施態様においては、下部包装硬貨収納ボックス４０は、壁部４０ａによって、第一の下部包装硬貨収納ボックス４１および第二の下部包装硬貨収納ボックス４２に分割されている。
【００６５】
さらに、図２に示されるように、包装ローラ２１、２１、２１の下方には、硬貨包装部２０によって生成された包装硬貨ロールが供給されるシュート５０が設けられ、シュート５０の下端部には、シュート５０を介して、硬貨包装部２０によって生成された包装硬貨ロールを受け、包装硬貨ロールを、第一の下部包装硬貨収納ボックス４１、第二の下部包装硬貨収納ボックス４２あるいは上部包装硬貨収納ボックス４５に向けて、選択的に送る包装硬貨分配手段５１が設けられ、包装硬貨分配手段５１の側方には、包装硬貨分配手段５１から、包装硬貨ロールを受け、上部包装硬貨収納ボックス４５に向けて、移送する包装硬貨リフト６０が設けられている。
【００６６】
図６は、第一の硬貨回収口８および第二の硬貨回収口９の近傍の硬貨通路４の略平面図である。
【００６７】
図６に示されるように、第一の硬貨回収口８の直上流側の硬貨通路４には、硬貨Ｃの通過を検出するセンサ８ａが設けられ、第一の硬貨回収口８の直下流側の硬貨通路４には、その上を通過した硬貨Ｃの枚数を計数するセンサ８ｂが設けられている。
【００６８】
また、センサ８ａの直下流側で、第一の硬貨回収口８の上流端部に対応するのガイドレール６ａの部分には、切欠き部８ｃが形成され、切欠き部８ｃ内には、四分円状の断面を有する第一の突出部材８ｄが設けられている。
【００６９】
第一の突出部材８ｄは、その平面状の側面が、ガイドレール６ａの内壁と滑らかに連なる退避位置と、その円形壁面が、硬貨通路４内に突出した突出位置との間で、第一のソレノイド（図示せず）によって、略９０度の範囲で、回動可能に構成されている。図６においては、第一の突出部材８ｄが突出位置に回動された状態が示されている。
【００７０】
図６に示されるように、第二の硬貨回収口９の直上流側の硬貨通路４には、硬貨Ｃの通過を検出するセンサ９ａが設けられ、第二の硬貨回収口９の直下流側の硬貨通路４には、その上を通過した硬貨Ｃの枚数を計数するセンサ９ｂが設けられている。
【００７１】
また、センサ９ａの直下流側で、第二の硬貨回収口９の上流端部に対応するのガイドレール６ｃの部分には、切欠き部９ｃが形成され、切欠き部９ｃ内には、四分円状の断面を有する第二の突出部材９ｄが設けられている。
【００７２】
第二の突出部材９ｄは、その平面状の側面が、ガイドレール６ｃの内壁と滑らかに連なる退避位置と、その円形壁面が、硬貨通路４内に突出した突出位置との間で、第二のソレノイド（図示せず）によって、略９０度の範囲で、回動可能に構成されている。図６においては、第二の突出部材９ｄが突出位置に回動された状態が示されている。
【００７３】
図６に示されるように、第一の硬貨回収口８は、ガイドレール６ａの内壁と、第一の硬貨回収口８のガイドレール６ｂ側の縁部との距離Ｌ１が、処理すべき最小径の硬貨の径よりもわずかに小さく、ガイドレール６ａの内壁と突出位置にある第一の突出部材８ｄの先端部との距離Ｌ２が、ガイドレール６ａの内壁と第一の硬貨回収口８のガイドレール６ａ側の縁部との距離Ｌ３よりもわずかに大きくなるように、形成されている。
【００７４】
また、図６に示されるように、第二の硬貨回収口８は、ガイドレール６ａの内壁と、第二の硬貨回収口９のガイドレール６ｂ側の縁部との距離Ｌ４が、処理すべき最小径の硬貨の径よりもわずかに小さく、ガイドレール６ａの内壁と突出位置にある第二の突出部材９ｄの先端部との距離Ｌ５が、ガイドレール６ａの内壁と第二の硬貨回収口９のガイドレール６ａ側の縁部との距離Ｌ６よりもわずかに大きくなるように、形成されている。
【００７５】
図７は、シュート５０、包装硬貨分配手段５１、包装硬貨リフト６０、第一の下部包装硬貨収納ボックス４１、第二の下部包装硬貨収納ボックス４２および上部包装硬貨収納ボックス４５を含む包装硬貨ロール分配収納機構の略断面図である。
【００７６】
図７に示されるように、シュート５０の下方に配置された包装硬貨分配手段５１は、モータ（図示せず）の出力軸に連結された支軸５２に固定された第一の包装硬貨支持部材５３と、硬貨包装機に固定された第二の包装硬貨支持部材５４を備えている。
【００７７】
第一の包装硬貨支持部材５３は、平板を鈍角に折り曲げた構造を有し、支軸５２まわりに揺動可能に構成されており、通常は、図７に示されるように、シュート５０から供給された包装硬貨ロールＣを、支持部５３ａの上面と第二の包装硬貨支持部材５４との間で保持可能な包装硬貨支持位置に保持されている。
【００７８】
図７に示されるように、包装硬貨分配手段５１の下方には、硬貨集積部１０に送られた包装すべき硬貨で、包装１本の包装硬貨ロールＣに包装すべき枚数に満たない端数硬貨を回収する端数硬貨回収ボックス５５が設けられており、端数硬貨は、包装硬貨分配手段５１から、ガイド板５６を介して、端数硬貨回収ボックス５５内に回収されるように構成されている。
【００７９】
図７に示されるように、第一の下部包装硬貨収納ボックス４１および第二の下部包装硬貨収納ボックス４２は、端数硬貨回収ボックス５５の下方において、硬貨包装機に着脱可能に取り付けられており、第一の下部包装硬貨収納ボックス４１の上方の硬貨包装機には、包装硬貨ロールＣが通過可能な開口部４１ａが形成され、第二の下部包装硬貨収納ボックス４２の上方の硬貨包装機には、包装硬貨ロールＣが通過可能な開口部４２ａが形成されている。
【００８０】
さらに、図７に示されるように、第一の下部包装硬貨収納ボックス４１の開口部４１ａには、発光素子と受光素子を備えた第一の包装硬貨センサ４１ｂが設けられ、第一の包装硬貨センサ４１ｂは、第一の下部包装硬貨収納ボックス４１内に収納され、積み重ねられた包装硬貨ロールＣの一部が開口部４１ａ内に存在し、発光素子から発せられた光を、包装硬貨ロールＣが遮り、所定の時間にわたって、受光素子が検出しなくなったときに、すなわち、それ以上、第一の下部包装硬貨収納ボックス４１内に、包装硬貨ロールＣを収納することができなくなったときに、包装硬貨検出信号を出力するように構成されている。
【００８１】
同様に、第二の下部包装硬貨収納ボックス４２の開口部４２ａには、発光素子と受光素子を備えた第二の包装硬貨センサ４２ｂが設けられ、第二の包装硬貨センサ４２ｂは、第二の下部包装硬貨収納ボックス４２内に収納され、積み重ねられた包装硬貨ロールＣの一部が開口部４２ａ内に存在し、発光素子から発せられた光を、包装硬貨ロールＣが遮り、所定の時間にわたって、受光素子が検出しなくなったときに、すなわち、それ以上、第二の下部包装硬貨収納ボックス４２内に、包装硬貨ロールＣを収納することができなくなったときに、包装硬貨検出信号を出力するように構成されている。
【００８２】
図７に示されるように、包装硬貨分配手段５１と、第一の下部包装硬貨収納ボックス４１の開口部４１ａおよび第二の下部包装硬貨収納ボックス４２の開口部４２ａの間には、逆Ｖ字状の板部材によって形成され、包装硬貨ロールＣを、第一の下部包装硬貨収納ボックス４１の開口部４１ａあるいは第二の下部包装硬貨収納ボックス４２の開口部４２ａに、選択的に導くガイド部材５７が設けられている。ガイド部材５７は、包装硬貨ロールＣを、第一の下部包装硬貨収納ボックス４１の開口部４１ａに向けて、ガイドする第一のガイド面５７ａと、包装硬貨ロールＣを、包装硬貨ロールＣを、第二の下部包装硬貨収納ボックス４２の開口部４２ａに向けて、ガイドする第二のガイド面５７ｂを備えている。
【００８３】
図７に示されるように、包装硬貨リフト６０は、一対のプーリ６１に巻回されたチェーンベルト６２と、チェーンベルト６２の内側表面に取り付けられ、チェーンベルト６２によって昇降可能に構成された包装硬貨搬送部材６３を備えている。図７においては、説明の便宜上、一方のプーリ６１のみが図示されている。
【００８４】
包装硬貨搬送部材６３は、チェーンベルト６２に固定された取り付け部６３ａと、取り付け部６３ａの下端部に設けられた軸６３ｂと、軸６３ｂまわりに揺動可能な板部材６３ｃと、板部材６３ｃの軸６３ｂと反対側の端部の下側に取り付けられたローラ６３ｄとを備え、板部材６３ｃは、図７において、ばね（図示せず）によって、時計方向に付勢されている。
【００８５】
図７に示されるように、包装硬貨リフト６０の上部には、上部開口部６５が形成されており、上部開口部６５は、上部包装硬貨収容ボックス４５に向けて、開口している。
【００８６】
図７に示されるように、包装硬貨リフト６０の上部開口部６５には、発光素子と受光素子を備えた上部包装硬貨センサ６６が設けられ、上部包装硬貨センサ６６は、上部包装硬貨収容ボックス４５内に収納され、積み重ねられた包装硬貨ロールＣの一部が包装硬貨リフト６０の上部開口部６５内に存在し、発光素子から発せられた光を、包装硬貨ロールＣが遮り、所定の時間にわたって、受光素子が検出しなったときに、すなわち、それ以上、上部包装硬貨収容ボックス４５内に、包装硬貨ロールＣを収納することができなくなったときに、包装硬貨検出信号を出力するように構成されている。
【００８７】
包装硬貨リフト６０の上部開口部６５の直下には、包装硬貨搬送部材６３のローラ６３ｄに係合する係合部６４ａが設けられている。
【００８８】
前述のように、本実施態様にかかる硬貨包装機は、硬貨包装部２０によって生成された包装硬貨ロールＣを、包装硬貨分配手段５１を駆動することにより、第一の下部包装硬貨収容ボックス４１、第二の下部包装硬貨収容ボックス４２あるいは上部包装硬貨収容ボックス４５に、選択的に送り、回収可能に構成され、包装硬貨搬送部材６３は、チェーンベルト６２によって、包装硬貨分配手段５１から送り出された包装硬貨ロールＣを受け取る包装硬貨受け取り位置と、包装硬貨分配手段５１から受け取った包装硬貨ロールを、上部包装硬貨収容ボックス４５内に送り出す包装硬貨送り出し位置と、包装硬貨受け取り位置から上方に退避し、包装硬貨分配手段５１から送り出された包装硬貨ロールＣをガイド部材５７に導く退避位置との間を、昇降可能に構成されている。
【００８９】
図８は、硬貨包装部２０によって生成され、シュート５０を介して、包装硬貨分配手段５１に供給された包装硬貨ロールＣを、第一の下部包装硬貨収容ボックス４１内に収納させる場合における包装硬貨分配手段５１および包装硬貨搬送部材６３の状態を示す略断面図である。
【００９０】
図８に示されるように、硬貨包装部２０によって生成され、シュート５０を介して、包装硬貨分配手段５１に供給された包装硬貨ロールＣを、第一の下部包装硬貨収容ボックス４１内に回収するときは、包装硬貨搬送部材６３は、包装硬貨受け取り位置から上方に退避した退避位置に保持され、包装硬貨分配手段５１の第一の包装硬貨支持部材５３が、図７に示された包装硬貨支持位置から、図７および図８において、支軸５２まわりに、時計方向に約１００度ないし１１０度にわたって、揺動される。
【００９１】
その結果、第一の包装硬貨支持部材５３の支持部５３ａの上面と第二の包装硬貨支持部材５４との間で保持されていた包装硬貨ロールＣは、第一の包装硬貨支持部材５３の支持部５３ａに対して、鈍角をなして連なる第一の包装硬貨支持部材５３の分配部５３ｂを介して、ガイド部材５７の第一のガイド面５７ａ上に導かれる。
【００９２】
こうして、ガイド部材５７の第一のガイド面５７ａ上に導かれた包装硬貨ロールＣは、第一の下部包装硬貨収納ボックス４１の開口部４１ａを介して、第一の下部包装硬貨収納ボックス４１内に落下し、第一の下部包装硬貨収納ボックス４１内に収納される。
【００９３】
図９は、硬貨包装部２０によって生成され、シュート５０を介して、包装硬貨分配手段５１に供給された包装硬貨ロールＣを、第二の下部包装硬貨収容ボックス４２内に収納させる場合における包装硬貨分配手段５１および包装硬貨搬送部材６３の状態を示す略断面図である。
【００９４】
図９に示されるように、硬貨包装部２０によって生成され、シュート５０を介して、包装硬貨分配手段５１に供給された包装硬貨ロールＣを、第二の下部包装硬貨収容ボックス４２内に回収するときは、包装硬貨搬送部材６３は、包装硬貨受け取り位置から上方に退避した退避位置に保持され、まず、図９において、破線で示されるように、包装硬貨分配手段５１の第一の包装硬貨支持部材５３が、図７に示された包装硬貨支持位置から、図７および図９において、支軸５２まわりに、時計方向に約６０度ないし７０度にわたって、揺動される。
【００９５】
その結果、第一の包装硬貨支持部材５３の支持部５３ａの上面と第二の包装硬貨支持部材５４との間で保持されていた包装硬貨ロールＣは、第一の包装硬貨支持部材５３の分配部５３ｂに送られ、第一の包装硬貨支持部材５３の分配部５３ｂ上に保持される。
【００９６】
こうして、包装硬貨ロールＣが、第一の包装硬貨支持部材５３の分配部５３ｂ上に保持されると、図９において、実線で示されるように、包装硬貨分配手段５１の第一の包装硬貨支持部材５３が、さらに、図７および図９において、支軸５２まわりに、時計方向に約９０度にわたって、揺動される。
【００９７】
その結果、第一の包装硬貨支持部材５３の分配部５３ｂ上に保持されていた包装硬貨ロールＣは、ガイド部材５７の第二のガイド面５７ｂ上に導かれ、第二の下部包装硬貨収納ボックス４２の開口部４２ａを介して、第二の下部包装硬貨収納ボックス４２内に落下して、第二の下部包装硬貨収納ボックス４２内に収納される。
【００９８】
図１０は、硬貨包装部２０によって生成され、シュート５０を介して、包装硬貨分配手段５１に供給された包装硬貨ロールＣを、上部包装硬貨収容ボックス４５に収納させる場合に、包装硬貨ロールＣを、包装硬貨リフト６０の包装硬貨搬送部材６３に受け渡すときの包装硬貨分配手段５１および包装硬貨搬送部材６３の状態を示す略断面図である。
【００９９】
図１０に示されるように、包装硬貨ロールＣを、包装硬貨リフト６０の包装硬貨搬送部材６３に受け渡すときは、包装硬貨搬送部材６３は、包装硬貨受け取り位置に保持され、包装硬貨分配手段５１の第一の包装硬貨支持部材５３が、図７に示された包装硬貨支持位置から、図７および図１０において、支軸５２まわりに、時計方向に約１００度ないし１１０度にわたって、揺動される。
【０１００】
その結果、第一の包装硬貨支持部材５３の支持部５３ａの上面と第二の包装硬貨支持部材５４との間で保持されていた包装硬貨ロールＣは、第一の包装硬貨支持部材５３の分配部５３ｂを介して、包装硬貨搬送部材６３の上方に付勢された板状部材６３ｃの上面に導かれ、包装硬貨搬送部材６３の板状部材６３ｃの上面によって保持される。
【０１０１】
次いで、チェーンベルト６２が駆動され、包装硬貨搬送部材６３が、包装硬貨受け取り位置から、上方の包装硬貨送り出し位置に向けて、上昇される。
【０１０２】
包装硬貨搬送部材６３が上昇され、包装硬貨送り出し位置の直前に達すると、包装硬貨搬送部材６３のローラ６３ｄが、包装硬貨リフト６０の上部開口部６５の直下に形成された係合部６４ａに係合して、包装硬貨搬送部材６３の板状部材６３ｂの先端部が停止される。
【０１０３】
包装硬貨搬送部材６３は、さらに上昇され、包装硬貨送り出し位置に達した時点で、チェーンベルト６２が停止される。
【０１０４】
包装硬貨搬送部材６３のローラ６３ｄが、包装硬貨リフト６０の係合部６４ａに係合した後に、包装硬貨搬送部材６３が、包装硬貨送り出し位置に向けて、さらに上昇されるにつれて、包装硬貨搬送部材６３の板状部材６３ｂは、軸６３ｂまわりに、図７および図１０において、反時計方向に揺動され、したがって、包装硬貨搬送部材６３が包装硬貨送り出し位置に達すると、包装硬貨搬送部材６３の板状部材６３ｃの上面によって保持された包装硬貨ロールＣは、包装硬貨搬送部材６３から、包装硬貨リフト６０の上部に形成された上部開口部６５に向けて、送り出され、包装硬貨リフト６０に形成された上部開口部６５を介して、上部包装硬貨収納ボックス４５内に落下し、上部包装硬貨収納ボックス４５内に収納される。
【０１０５】
図１１は、図１ないし図１０に示された硬貨包装機の制御系、検出系、駆動系、入力系および表示系のブロックダイアグラムである。
【０１０６】
図１１に示されるように、本実施態様にかかる硬貨包装機の制御系は、ＣＰＵ７０、硬貨の基準光学データおよび基準材質データを金種別に記憶するとともに、種々の制御プログラムを格納したＲＯＭ７１、オペレータからの指示信号および各検出手段の検出信号を一時的に記憶するＲＡＭ７２、バス７３および種々の信号を入出力するＩ／Ｏポート７４を備えている。
【０１０７】
さらに、本実施態様にかかる硬貨包装機の検出系は、図１１に示されるように、硬貨の径、表面パターンなどの光学的データを検出する光学センサ（図示せず）および硬貨の磁気的性質などの材質データを検出する磁気センサ（図示せず）を含む硬貨判別部７と、第一の硬貨回収口８の直上流側の硬貨通路４に設けられた硬貨Ｃの通過を検出するセンサ８ａと、第一の硬貨回収口８の直下流側の硬貨通路４に設けられ、その上を通過した硬貨Ｃの枚数を計数するセンサ８ｂと、第二の硬貨回収口９の直上流側の硬貨通路４に設けられた硬貨Ｃの通過を検出するセンサ９ａと、第二の硬貨回収口９の直下流側の硬貨通路４に設けられ、その上を通過した硬貨Ｃの枚数を計数するセンサ９ｂと、第一の下部包装硬貨収納ボックス４１の開口部４１ａに存在する包装硬貨ロールＣを検出する第一の包装硬貨センサ４１ｂと、第二の下部包装硬貨収納ボックス４２の開口部４２ａに存在する包装硬貨ロールＣを検出する第二の包装硬貨センサ４２ｂと、包装硬貨リフト６０に形成された上部開口部６５に存在する包装硬貨ロールＣを検出する上部包装硬貨センサ６６とを備えている。
【０１０８】
ここに、本実施態様においては、第一の下部包装硬貨収納ボックス４１内に収納された包装硬貨ロールＣの一部が、第一の下部包装硬貨収納ボックス４１の開口部４１ａ内に存在し、それ以上、第一の下部包装硬貨収納ボックス４１内に、包装硬貨ロールＣを収納することができないときには、第一の下部包装硬貨収納ボックス４１の開口部４１ａに設けられた第一の包装硬貨センサ４１ｂから、ＣＰＵ７０に包装硬貨検出信号が入力され、第二の下部包装硬貨収納ボックス４２内に収納された包装硬貨ロールＣの一部が、第二の下部包装硬貨収納ボックス４２の開口部４２ａ内に存在し、それ以上、第二の下部包装硬貨収納ボックス４２内に、包装硬貨ロールＣを収納することができないときには、第二の下部包装硬貨収納ボックス４２の開口部４２ａに設けられた第二の包装硬貨センサ４２ｂから、ＣＰＵ７０に包装硬貨検出信号が入力されるように構成され、同様に、上部包装硬貨収容ボックス４５内に収納された包装硬貨ロールＣの一部が包装硬貨リフト６０の上部開口部６５内に存在し、それ以上、上部包装硬貨収容ボックス４５内に、包装硬貨ロールＣを収納することができないときには、包装硬貨リフト６０の上部開口部６５に設けられた上部包装硬貨センサ６６から、ＣＰＵ７０に包装硬貨検出信号が入力されるように構成されている。
【０１０９】
また、本実施態様にかかる硬貨包装機の駆動系は、図１１に示されるように、第一の回転円板２を回転させる第一の回転円板モータ８０と、第二の回転円板３を回転させる第二の回転円板モータ８１と、搬送ベルト５を駆動する搬送ベルトモータ８２と、第一の硬貨回収口８の近傍に設けられた第一の突出部材８ｄを退避位置と突出位置との間で回動させる第一のソレノイド８３と、第二の硬貨回収口９の近傍に設けられた第二の突出部材９ｄを退避位置と突出位置との間で回動させる駆動する第二のソレノイド８４と、硬貨通路４の終端部に設けられたストッパ１１を駆動するストッパソレノイド８５と、一対の集積ドラム１０ａ、１０ｂを回転させる集積ドラムモータ８６と、シャッタ１３を駆動するシャッタソレノイド８７と、硬貨支持ポスト２２を移動させるポスト移動機構８８と、包装ローラ２１、２１、２１を駆動する包装ローラ駆動機構８９と、供給ローラ２４を駆動する供給ローラモータ９０と、一対の加締爪を駆動する加締爪駆動機構９１と、包装硬貨分配手段５１の第一の第一の包装硬貨支持部材５３を駆動する分配手段モータ９２と、チェーンベルト６２を駆動するチェーンベルトモータ９３と、下部ホッパ３５の底部を形成する搬送ベルト３６を駆動する下部搬送ベルトモータ９４と、硬貨リフトベルト３７を駆動するリフトモータ９５と、供給ベルト３８を駆動する供給ベルトモータ９６とを備えている。
【０１１０】
さらに、本実施態様にかかる硬貨包装機の入力系は、図１１に示されるように、オペレータにより操作される複数のキーをを含む操作部１００を備え、硬貨包装機の表示系は、液晶ディスプレイパネルや有機ＥＬディスプレイパネルなどによって形成されたディスプレイパネル１０５と、所定の条件が満たされたときに、アラームを発するアラーム手段１０６を備えている。
【０１１１】
以上のように構成された本実施態様にかかる硬貨包装機においては、オペレータが、操作部１００の所定のキーを操作することにより、硬貨包装機に投入された硬貨が、受け入れ可能な硬貨か、偽造硬貨や外国硬貨などの受け入れ不能な硬貨かを判別して、受け入れ不能な硬貨を受け入れ可能な硬貨と別個に回収し、オペレータによって指定された金種の硬貨を包装して、所定枚数の硬貨を含む包装硬貨ロールを生成するとともに、オペレータによって指定された金種以外の金種の硬貨を回収する第一の包装処理モードと、オペレータによって指定された金種の硬貨を包装して、所定枚数の硬貨を含む包装硬貨ロールを生成した後に、オペレータによって指定された金種以外の金種の硬貨を、順次、包装して、所定枚数の硬貨を含む包装硬貨ロールを生成する第二の包装処理モードが選択されるように、構成されており、以下のようにして、硬貨が包装される。
【０１１２】
まず、オペレータによって、電源スイッチ（図示せず）が操作されて、硬貨包装機の電源がオンされる。ここに、硬貨包装機の電源がオンされるのに先立って、第一の下部包装硬貨収納ボックス４１、第二の下部包装硬貨収納ボックス４２および上部包装硬貨収容ボックス４５内に収納された包装硬貨ロールＣはすべて取り出され、硬貨包装機の電源がオンされるときには、第一の下部包装硬貨収納ボックス４１、第二の下部包装硬貨収納ボックス４２および上部包装硬貨収容ボックス４５のいずれにも、包装硬貨ロールＣは収納されていない。
【０１１３】
次いで、オペレータによって、操作部１００の所定のキーが操作され、包装すべき硬貨の金種が指定される。
【０１１４】
オペレータによって、操作部１００の所定のキーが操作され、包装すべき硬貨の金種が指定されると、指定された金種を示す金種指定信号が、操作部１００から、ＣＰＵ７０に出力される。
【０１１５】
金種指定信号を受けると、ＣＰＵ７０は、指定された包装すべき硬貨の金種を、ＲＡＭ７２に書き込む。
【０１１６】
次いで、オペレータによって、操作部１００の所定のキーが操作されて、硬貨包装機が処理すべき処理を指定するため、処理モードが指定される。
【０１１７】
オペレータが、操作部１００の所定のキーを操作して、第一の包装処理モードを選択した場合には、第一の包装モード選択信号が、ＣＰＵ７０に出力され、一方、オペレータが、操作部１００の所定のキーを操作して、第二の包装処理モードを選択した場合には、第二の包装モード選択信号が、ＣＰＵ７０に出力される。
【０１１８】
第一の包装モード選択信号あるいは第二の包装モード選択信号を受けると、ＣＰＵ７０は、第一の包装モード選択信号によって指定された第一の包装処理モードあるいは第二の包装モード選択信号によって指定された第二の包装処理モードをＲＡＭ７２に書き込むとともに、オペレータによって、指定された包装すべき硬貨の金種と、指定された包装処理モードを、ディスプレイパネル１０５に表示させる。
【０１１９】
次いで、オペレータによって、操作部１００の所定のキーが操作され、所定枚数の硬貨が包装されて、生成される包装硬貨ロールＣを、上部包装硬貨収納ボックス４５、第一の下部包装硬貨収納ボックス４１および第二の下部包装硬貨収納ボックス４２のいずれに収納すべきかが指示される。
【０１２０】
ここに、硬貨包装機の電源がオンされたときには、第一の下部包装硬貨収納ボックス４１、第二の下部包装硬貨収納ボックス４２および上部包装硬貨収容ボックス４５のいずれにも、包装硬貨ロールＣは収納されていないから、ＣＰＵ７０は、オペレータによって指定された包装硬貨収納ボックスを、包装硬貨ロールＣを収納すべき包装硬貨収納ボックスとして、決定し、その包装硬貨収納ボックスについてのデータを格納するＲＡＭ７２のメモリ領域に、その包装硬貨収納ボックス内に、オペレータによって指定された金種の硬貨の包装硬貨ロールＣを収納する旨を、包装硬貨ロール収納データとして、書き込む。
【０１２１】
本実施態様にかかる硬貨包装機は、オペレータによって、包装硬貨ロールＣを収納すべき包装硬貨収納ボックスが指定されない場合には、自動的に、包装硬貨ロールＣを収納すべき包装硬貨収納ボックスを選択して、生成された包装硬貨ロールを収納させるように構成されており、したがって、あらかじめ、包装硬貨ロールＣを収納する包装硬貨収納ボックスの順序が決定されて、包装硬貨収納ボックス選択用データとして、ＲＯＭ７１に記憶されており、オペレータによって、包装硬貨ロールＣを収納すべき包装硬貨収納ボックスが指定されない場合には、ＣＰＵ７０は、ＲＯＭ７１に記憶された包装硬貨収納ボックス選択用データにしたがって、包装硬貨ロールＣを収納すべき包装硬貨収納ボックスを決定し、その包装硬貨収納ボックスについてのデータを格納するＲＡＭ７２のメモリ領域に、オペレータによって指定された金種の硬貨の包装硬貨ロールＣが収納される旨を、包装硬貨ロール収納データとして、書き込む。
【０１２２】
こうして、包装すべき金種の硬貨および生成された包装硬貨ロールを収納すべき包装硬貨収納ボックスが決定されると、ＣＰＵ７０は、包装すべき硬貨の金種および生成された包装硬貨ロールを収納すべき包装硬貨収納ボックスを、ディスプレイパネル１０５に表示させる。
【０１２３】
次いで、オペレータによって、操作部１００の所定のキーが操作されて、スタート信号が入力される。
【０１２４】
スタート信号は、ＣＰＵ７０に出力され、ＣＰＵ７０は、スタート信号を受けると、上述のようにして決定された包装硬貨ロールＣを収納すべき包装硬貨収納ボックスにしたがって、包装硬貨搬送部材６３を所定の位置に位置させる。
【０１２５】
すなわち、オペレータが、包装硬貨ロールＣを収納すべき包装硬貨収納ボックスとして、第一の下部包装硬貨収容ボックス４１もしくは第二の下部包装硬貨収容ボックス４２を指定した場合、あるいは、ＲＯＭ７１に記憶された包装硬貨収納ボックス選択用データにしたがって、ＣＰＵ７０が、包装硬貨ロールＣを収納すべき包装硬貨収納ボックスとして、第一の下部包装硬貨収容ボックス４１もしくは第二の下部包装硬貨収容ボックス４２を選択した場合には、硬貨の包装処理に先立って、ＣＰＵ７０は、チェーンベルトモータ９３に第一の駆動信号を出力して、チェーンベルト６２を駆動し、包装硬貨搬送部材６３を、図８および図９に示されるように、包装硬貨受け取り位置から上方に退避した退避位置に位置させる。
【０１２６】
一方、オペレータが、包装硬貨ロールＣを収納すべき包装硬貨収納ボックスとして、上部包装硬貨収容ボックス４５を指定した場合、あるいは、ＲＯＭ７１に記憶された包装硬貨収納ボックス選択用データにしたがって、ＣＰＵ７０が、包装硬貨ロールＣを収納すべき包装硬貨収納ボックスとして、上部包装硬貨収容ボックス４５を選択した場合には、硬貨の包装処理に先立って、ＣＰＵ７０は、チェーンベルトモータ９３に第二の駆動信号を出力して、チェーンベルト６２を駆動し、包装硬貨搬送部材６３を、図１０に示される包装硬貨受け取り位置に位置させる。
【０１２７】
スタート信号を受けると、ＣＰＵ７０は、同時に、第一の回転円板モータ８０、第二の回転円板モータ８１および搬送ベルトモータ８２に、それぞれ、駆動信号を出力して、第一の回転円板１および第二の回転円板２を回転させるとともに、搬送ベルト５を駆動させる。
【０１２８】
次いで、ＣＰＵ７０は、硬貨を投入すべき旨を、オペレータに促すメッセージを、ディスプレイパネル１０５に表示させる。
【０１２９】
硬貨を投入すべき旨のメッセージが、ディスプレイパネル１０５に表示されると、オペレータによって、硬貨が硬貨包装機に投入される。
【０１３０】
本実施態様にかかる硬貨包装機は、上部ホッパ１および下部ホッパ３５のいずれかを介して、硬貨包装機に、硬貨を投入することができるように構成されており、硬貨が、上部ホッパ１に投入された場合には、硬貨は、上部ホッパ１の開口部１ａを介して、第一の回転円板２上に落下する。
【０１３１】
これに対して、硬貨が、下部ホッパ３５に投入された場合には、下部ホッパ３５に設けられたセンサ（図示せず）によって、硬貨が、下部ホッパ３５に投入されたことが検出され、硬貨検出信号が、センサから、ＣＰＵ７０に出力される。
【０１３２】
ＣＰＵ７０は、下部ホッパ３５に設けられたセンサから、硬貨検出信号を受け、硬貨が、下部ホッパ３５に投入されたと判定すると、下部搬送ベルトモータ９４、リフトモータ９５および供給ベルトモータ９６に駆動信号を出力して、搬送ベルト３６、硬貨リフトベルト３７および供給ベルト３８を駆動させる。
【０１３３】
その結果、下部ホッパ３５内に投入された硬貨は、下部ホッパ３５の底部を形成する搬送ベルト３６によって、硬貨リフトベルト３７に受け渡される。
【０１３４】
搬送ベルト３６から、硬貨リフトベルト３７に受け渡された硬貨は、それぞれ、硬貨リフトベルト３７に設けられた櫛歯状の突起３７ａによって、その下縁が係止され、硬貨リフトベルト３７の面に、硬貨面が沿った状態で、下部ホッパ３５から上部ホッパ１に向けて搬送される。
【０１３５】
硬貨リフトベルト３７が駆動されるのにともなって、硬貨リフトベルト３７に受け渡された硬貨は、それぞれ、上方に送られ、硬貨リフトベルト３７の上端部近傍に設けられたスクレイパープレート（図示せず）によって、硬貨リフトベルト３７から掻き落とされ、供給ベルト３８上に落下する。
【０１３６】
こうして、供給ベルト３８上に落下した硬貨は、供給ベルト３８によって、それぞれ、上部ホッパ１内に供給され、上部ホッパ１の開口部１ａを介して、第一の回転円板２上に落下する。
【０１３７】
第一の回転円板２上に落下した硬貨は、第一の回転円板２の回転によって生じた遠心力によって、第二の回転円板３上に送られる。
【０１３８】
第二の回転円板３の周囲には、環状のガイド（図示せず）が設けられており、第二の回転円板３内に送り込まれた硬貨は、第二の回転円板３の回転により生じた遠心力により、環状のガイドに沿って移動し、環状のガイドに設けられた送出口（図示せず）から、硬貨通路４内に、１枚ずつ、送り出される。
【０１３９】
第二の回転円板３から硬貨通路４に送り出された硬貨は、硬貨通路４の上面と搬送ベルト５との間に挟持されつつ、硬貨通路４内を移送される。
【０１４０】
硬貨は、方向転換部４ａにおいて、硬貨包装機の本体に沿って、略９０度にわたって、その搬送方向を変えた後、方向転換部４ａの下流側の硬貨通路４に設けられた硬貨検出部７に送られる。
【０１４１】
図１には図示されていないが、硬貨判別部７は、硬貨の径、表面パターンなどの光学データを検出する光学センサ（図示せず）と、硬貨の磁気的性質などの材質データを検出する磁気センサ（図示せず）を備えており、硬貨判別部７によって、硬貨の光学データおよび材質データが検出され、硬貨判別部７によって、検出された硬貨の光学データおよび材質データは、硬貨判別部７から、ＣＰＵ７０に出力される。
【０１４２】
ＣＰＵ７０は、硬貨判別部７から、硬貨の光学データおよび材質データを受けると、ＲＯＭ７１に、金種別に記憶されている硬貨の基準光学データおよび基準材質データを読み出して、硬貨判別部７から入力された硬貨の光学データおよび材質データと比較し、その硬貨が、受け入れ可能な硬貨か、偽造硬貨や外国硬貨などの受け入れ不能な硬貨かを判別し、受け入れ可能な硬貨であると判別したときは、さらに、その硬貨の金種を判別し、判別結果をＲＡＭ７２に書き込む。
【０１４３】
硬貨が、さらに、硬貨通路４内を下流側に向けて搬送され、センサ８ａによって、その硬貨が検出されると、センサ８ａから、硬貨検出信号がＣＰＵ７０に出力される。
【０１４４】
ＣＰＵ７０は、センサ８ａから、硬貨検出信号を受けると、ＲＡＭ７２に記憶されたその硬貨の判別結果を読み出す。
【０１４５】
その硬貨が、偽造硬貨や外国硬貨などの受け入れ不能な硬貨であると判別され、その旨がＲＡＭ７２に書き込まれていたときは、ＣＰＵ７０は、第一のソレノイド８３に駆動信号を出力して、第一の突出部材８ｄを、ガイドレール６ａ内に退避した退避位置から、硬貨通路４内に突出した突出位置に回動させる。
【０１４６】
その結果、受け入れ不能な硬貨であると判別された硬貨は、第一の突出部材８ｄによって、ガイドレール６ｂに向けて押され、ガイドレール６ａの内壁から離れ、ガイドレール６ａの内壁によってガイドされない状態で、第一の硬貨回収口８に送られる。
【０１４７】
したがって、第一の硬貨回収口８は、ガイドレール６ａの内壁と、突出位置にある第一の突出部材８ｄの先端部との距離Ｌ２が、ガイドレール６ａの内壁と、第一の硬貨回収口８のガイドレール６ａ側の縁部との距離Ｌ３よりもわずかに大きくなるように、形成されているから、偽造硬貨や外国硬貨などの受け入れ能な硬貨であると判別された硬貨は、そのガイドレール６ａ側の縁部が、ガイドレール６ａと第一の硬貨回収口８との間の硬貨通路４の上面で支持されなくなり、第一の硬貨回収口８内に落下し、第一の硬貨回収口８に接続された第一の硬貨回収通路３０を介して、硬貨回収ボックス３１内に回収される。
【０１４８】
これに対して、センサ８ａによって検出された硬貨が、受け入れ可能な硬貨であると判別されていたときは、ＣＰＵ７０は何の信号も出力しない。
【０１４９】
その結果、受け入れ可能な硬貨であると判別された硬貨は、両縁部が、ガイドレール６ａと第一の硬貨回収口８との間の硬貨通路４の上面および第一の硬貨回収口８とガイドレール６ｂとの間の硬貨通路４の上面によって支持されつつ、第一の硬貨回収口８に送られ、第一の硬貨回収口８は、ガイドレール６ａの内壁と、第一の硬貨回収口８のガイドレール６ｂ側の縁部との距離Ｌ１が、処理すべき最小径の硬貨の径よりもわずかに小さくなるように形成されているから、硬貨は、第一の硬貨回収口８内に落下することなく、第一の硬貨回収口８を通過する。
【０１５０】
第一の硬貨回収口８を通過した硬貨は、センサ８ｂ上を通過する。
【０１５１】
その結果、センサ８ｂからＣＰＵ７０に、硬貨検出信号が出力される。
【０１５２】
ＣＰＵ７０は、センサ８ｂから、硬貨検出信号を受けると、ＲＡＭ７２に書き込まれたその硬貨の判別結果を読み出し、その硬貨の金種に対応するＲＡＭ７２のメモリ領域に、センサ８ｂによって検出された硬貨の枚数を書き込む。
【０１５３】
受け入れ可能な硬貨と判別された硬貨は、さらに、硬貨通路４内を下流側に向けて搬送され、センサ９ａによって、その硬貨が検出されると、センサ９ａから、硬貨検出信号がＣＰＵ７０に出力される。
【０１５４】
ＣＰＵ７０は、センサ９ａから、硬貨検出信号を受けると、ＲＡＭ７２に記憶されたその硬貨の判別結果を読み出すとともに、ＲＡＭ７２に記憶された包装すべき硬貨の金種を読み出す。
【０１５５】
ＣＰＵ７０は、ＲＡＭ７２に記憶されたその硬貨の判別結果と、ＲＡＭ７２に記憶された包装すべき硬貨の金種とに基づき、その硬貨の金種が、包装すべき硬貨の金種と一致するか否かを判定する。
【０１５６】
その硬貨の金種が、包装すべき硬貨の金種と一致するか否かを判定した結果、その硬貨の金種が、包装すべき硬貨の金種と一致しないと判定したときは、ＣＰＵ７０は、第二のソレノイド８４に駆動信号を出力して、第二の突出部材９ｄを、ガイドレール６ｃ内に退避した退避位置から、硬貨通路４内に突出した突出位置に回動させる。
【０１５７】
その結果、その金種が、包装すべき硬貨の金種と一致しないと判定された硬貨は、第二の突出部材９ｄによって、ガイドレール６ｂに向けて押され、ガイドレール６ｃの内壁から離れ、ガイドレール６ｃの内壁によってガイドされない状態で、第二の硬貨回収口９に送られる。
【０１５８】
したがって、第二の硬貨回収口９は、ガイドレール６ｃの内壁と、突出位置にある第二の突出部材９ｄの先端部との距離Ｌ５が、ガイドレール６ｃの内壁と、第二の硬貨回収口９のガイドレール６ｃ側の縁部との距離Ｌ６よりもわずかに大きくなるように、形成されているから、その金種が、包装すべき硬貨の金種と一致しないと判定された硬貨は、そのガイドレール６ｃ側の縁部が、ガイドレール６ｃと第二の硬貨回収口９との間の硬貨通路４の上面で支持されなくなり、第二の硬貨回収口９内に落下し、第二の硬貨回収口９に接続された第二の硬貨回収通路３２を介して、下部ホッパ３５内に回収される。
【０１５９】
これに対して、センサ８ａによって検出された硬貨の金種が、包装すべき硬貨の金種と一致している判別されていたときは、ＣＰＵ７０は何の信号も出力しない。
【０１６０】
その結果、その金種が、包装すべき硬貨の金種と一致していると判定された硬貨は、両縁部が、ガイドレール６ｃと第二の硬貨回収口９との間の硬貨通路４の上面および第二の硬貨回収口９とガイドレール６ｂとの間の硬貨通路４の上面によって支持されつつ、第二の硬貨回収口９に送られ、第二の硬貨回収口９は、ガイドレール６ｃの内壁と、第二の硬貨回収口９のガイドレール６ｂ側の縁部との距離Ｌ４が、処理すべき最小径の硬貨の径よりもわずかに小さくなるように形成されているから、硬貨は、第二の硬貨回収口９内に落下することなく、第二の硬貨回収口９を通過する。
【０１６１】
硬貨回収口９を通過した硬貨Ｃは、センサ９ｂ上を通過する。
【０１６２】
その結果、センサ９ｂからＣＰＵ７０に、硬貨検出信号が出力される。
【０１６３】
ＣＰＵ７０は、センサ９ｂから、硬貨検出信号を受けると、ＲＡＭ７２に書き込まれたその硬貨の判別結果を読み出して、その硬貨の金種、すなわち、包装すべき硬貨の金種に対応するＲＡＭ７２のメモリ領域に、センサ９ｂによって検出された硬貨の枚数を書き込む。
【０１６４】
包装すべき金種の硬貨は、さらに、硬貨通路４内を、硬貨通路４の終端部に向けて、下流側に送られる。
【０１６５】
硬貨通路４の終端部に達した包装すべき金種の硬貨は、硬貨通路４の終端部に接続された硬貨集積部１０に送られる。
【０１６６】
硬貨集積部１０に送られた包装すべき金種の硬貨は、回転可能な一対の集積ドラム１０ａ、１０ｂの外周に形成された螺線状の突起１２により、その周縁部が支持される。
【０１６７】
ＣＰＵ７０は、包装すべき金種の硬貨が硬貨集積部１０に送り込まれるタイミングで、集積ドラムモータ８６に駆動信号を出力し、一対の集積ドラム１０ａ、１０ｂを所定量だけ、回転させ、硬貨を下方に移動させる。
【０１６８】
同様にして、包装すべき金種の硬貨は、第一の回収口８および第二の回収口９を通過し、センサ９ｂを通過するたびに、ＣＰＵ７０によって、ＲＡＭ７２に記憶された包装すべき金種の硬貨の枚数が更新されて、次々に、硬貨通路４から、硬貨集積部１０内に送り込まれる。
【０１６９】
一対の集積ドラム１０ａ、１０ｂは、ＣＰＵ７０によって、包装すべき金種の硬貨が、硬貨集積部１０に送り込まれるたびに、所定量だけ、回転するように制御されており、したがって、回転可能な一対の集積ドラム１０ａ、１０ｂの外周に形成された螺線状の突起１２により、その周縁部が支持された硬貨は、一対の集積ドラム１０ａ、１０ｂが回転することによって、次々に、下方に移動され、一対の集積ドラム１０ａ、１０ｂの間に、包装すべき金種の硬貨が集積される。
【０１７０】
こうして、次々に、包装すべき金種の硬貨が、硬貨集積部１０内に送り込まれた結果、ＲＡＭ７２内に記憶された包装すべき金種の硬貨の枚数が、包装すべき枚数に等しくなったと判定すると、ＣＰＵ７０は、ＲＡＭ７２に書き込まれた包装すべき金種の硬貨の枚数をゼロにセットするとともに、ＣＰＵ７０は、ストッパソレノイド８５に駆動信号を出力して、硬貨通路４の終端部に設けられたストッパ１１の回転軸１１ｃを回転させ、ストッパ１１の突出部１１ａを硬貨通路４内に位置させる。
【０１７１】
同時に、ＣＰＵ７０は、第一の回転円板モータ８０、第二の回転円板モータ８１および搬送ベルトモータ８２に駆動停止信号を出力し、第一の回転円板２および第二の回転円板３の回転を停止させるとともに、搬送ベルト５を停止させる。
【０１７２】
その結果、後続する硬貨が硬貨集積部１０に送られることが防止される。
【０１７３】
こうして、包装すべき所定枚数の硬貨が、一対の集積ドラム１０ａ、１０ｂの間に集積された後も、ＣＰＵ７０から、集積ドラムモータ８５に駆動信号が出力され、一対の集積ドラム１０ａ、１０ｂが一回転し、シャッタ１３の上面に、所定枚数の集積硬貨が載置された時点で、一対の集積ドラム１０ａ、１０ｂの回転が停止される。
【０１７４】
所定枚数の包装すべき金種の硬貨が硬貨集積部１０に送られると、ＣＰＵ７０は、ポスト移動機構８８に駆動信号を出力して、硬貨支持ポスト２２を、一対の集積ドラム１０ａ、１０ｂが一回転した時点で、シャッタ１３の直下の待機位置に位置するように、３本の包装ローラ２１、２１、２１の間を上昇させ、硬貨支持ポスト２２がシャッタ１３の直下の待機位置に達すると、ポスト移動機構８８に駆動停止信号を出力する。
【０１７５】
ポスト移動機構８８に駆動停止信号を出力すると、ＣＰＵ７０は、シャッタソレノイド８７に駆動信号を出力して、シャッタ１３を開き、シャッタ１３の上面に載置されていた集積硬貨は、硬貨支持ポスト２２の上面に移送される。
【０１７６】
次いで、ＣＰＵ７０は、再び、ポスト移動機構８８に駆動信号を出力して、硬貨支持ポスト２２を、３本の包装ローラ２１、２１、２１の間を下降させるとともに、包装ローラ駆動機構８９に駆動信号を出力して、３本の包装ローラ２１、２１、２１を、回転させつつ、互いに近接するように移動させる。
【０１７７】
硬貨支持ポスト２２が、包装用フイルムを、集積硬貨の周囲に巻回して、集積硬貨を包装可能な包装位置に達すると、ＣＰＵ７０は、ポスト移動機構８８に駆動停止信号を出力するとともに、供給ローラモータ９０に駆動信号を出力して、供給ローラ２４に、包装用フイルムを包装用フイルムロール２３から引き出させ、包装ローラ２１、２１、２１と、集積硬貨との間に供給させる。
【０１７８】
その結果、集積硬貨は、包装用フイルムを介して、包装ローラ２１、２１、２１により挟持される。
【０１７９】
さらに、包装ローラ２１、２１、２１および供給ローラ２４が回転されて、集積硬貨の周囲に、所定長さの包装用フイルムが巻回されると、ＣＰＵ７０は、供給ローラモータ９０に駆動停止信号を出力して、供給ローラ２４の回転を停止させる。
【０１８０】
供給ローラ２４の回転が停止された後も、包装ローラ２１、２１、２１は回転され、包装ローラ２１、２１、２１の回転により包装用フイルムに生ずる張力によって、包装用フイルムが、カッタ２５に押し付けられて、切断される。
【０１８１】
次いで、ＣＰＵ７０は、加締爪駆動機構９１に駆動信号を出力して、一対の加締爪（図示せず）によって、集積硬貨の周囲に巻回された包装用フイルムの上下端部を加締め、所定枚数の包装すべき金種の硬貨が、包装用フイルムによって、円筒状に包装された包装硬貨ロールＣを生成する。
【０１８２】
包装硬貨ロールＣが生成されると、ＣＰＵ７０は、加締爪駆動機構９１に駆動信号を出力して、一対の加締爪を、包装ローラ２１、２１、２１の間から、退避した退避位置に移動させるとともに、ポスト移動機構８８に駆動信号を出力して、硬貨支持ポスト２２を、包装ローラ２１、２１、２１の間から、退避した退避位置に移動させ、次いで、包装ローラ駆動機構８９に駆動信号を出力して、３本の包装ローラ２１、２１、２１の回転を停止させるとともに、３本の包装ローラ２１、２１、２１を互いに離間させる。
【０１８３】
その結果、包装硬貨ロールＣは、包装ローラ２１、２１、２１の下方に設けられたシュート５０内に落下し、第一の包装硬貨支持部材５３の支持部５３ａの上面と第二の包装硬貨支持部材５４との間に保持される。
【０１８４】
次いで、包装硬貨ロールＣは、オペレータの指示あるいはＣＰＵ７０の選択にしたがって、包装硬貨分配手段５１により、第一の下部包装硬貨収納ボックス４１、第二の下部包装硬貨収納ボックス４２および上部包装硬貨収納ボックス４５のいずれかに向けて、送られる。
【０１８５】
オペレータが、包装硬貨ロールＣを収納すべき包装硬貨収納ボックスとして、第一の下部包装硬貨収容ボックス４１を指定し、あるいは、ＲＯＭ７１に記憶された包装硬貨収納ボックス選択用データにしたがって、ＣＰＵ７０が、包装硬貨ロールＣを収納すべき包装硬貨収納ボックスとして、第一の下部包装硬貨収容ボックス４１を選択し、その旨が、ＲＡＭ７２に書き込まれている場合には、包装硬貨ロールＣが生成されると、ＣＰＵ７０は、分配手段モータ９２に第一の駆動信号を出力して、包装硬貨分配手段５１の第一の包装硬貨支持部材５３を、図７に示された包装硬貨支持位置から、図７および図８において、支軸５２まわりに、時計方向に約１００度ないし１１０度にわたって、揺動させる。
【０１８６】
その結果、第一の包装硬貨支持部材５３の支持部５３ａの上面と第二の包装硬貨支持部材５４との間で保持されていた包装硬貨ロールＣは、第一の包装硬貨支持部材５３の支持部５３ａに対して、鈍角をなして連なる第一の包装硬貨支持部材５３の分配部５３ｂを介して、ガイド部材５７の第一のガイド面５７ａ上に導かれる。
【０１８７】
ここに、オペレータが、包装硬貨ロールＣを収納すべき包装硬貨収納ボックスとして、第一の下部包装硬貨収容ボックス４１を指定し、あるいは、ＲＯＭ７１に記憶された包装硬貨収納ボックス選択用データにしたがって、ＣＰＵ７０が、包装硬貨ロールＣを収納すべき包装硬貨収納ボックスとして、第一の下部包装硬貨収容ボックス４１を選択し、その旨が、ＲＡＭ７２に書き込まれている場合には、硬貨の包装処理に先立って、包装硬貨搬送部材６３は、図８および図９に示されるように、包装硬貨受け取り位置から上方に退避した退避位置に位置させられているから、ガイド部材５７の第一のガイド面５７ａ上に導かれた包装硬貨ロールＣは、第一の下部包装硬貨収納ボックス４１の開口部４１ａを介して、第一の下部包装硬貨収納ボックス４１内に落下し、第一の下部包装硬貨収納ボックス４１内に収納される。
【０１８８】
これに対して、オペレータが、包装硬貨ロールＣを収納すべき包装硬貨収納ボックスとして、第二の下部包装硬貨収容ボックス４２を指定し、あるいは、ＲＯＭ７１に記憶された包装硬貨収納ボックス選択用データにしたがって、ＣＰＵ７０が、包装硬貨ロールＣを収納すべき包装硬貨収納ボックスとして、第二の下部包装硬貨収容ボックス４２を選択し、その旨が、ＲＡＭ７２に書き込まれている場合には、包装硬貨ロールＣが生成されると、ＣＰＵ７０は、分配手段モータ９２に第二の駆動信号を出力して、図９において、破線で示されるように、包装硬貨分配手段５１の第一の包装硬貨支持部材５３を、図７に示された包装硬貨支持位置から、図７および図９において、支軸５２まわりに、時計方向に約６０度ないし７０度にわたって、揺動させる。
【０１８９】
その結果、第一の包装硬貨支持部材５３の支持部５３ａの上面と第二の包装硬貨支持部材５４との間で保持されていた包装硬貨ロールＣは、第一の包装硬貨支持部材５３の分配部５３ｂに送られ、第一の包装硬貨支持部材５３の分配部５３ｂ上に保持される。
【０１９０】
こうして、包装硬貨ロールＣが、第一の包装硬貨支持部材５３の分配部５３ｂ上に保持されると、ＣＰＵ７０は、分配手段モータ９２に第三の駆動信号を出力して、図９において、破線で示されるように、包装硬貨分配手段５１の第一の包装硬貨支持部材５３を、さらに、図７および図９において、支軸５２まわりに、時計方向に約９０度にわたって、揺動させる。
【０１９１】
その結果、第一の包装硬貨支持部材５３の分配部５３ｂ上に保持されていた包装硬貨ロールＣは、ガイド部材５７の第二のガイド面５７ｂ上に導かれる。
【０１９２】
ここに、オペレータが、包装硬貨ロールＣを収納すべき包装硬貨収納ボックスとして、第二の下部包装硬貨収容ボックス４２を指定し、あるいは、ＲＯＭ７１に記憶された包装硬貨収納ボックス選択用データにしたがって、ＣＰＵ７０が、包装硬貨ロールＣを収納すべき包装硬貨収納ボックスとして、第二の下部包装硬貨収容ボックス４２を選択し、その旨が、ＲＡＭ７２に書き込まれている場合には、硬貨の包装処理に先立って、包装硬貨搬送部材６３は、図８および図９に示されるように、包装硬貨受け取り位置から上方に退避した退避位置に位置させられているから、ガイド部材５７の第二のガイド面５７ｂ上に導かれた包装硬貨ロールＣは、第二の下部包装硬貨収納ボックス４２の開口部４２ａを介して、第二の下部包装硬貨収納ボックス４２内に落下して、第二の下部包装硬貨収納ボックス４２内に収納される。
【０１９３】
一方、オペレータが、包装硬貨ロールＣを収納すべき包装硬貨収納ボックスとして、上部包装硬貨収容ボックス４５を指定し、あるいは、ＲＯＭ７１に記憶された包装硬貨収納ボックス選択用データにしたがって、ＣＰＵ７０が、包装硬貨ロールＣを収納すべき包装硬貨収納ボックスとして、上部包装硬貨収容ボックス４５を選択し、その旨が、ＲＡＭ７２に書き込まれている場合には、包装硬貨ロールＣが生成されると、ＣＰＵ７０は、分配手段モータ９２に第四の駆動信号を出力して、包装硬貨分配手段５１の第一の包装硬貨支持部材５３を、図７に示された包装硬貨支持位置から、図７および図１０において、支軸５２まわりに、時計方向に約１００度ないし１１０度にわたって、揺動させる。
【０１９４】
ここに、オペレータが、包装硬貨ロールＣを収納すべき包装硬貨収納ボックスとして、上部包装硬貨収容ボックス４５を指定し、あるいは、ＲＯＭ７１に記憶された包装硬貨収納ボックス選択用データにしたがって、ＣＰＵ７０が、包装硬貨ロールＣを収納すべき包装硬貨収納ボックスとして、上部包装硬貨収容ボックス４５を選択し、その旨が、ＲＡＭ７２に書き込まれている場合には、包装硬貨搬送部材６３は、包装硬貨受け取り位置に保持されているから、第一の包装硬貨支持部材５３の支持部５３ａの上面と第二の包装硬貨支持部材５４との間で保持されていた包装硬貨ロールＣは、第一の包装硬貨支持部材５３の分配部５３ｂを介して、包装硬貨搬送部材６３の上方に付勢された板状部材６３ｃの上面に導かれ、包装硬貨搬送部材６３の板状部材６３ｃの上面によって保持される。
【０１９５】
次いで、ＣＰＵ７０は、チェーンベルトモータ９３に第三の駆動信号を出力して、チェーンベルト６２を駆動し、包装硬貨搬送部材６３を、図８および図９に示されるように、包装硬貨受け取り位置から、上方の包装硬貨送り出し位置に向けて、上昇させる。
【０１９６】
包装硬貨搬送部材６３が上昇され、包装硬貨送り出し位置の直前に達すると、包装硬貨搬送部材６３のローラ６３ｄが、包装硬貨リフト６０の上部開口部６５の直下に形成された係合部６４ａに係合して、包装硬貨搬送部材６３の板状部材６３ｂの先端部が停止される。
【０１９７】
ＣＰＵ７０は、チェーンベルトモータ９３を駆動し続け、包装硬貨搬送部材６３が、さらに上昇して、包装硬貨送り出し位置に達すると、ＣＰＵ７０は、チェーンベルトモータ９３に駆動停止信号を出力して、チェーンベルト６２を停止させる。
【０１９８】
包装硬貨搬送部材６３のローラ６３ｄが、包装硬貨リフト６０の係合部６４ａに係合した後に、包装硬貨搬送部材６３が、包装硬貨送り出し位置に向けて、さらに上昇されるにつれて、包装硬貨搬送部材６３の板状部材６３ｂは、軸６３ｂまわりに、図７および図１０において、反時計方向に揺動され、したがって、包装硬貨搬送部材６３が包装硬貨送り出し位置に達すると、包装硬貨搬送部材６３の板状部材６３ｃの上面によって保持された包装硬貨ロールＣは、包装硬貨搬送部材６３から、包装硬貨リフト６０の上部に形成された上部開口部６５に向けて、送り出され、包装硬貨リフト６０に形成された上部開口部６５を介して、上部包装硬貨収納ボックス４５内に落下し、上部包装硬貨収納ボックス４５内に収納される。
【０１９９】
同様にして、硬貨包装機に投入され、オペレータによって、包装すべき金種の硬貨として指定された所定枚数の硬貨が、包装されて、包装硬貨ロールＣが生成され、オペレータの指示にしたがって、第一の下部包装硬貨収納ボックス４１、第二の下部包装硬貨収納ボックス４２あるいは上部包装硬貨収納ボックス４５内に、選択的に収納される。
【０２００】
こうして、次々に、包装すべき金種の硬貨が包装され、所定枚数の包装すべき金種の硬貨を含む包装硬貨ロールＣが生成されて、オペレータが指示した包装硬貨収納ボックスあるいはＣＰＵ７０が選択した包装硬貨収納ボックス内に収納され、硬貨包装機内に投入されたすべての硬貨が、硬貨回収ボックス３１、下部ホッパ４５および硬貨集積部１０内に送られた時点で、ＲＡＭ７２に書き込まれた硬貨集積部１０に送られた硬貨の枚数が、包装すべき所定枚数に満たないと判定したときは、硬貨集積部１０で集積された硬貨が、硬貨包装部２０に移送されるのに先立って、ＣＰＵ７０は、分配手段モータ９２に第一の駆動信号を出力して、包装硬貨分配手段５１の第一の包装硬貨支持部材５３を、図７に示された包装硬貨支持位置から、図７および図８において、支軸５２まわりに、時計方向に約１００度ないし１１０度にわたって、揺動させる。
【０２０１】
その結果、包装すべき所定枚数に満たない端数硬貨は、硬貨包装部２０から、シュート５０に送られ、包装硬貨分配手段５１の第一の包装硬貨支持部材５３によって支持されることなく、包装硬貨分配手段５１を通過し、ガイド板５６を介して、包装硬貨分配手段５１の下方に設けられた端数硬貨回収ボックス５５内に回収される。
【０２０２】
一方、次々に、包装すべき金種の硬貨を包装し、包装硬貨ロールＣを生成して、オペレータが指示した包装硬貨収納ボックスあるいはＣＰＵ７０が選択した包装硬貨収納ボックス内に収納した結果、オペレータの指示にしたがって、あるいは、ＣＰＵ７０の選択にしたがって、それまで、包装硬貨ロールＣを収納させていた第一の下部包装硬貨収納ボックス４１、第二の下部包装硬貨収納ボックス４２あるいは上部包装硬貨収納ボックス４５内に収納された包装硬貨ロールＣの一部が、第一の下部包装硬貨収納ボックス４１の開口部４１ａ、第二の下部包装硬貨収納ボックス４２の開口部４２ａあるいは包装硬貨リフト６０の上部開口部６５内に存在するようになり、第一の下部包装硬貨収納ボックス４１、第二の下部包装硬貨収納ボックス４２あるいは上部包装硬貨収納ボックス４５に対応する第一の包装硬貨センサ４１ｂ、第二の包装硬貨センサ４２ｂあるいは上部包装硬貨センサ６６から、包装硬貨検出信号がＣＰＵ７０に入力されたときは、その包装硬貨収納ボックス内に、さらに、包装硬貨ロールＣを収納させると、包装硬貨ロールＣのジャミングが生じ、これ以上、その包装硬貨収納ボックス内に、包装硬貨ロールＣを収納させることができないと判定されるから、ＣＰＵ７０は、ＲＯＭ７１に記憶された包装硬貨収納ボックス選択用データにしたがって、それまで、包装硬貨ロールＣを収納させていた包装硬貨収納ボックスに代えて、新たに、包装硬貨ロールＣを収納させるべき包装硬貨収納ボックスを選択し、選択した包装硬貨収納ボックスに対応する包装硬貨センサから、包装硬貨検出信号が入力されているか否かを判定する。この時点では、それまで、包装硬貨ロールＣを収納させていた包装硬貨収納ボックス以外の２つの包装硬貨収納ボックス内には、包装硬貨ロールＣは収納されていないから、選択した包装硬貨収納ボックスに対応する包装硬貨センサから、包装硬貨検出信号は入力されておらず、したがって、選択した包装硬貨収納ボックス内に、包装硬貨ロールＣを収納させることが可能であるから、ＣＰＵ７０は、アラーム手段１０６にアラームを発生させるとともに、それまで、包装硬貨ロールＣを収納させていた包装硬貨収納ボックスに、これ以上、包装硬貨ロールＣを収納させることは不可能で、それまで、包装硬貨ロールＣを収納させていた包装硬貨収納ボックスに代えて、選択した包装硬貨収納ボックスに、包装硬貨ロールＣを収納すべき旨を提案するメッセージを、ディスプレイパネル１０５に表示させる。
【０２０３】
ディスプレイパネル１０５に表示されたメッセージに基づいて、オペレータが、操作部１００の所定のキーを操作して、ＣＰＵ７０の提案に同意する旨を入力したとき、あるいは、ディスプレイパネル１０５に表示されたメッセージに対して、オペレータが、所定時間内に、操作部１００に何の信号も入力しなかったときは、ＣＰＵ７０は、選択した包装硬貨収納ボックスを、新たに、包装硬貨ロールＣを収納すべき包装硬貨収納ボックスとして、決定し、選択した包装硬貨収納ボックスについてのデータを記憶するＲＡＭ７２のメモリ領域に、オペレータによって指定された金種の硬貨の包装硬貨ロールＣが収納される旨を、包装硬貨ロール収納データとして、書き込む。
【０２０４】
これに対して、オペレータが、操作部１００の所定のキーを操作して、ＣＰＵ７０から提案された包装硬貨収納ボックス内に、包装硬貨ロールＣを収納することに同意しない旨を、操作部１００に入力したときは、ＣＰＵ７０は、ＲＯＭ７１に記憶された包装硬貨収納ボックス選択用データにしたがって、それまで、包装硬貨ロールＣを収納させていた包装硬貨収納ボックスおよびオペレータが同意しなかった包装硬貨収納ボックス以外の包装硬貨収納ボックスを再選択し、再選択した包装硬貨収納ボックスに対応する包装硬貨センサから、包装硬貨検出信号が入力されているか否かを判定する。この時点では、それまで、包装硬貨ロールＣを収納させていた包装硬貨収納ボックス以外の２つの包装硬貨収納ボックス内には、包装硬貨ロールＣは収納されていないから、再選択した包装硬貨収納ボックスに対応する包装硬貨センサから、包装硬貨検出信号は入力されておらず、したがって、再選択した包装硬貨収納ボックス内に、包装硬貨ロールＣを収納させることが可能であるから、ＣＰＵ７０は、アラーム手段１０６にアラームを発生させるとともに、それまで、包装硬貨ロールＣを収納させていた包装硬貨収納ボックスに代えて、再選択した包装硬貨収納ボックスに、包装硬貨ロールＣを収納すべき旨を提案するメッセージを、ディスプレイパネル１０５に表示させる。
【０２０５】
その結果、オペレータが、操作部１００の所定のキーを操作して、ＣＰＵ７０により再提案された包装硬貨収納ボックスに、包装硬貨ロールＣを収納することに同意する旨を、操作部１００に入力したとき、あるいは、ＣＰＵ７０の再提案に対して、オペレータが、所定時間内に、操作部１００に何の信号も入力しなかったときは、ＣＰＵ７０は、その包装硬貨収納ボックスについてのデータを記憶するＲＡＭ７２のメモリ領域に、オペレータによって指定された金種の硬貨の包装硬貨ロールＣが収納される旨を、包装硬貨ロール収納データとして、書き込み、アラーム手段１０６にアラームを発生させるとともに、その包装硬貨収納ボックスに、包装硬貨ロールＣを収納すべき旨のメッセージを、改めて、ディスプレイパネル１０５に表示させる。
【０２０６】
これに対して、オペレータが、操作部１００の所定のキーを操作して、ＣＰＵ７０から再提案された包装硬貨収納ボックスに、包装硬貨ロールＣを収納することに同意しない旨を、操作部１００に入力したときは、硬貨包装機には、さらに、包装硬貨ロールＣを収納することができる包装硬貨収納ボックスは残されておらず、硬貨の包装を続行することは不可能であるから、ＣＰＵ７０は、アラーム手段１０６にアラームを発生させ、さらに、この包装硬貨収納ボックスの他には、包装硬貨ロールＣを収納することができる包装硬貨収納ボックスが存在しない旨を、ディスプレイパネル１０５に表示させるとともに、オペレータに再考を求めるメッセージを、ディスプレイパネル１０５に表示させる。
【０２０７】
その結果、オペレータが、操作部１００の所定のキーを操作して、ＣＰＵ７０により再提案された包装硬貨収納ボックスに、包装硬貨ロールＣを収納することに同意する旨を、操作部１００に入力したとき、あるいは、ＣＰＵ７０の再提案に対して、オペレータが、所定時間内に、操作部１００に何の信号も入力しなかったときは、ＣＰＵ７０は、その包装硬貨収納ボックスについてのデータを記憶するＲＡＭ７２のメモリ領域に、オペレータによって指定された金種の硬貨の包装硬貨ロールＣが収納される旨を、包装硬貨ロール収納データとして、書き込み、アラーム手段１０６にアラームを発生させるとともに、その包装硬貨収納ボックスに、包装硬貨ロールＣを収納すべき旨のメッセージを、改めて、ディスプレイパネル１０５に表示させる。
【０２０８】
こうして、それまで、包装硬貨ロールＣを収納させていた包装硬貨収納ボックスに代えて、新たに、包装硬貨ロールＣを収納させるべき包装硬貨収納ボックスが決定すると、ＣＰＵ７０は、硬貨の包装処理を開始したときと同様にして、包装硬貨ロールＣを収納すべき包装硬貨収納ボックスにしたがって、包装硬貨搬送部材６３を所定の位置に位置させ、硬貨の包装および包装硬貨ロールＣの包装硬貨収納ボックス内への収納を再開する。
【０２０９】
これに対して、オペレータが、操作部１００の所定のキーを操作して、依然として、ＣＰＵ７０により再提案された包装硬貨収納ボックスに、包装硬貨ロールＣを収納することに同意しない旨を、操作部１００に入力したときは、ＣＰＵ７０は、硬貨の包装処理を中断させ、アラーム手段１０６にアラームを発生させるとともに、それまで、包装硬貨ロールＣを収納してきた包装硬貨収納ボックスから、包装硬貨ロールＣを取り出すべき旨をオペレータに促すメッセージを、ディスプレイパネル１０５に表示させる。
【０２１０】
ディスプレイパネル１０５に表示されたＣＰＵ７０のメッセージに対して、オペレータが、それまで、包装硬貨ロールＣを収納してきた包装硬貨収納ボックスを、硬貨包装機から引き出して、収納されている包装硬貨ロールＣを取り出し、その包装硬貨収納ボックスを硬貨包装機にセットした後、操作部１００の所定のキーを操作し、スタート信号を入力すると、スタート信号はＣＰＵ７０に入力され、同時に、オペレータが、包装硬貨ロールＣを取り出した包装硬貨収納ボックスに対応する包装硬貨センサから、包装硬貨検出信号が入力されなくなるから、ＣＰＵ７０は、その包装硬貨収納ボックスについてのデータを記憶するＲＡＭ７２のメモリ領域に書き込まれた包装硬貨ロール収納データを消去し、改めて、その包装硬貨収納ボックスに、オペレータによって指定された金種の硬貨の包装硬貨ロールＣが収納される旨のデータを書き込むとともに、アラーム手段１０６にアラームを発生させ、引き続き、それまで、包装硬貨ロールＣを収納してきた包装硬貨収納ボックス内に、包装硬貨ロールＣを収納する旨のメッセージを、ディスプレイパネル１０５に表示させる。
【０２１１】
これに対して、オペレータが、それまで、包装硬貨ロールＣを収納してきた包装硬貨収納ボックスに収納されている包装硬貨ロールＣを取り出さず、操作部１００にスタート信号が入力されないときは、ＣＰＵ７０は、オペレータが、それまで、包装硬貨ロールＣを収納してきた包装硬貨収納ボックスに収納されている包装硬貨ロールＣを取り出し、操作部１００にスタート信号が入力されるまで、硬貨の包装処理を中断させる。
【０２１２】
こうして、新たに、包装硬貨ロールＣを収納させるべき包装硬貨収納ボックスが決定され、次々に、包装すべき金種の硬貨を包装して、包装硬貨ロールＣを生成し、その包装硬貨ボックス内に収納させた結果、新たに決定された包装硬貨収納ボックスに対応する包装硬貨センサから、包装硬貨検出信号がＣＰＵ７０に入力されたときは、その包装硬貨収納ボックス内に、さらに、包装硬貨ロールＣを収納させると、包装硬貨ロールＣのジャミングが生じ、これ以上、その包装硬貨収納ボックス内に、包装硬貨ロールＣを収納させることができないと判定されるから、ＣＰＵ７０は、ＲＯＭ７１に記憶された包装硬貨収納ボックス選択用データにしたがって、それまで、包装硬貨ロールＣを収納させていた包装硬貨収納ボックスに代えて、新たに、包装硬貨ロールＣを収納させるべき包装硬貨収納ボックスを選択し、選択した包装硬貨収納ボックスに対応する包装硬貨センサから、包装硬貨検出信号が入力されているか否かを判定する。
【０２１３】
判定の結果、選択した包装硬貨収納ボックスに対応する包装硬貨センサから、包装硬貨検出信号が入力されていると判定したときは、ＣＰＵ７０は、ＲＯＭ７１に記憶された包装硬貨収納ボックス選択用データにしたがって、それまで、包装硬貨ロールＣを収納させていた包装硬貨収納ボックスおよび選択した包装硬貨収納ボックス以外の包装硬貨収納ボックスを改めて選択し、その包装硬貨収納ボックスに対応する包装硬貨センサから、包装硬貨検出信号が入力されているか否かを判定する。
【０２１４】
その結果、改めて選択した包装硬貨収納ボックスに対応する包装硬貨センサから、包装硬貨検出信号が入力されていると判定したときは、硬貨包装機には、硬貨包装ロールＣを収納することができる包装硬貨収納ボックスは残されておらず、硬貨の包装を続行することは不可能であるから、ＣＰＵ７０は、硬貨の包装処理を中断させ、アラーム手段１０６にアラームを発生させるとともに、少なくとも、第一の下部包装硬貨収納ボックス４１、第二の下部包装硬貨収納ボックス４１および上部包装硬貨収納ボックス４５のいずれかから、収納されている包装硬貨ロールＣを取り出すべき旨をオペレータに促すメッセージを、ディスプレイパネル１０５に表示させる。
【０２１５】
ディスプレイパネル１０５に表示されたＣＰＵ７０のメッセージに対して、オペレータが、少なくとも、第一の下部包装硬貨収納ボックス４１、第二の下部包装硬貨収納ボックス４１および上部包装硬貨収納ボックス４５のいずれかを、硬貨包装機から引き出して、収納されている包装硬貨ロールＣを取り出し、その包装硬貨収納ボックスを硬貨包装機にセットした後、操作部１００の所定のキーを操作し、スタート信号を入力すると、スタート信号はＣＰＵ７０に入力され、同時に、オペレータが、包装硬貨ロールＣを取り出した包装硬貨収納ボックスに対応する包装硬貨センサから、包装硬貨検出信号が入力されなくなるから、ＣＰＵ７０は、収納されていた包装硬貨ロールＣが取り出された包装硬貨収納ボックスについてのデータを記憶するＲＡＭ７２のメモリ領域に書き込まれた包装硬貨ロール収納データを消去する。
【０２１６】
次いで、ＣＰＵ７０は、包装硬貨ロール収納データを消去した包装硬貨収納ボックスの中から、ＲＯＭ７１に記憶された包装硬貨収納ボックス選択用データにしたがって、新たに、包装硬貨ロールＣを収納すべき包装硬貨収納ボックスを選択し、その包装硬貨収納ボックスについてのデータが格納されるＲＡＭ７２のメモリ領域に、その包装硬貨収納ボックスに、包装硬貨ロールＣを収納する旨のデータを、包装硬貨ロール収納データとして書き込み、アラーム手段１０６にアラームを発生させるとともに、それまで、包装硬貨ロールＣを収納していた包装硬貨収納ボックスに代えて、選択した包装硬貨収納ボックス内に、包装硬貨ロールＣを収納すべき旨のメッセージを、ディスプレイパネル１０５に表示させる。
【０２１７】
これに対して、オペレータが、第一の下部包装硬貨収納ボックス４１、第二の下部包装硬貨収納ボックス４１および上部包装硬貨収納ボックス４５のいずれからも、収納されている包装硬貨ロールＣを取り出さず、操作部１００に、スタート信号が入力されないときは、ＣＰＵ７０は、オペレータが、少なくとも、第一の下部包装硬貨収納ボックス４１、第二の下部包装硬貨収納ボックス４１および上部包装硬貨収納ボックス４５のいずれかから、収納されている包装硬貨ロールＣを取り出し、操作部１００にスタート信号が入力されるまで、硬貨の包装処理を中断させる。
【０２１８】
一方、改めて選択した包装硬貨収納ボックスに対応する包装硬貨センサから、包装硬貨検出信号が入力されていないと判定したときは、ＣＰＵ７０は、アラーム手段１０６にアラームを発生させるとともに、改めて選択した包装硬貨収納ボックス内に、包装硬貨ロールＣを収納すべき旨を、ディスプレイパネル１０５に表示させる。
【０２１９】
これに対して、オペレータが、操作部１００の所定のキーを操作して、ディスプレイパネル１０５に表示された包装硬貨収納ボックス内に、包装硬貨ロールＣを収納することに同意しない旨を、操作部１００に入力したときは、改めて選択した包装硬貨収納ボックスに対応する包装硬貨センサから、包装硬貨検出信号が入力されている場合と同様に、硬貨包装機には、硬貨包装ロールＣを収納することができる包装硬貨収納ボックスは残されておらず、硬貨の包装を続行することは不可能であるから、ＣＰＵ７０は、硬貨の包装処理を中断させ、アラーム手段１０６にアラームを発生させるとともに、少なくとも、第一の下部包装硬貨収納ボックス４１、第二の下部包装硬貨収納ボックス４１および上部包装硬貨収納ボックス４５のいずれかから、収納されている包装硬貨ロールＣを取り出すべき旨をオペレータに促すメッセージを、ディスプレイパネル１０５に表示させる。
【０２２０】
一方、オペレータが、操作部１００の所定のキーを操作して、ディスプレイパネル１０５に表示された包装硬貨収納ボックス内に、包装硬貨ロールＣを収納することに同意する旨を、操作部１００に入力したとき、あるいは、改めて選択した包装硬貨収納ボックス内に、包装硬貨ロールＣを収納すべき旨が、ディスプレイパネル１０５に表示されてから、所定時間内に、オペレータが、操作部１００に何の信号も入力しないときは、ＣＰＵ７０は、改めて選択した包装硬貨収納ボックスを、新たに、包装硬貨ロールＣを収納すべき包装硬貨収納ボックスとして、決定し、その包装硬貨収納ボックスについてのデータが格納されるＲＡＭ７２のメモリ領域に、その包装硬貨収納ボックスに、包装硬貨ロールＣを収納する旨のデータを、包装硬貨ロール収納データとして書き込み、アラーム手段１０６にアラームを発生させるとともに、それまで、包装硬貨ロールＣを収納していた包装硬貨収納ボックスに代えて、改めて選択した包装硬貨収納ボックス内に、包装硬貨ロールＣを収納すべき旨のメッセージを、改めて、ディスプレイパネル１０５に表示させる。
【０２２１】
これに対して、ＲＯＭ７１に記憶された包装硬貨収納ボックス選択用データにしたがって、それまで、包装硬貨ロールＣを収納させていた包装硬貨収納ボックスに代えて、新たに、包装硬貨ロールＣを収納させるべき包装硬貨収納ボックスを選択し、選択した包装硬貨収納ボックスに対応する包装硬貨センサから、包装硬貨検出信号が入力されているか否かを判定した結果、選択した包装硬貨収納ボックスに対応する包装硬貨センサから、包装硬貨検出信号が入力されていないと判定したときは、ＣＰＵ７０は、アラーム手段１０６にアラームを発生させるとともに、選択した包装硬貨収納ボックス内に、包装硬貨ロールＣを収納すべき旨を提案するメッセージを、ディスプレイパネル１０５に表示させる。
【０２２２】
ＣＰＵ７０の提案に対し、オペレータが、操作部１００の所定のキーを操作して、操作部１００に同意しない旨を入力したときは、その包装硬貨収納ボックスに対応する包装硬貨センサから、包装硬貨検出信号が入力されていた場合と同様にして、ＣＰＵ７０は、ＲＯＭ７１に記憶された包装硬貨収納ボックス選択用データにしたがって、それまで、包装硬貨ロールＣを収納させていた包装硬貨収納ボックスおよび選択した包装硬貨収納ボックス以外の包装硬貨収納ボックスを改めて選択する。
【０２２３】
これに対して、ＣＰＵ７０の提案に対し、オペレータが、操作部１００の所定のキーを操作して、同意する旨を、操作部１００に入力したとき、あるいは、所定時間内に、オペレータが、操作部１００に何の信号も入力しないときは、ＣＰＵ７０は、その包装硬貨収納ボックスを、新たに、包装硬貨ロールＣを収納すべき包装硬貨収納ボックスとして、決定し、その包装硬貨収納ボックスについてのデータが格納されるＲＡＭ７２のメモリ領域に、その包装硬貨収納ボックスに、包装硬貨ロールＣを収納する旨のデータを、包装硬貨ロール収納データとして書き込み、アラーム手段１０６にアラームを発生させるとともに、それまで、包装硬貨ロールＣを収納していた包装硬貨収納ボックスに代えて、提案をした包装硬貨収納ボックス内に、包装硬貨ロールＣを収納すべき旨のメッセージを、改めて、ディスプレイパネル１０５に表示させる。
【０２２４】
こうして、新たに、包装硬貨ロールＣを収納すべき包装硬貨収納ボックスが決定されると、ＣＰＵ７０は、決定した包装硬貨収納ボックスに応じて、包装硬貨搬送部材６３を所定の位置に位置させて、硬貨の包装処理を再開し、次々に、包装すべき金種の硬貨が包装されて、所定枚数の包装すべき金種の硬貨を含む包装硬貨ロールＣが生成され、その包装硬貨収納ボックス内に収納される。
【０２２５】
次々に、包装すべき金種の硬貨が包装されて、所定枚数の包装すべき金種の硬貨を含む包装硬貨ロールＣが生成され、新たな包装硬貨収納ボックス内に収納された結果、再び、その包装硬貨収納ボックスに対応する包装硬貨センサから、包装硬貨検出信号がＣＰＵ７０に入力されたときは、上述したのと同様にして、再び、新たに、包装硬貨ロールＣを収納すべき包装硬貨収納ボックスが決定され、硬貨の包装処理ならびに包装硬貨ロールＣの生成処理および包装硬貨収納ボックスへの収納処理が続行される。
【０２２６】
こうして、次々に、包装すべき金種の硬貨が包装され、所定枚数の包装すべき金種の硬貨を含む包装硬貨ロールＣが生成されて、所定の包装硬貨収納ボックス内に収納され、硬貨包装機内に投入された硬貨がすべて、硬貨回収ボックス３１、下部ホッパ４５、硬貨集積部１０および端数硬貨回収ボックス５５内に送られたと判定すると、ＣＰＵ７０は、ＲＡＭ７２にアクセスして、オペレータによって、第一の包装処理モードが指定されていると判定した場合には、第一の回転円板モータ８０、第二の回転円板モータ８１および搬送ベルトモータ８２に、それぞれ、駆動停止信号を出力して、第一の回転円板２および第二の回転円板３の回転を停止させるとともに、搬送ベルト５の駆動を停止させて、硬貨包装機に投入された硬貨の包装処理を終了させる。
【０２２７】
硬貨の包装処理が終了すると、オペレータによって、第一の下部包装硬貨収納ボックス４１、第二の下部包装硬貨収納ボックス４２および／または上部包装硬貨収納ボックス４５が、硬貨包装機から引き出されて、第一の下部包装硬貨収納ボックス４１、第二の下部包装硬貨収納ボックス４２および／または上部包装硬貨収納ボックス４５内に収納された包装硬貨ロールＣが、オペレータによって取り出され、端数硬貨回収ボックス５５が、硬貨包装機から引き出されて、端数硬貨回収ボックス５５内に回収された包装すべき金種の端数硬貨は、オペレータによって回収される。
【０２２８】
さらに、オペレータによって、下部ホッパ４５が、硬貨包装機から引き出されて、下部ホッパ４５内に回収された包装すべき金種以外の金種の受け入れ可能な硬貨が回収され、硬貨回収ボックス３１が、硬貨包装機から引き出され、硬貨回収ボックス３１内に回収された偽装硬貨や外国硬貨などの受け入れ不能な硬貨が、受け入れ可能な硬貨と別個に回収される。
【０２２９】
これに対して、オペレータによって、第二の包装処理モードが指定されている場合には、硬貨包装機によって、さらに、オペレータが、包装すべき金種の硬貨として指定した以外の金種の硬貨が包装され、生成された包装硬貨ロールＣが、包装硬貨ロールＣが収納されていない包装硬貨収納ボックス内に収納される。
【０２３０】
すなわち、ＣＰＵ７０は、ＲＡＭ７２にアクセスして、まず、オペレータによって包装すべき金種として指定された金種以外の金種の受け入れ可能な硬貨で、検出された枚数が最も多かった金種の硬貨を選択して、次に、包装すべき金種の硬貨として決定し、ＲＡＭ７２に書き込み、アラーム手段１０６にアラームを発生させるとともに、二番目に包装すべき硬貨の金種を、ディスプレイパネル１０５に表示させる。
【０２３１】
次いで、ＣＰＵ７０は、第一の下部包装硬貨収納ボックス４１、第二の下部包装硬貨収納ボックス４２および上部包装硬貨収納ボックス４５についてのデータを記憶しているＲＡＭ７２のメモリ領域にアクセスして、そのメモリ領域に書き込まれた包装硬貨ロール収納データを読み出し、包装硬貨ロールＣが収納されていない包装硬貨収納ボックスを検出して、ＲＯＭ７１に記憶されている包装硬貨収納ボックス選択用データにしたがって、二番目に包装すべき金種の硬貨の包装硬貨ロールＣを収納すべき包装硬貨収納ボックスを選択する。
【０２３２】
こうして、二番目に包装すべき金種の硬貨の包装硬貨ロールＣを収納すべき包装硬貨収納ボックスを選択すると、ＣＰＵ７０は、アラーム手段１０６にアラームを発生させるとともに、選択した包装硬貨収納ボックス内に、二番目に包装すべき金種の硬貨の包装硬貨ロールＣを収納すべき旨を、ディスプレイパネル１０５に表示させる。
【０２３３】
これに対して、オペレータが、操作部１００の所定のキーを操作して、ディスプレイパネル１０５に表示された包装硬貨収納ボックス内に、二番目に包装すべき金種の硬貨の包装硬貨ロールＣを収納することに同意しない旨を、操作部１００に入力したときは、ＣＰＵ７０は、包装硬貨ロールＣが収納されていない別の包装硬貨収納ボックスを、二番目に包装すべき金種の硬貨の包装硬貨ロールＣを収納すべき包装硬貨収納ボックスとして、再選択し、アラーム手段１０６にアラームを発生させるとともに、再選択した包装硬貨収納ボックス内に、二番目に包装すべき金種の硬貨の包装硬貨ロールＣを収納すべき旨を提案するメッセージを、ディスプレイパネル１０５に表示させる。
【０２３４】
これに対し、オペレータが、操作部１００の所定のキーを操作して、再選択した包装硬貨収納ボックス内に、二番目に包装すべき金種の硬貨の包装硬貨ロールＣを収納することに同意しない旨を、操作部１００に入力したときは、硬貨包装機には、この他に、包装硬貨ロールＣを収納することができる包装硬貨収納ボックスは残されておらず、硬貨の包装を続行することは不可能であるから、ＣＰＵ７０は、アラーム手段１０６にアラームを発生させ、さらに、この包装硬貨収納ボックスの他には、包装硬貨ロールＣを収納することができる包装硬貨収納ボックスが存在しない旨を、ディスプレイパネル１０５に表示させるとともに、オペレータに再考を求めるメッセージを、ディスプレイパネル１０５に表示させる。
【０２３５】
その結果、オペレータが、操作部１００の所定のキーを操作して、ＣＰＵ７０によって再提案された包装硬貨収納ボックスに、包装硬貨ロールＣを収納することに同意したとき、あるいは、ＣＰＵ７０の再提案に対して、所定時間内に、オペレータが、操作部１００に何の信号も入力しなかったときは、ＣＰＵ７０は、その包装硬貨収納ボックスを、二番目に、包装硬貨ロールＣを収納すべき包装硬貨収納ボックスとして、決定し、アラーム手段１０６にアラームを発生させるとともに、その包装硬貨収納ボックスに、包装硬貨ロールＣを収納すべき旨のメッセージを、改めて、ディスプレイパネル１０５に表示させる。
【０２３６】
一方、オペレータが、操作部１００の所定のキーを操作して、依然として、再提案された包装硬貨収納ボック内に、包装硬貨ロールＣを収納することに同意しない旨を、操作部１００に入力したときは、ＣＰＵ７０は、硬貨の包装処理を中断させ、アラーム手段１０６にアラームを発生させるとともに、包装硬貨ロールＣが収納されている包装硬貨収納ボックスから、包装硬貨ロールＣを取り出すべき旨をオペレータに促すメッセージを、ディスプレイパネル１０５に表示させる。
【０２３７】
これに対して、オペレータが、それまで、包装硬貨ロールＣが収納されていた包装硬貨収納ボックスを、硬貨包装機から引き出して、収納されている包装硬貨ロールＣを取り出し、その包装硬貨収納ボックスを硬貨包装機にセットした後に、操作部１００の所定のキーを操作して、スタート信号を入力すると、スタート信号がＣＰＵ７０に入力され、ＣＰＵ７０は、その包装硬貨収納ボックスについてのデータを記憶するＲＡＭ７２のメモリ領域に書き込まれた包装硬貨ロール収納データを消去し、その包装硬貨収納ボックスに、二番目に包装すべき金種の硬貨の包装硬貨ロールＣが収納される旨を、包装硬貨ロール収納データとして、書き込み、その包装硬貨収納ボックスを、新たに、包装硬貨ロールＣを収納すべき包装硬貨収納ボックスとして、決定する。
【０２３８】
次いで、ＣＰＵ７０は、アラーム手段１０６にアラームを発生させるとともに、その包装硬貨収納ボックスに、包装硬貨ロールＣを収納すべき旨のメッセージを、改めて、ディスプレイパネル１０５に表示させる。
【０２３９】
これに対して、オペレータが、包装硬貨ロールＣが収納されている包装硬貨収納ボックスから、包装硬貨ロールＣを取り出さず、操作部１００にスタート信号が入力されないときは、ＣＰＵ７０は、オペレータが、包装硬貨ロールＣが収納されている包装硬貨収納ボックスから、包装硬貨ロールＣを取り出し、操作部１００にスタート信号が入力されるまで、硬貨の包装処理を中断させる。
【０２４０】
一方、オペレータが、操作部１００の所定のキーを操作して、ＣＰＵ７０によって、最初に選択され、ディスプレイパネル１０５に表示された包装硬貨収納ボックス内に、二番目に包装すべき金種の硬貨の包装硬貨ロールＣを収納すべき旨に同意したとき、あるいは、ＣＰＵ７０の提案に対して、所定時間内に、オペレータが、操作部１００に何の信号も入力しなかったときは、ＣＰＵ７０は、その包装硬貨収納ボックスを、包装硬貨ロールＣを収納すべき包装硬貨収納ボックスとして、決定し、その包装硬貨収納ボックスについてのデータを記憶するＲＡＭ７２のメモリ領域に、二番目に包装すべき金種の硬貨の包装硬貨ロールＣを収納する旨を、包装硬貨ロール収納データとして、書き込み、アラーム手段１０６にアラームを発生させるとともに、その包装硬貨収納ボックスに、包装硬貨ロールＣを収納すべき旨のメッセージを、改めて、ディスプレイパネル１０５に表示させる。
【０２４１】
こうして、二番目に包装すべき金種の硬貨の包装硬貨ロールＣを収納すべき包装硬貨収納ボックスが決定されると、ＣＰＵ７０は、下部搬送ベルトモータ９４、リフトモータ９５および供給ベルトモータ９６に駆動信号を出力して、搬送ベルト３６、硬貨リフトベルト３７および供給ベルト３８を駆動させる。
【０２４２】
その結果、下部ホッパ３５内に回収されたオペレータが、包装すべき金種の硬貨として指定した以外の金種の硬貨は、下部ホッパ３５の底部を形成する搬送ベルト３６によって、硬貨リフトベルト３７に受け渡される。
【０２４３】
搬送ベルト３６から、硬貨リフトベルト３７に受け渡された硬貨は、それぞれ、硬貨リフトベルト３７に設けられた櫛歯状の突起３７ａによって、その下縁が係止され、硬貨リフトベルト３７の面に、硬貨面が沿った状態で、下部ホッパ３５から上部ホッパ１に向けて搬送される。
【０２４４】
硬貨リフトベルト３７が駆動されるのにともなって、硬貨リフトベルト３７に受け渡された硬貨は、それぞれ、上方に送られ、硬貨リフトベルト３７の上端部近傍に設けられたスクレイパープレート（図示せず）によって、硬貨リフトベルト３７から掻き落とされ、供給ベルト３８上に落下する。
【０２４５】
こうして、供給ベルト３８上に落下した硬貨は、供給ベルト３８によって、それぞれ、上部ホッパ１内に供給され、上部ホッパ１の開口部１ａを介して、第一の回転円板２上に落下する。
【０２４６】
第一の回転円板２上に落下した硬貨は、第一の回転円板２の回転によって生じた遠心力によって、第二の回転円板３上に送られる。
【０２４７】
第二の回転円板３内に送り込まれた硬貨は、第二の回転円板３の回転により生じた遠心力により、環状のガイドに沿って移動し、環状のガイドに設けられた送出口（図示せず）から、硬貨通路４内に、１枚ずつ、送り出される。
【０２４８】
第二の回転円板３から硬貨通路４に送り出された硬貨は、硬貨通路４の上面と搬送ベルト５との間に挟持されつつ、硬貨通路４内を移送される。
【０２４９】
硬貨は、方向転換部４ａにおいて、硬貨包装機の本体に沿って、略９０度にわたって、その搬送方向を変えた後、方向転換部４ａの下流側の硬貨通路４に設けられた硬貨検出部７に送られる。
【０２５０】
硬貨判別部７によって、硬貨の光学データおよび材質データが検出され、硬貨判別部７によって、検出された硬貨の光学データおよび材質データは、硬貨判別部７から、ＣＰＵ７０に出力される。
【０２５１】
ＣＰＵ７０は、硬貨判別部７から、硬貨の光学データおよび材質データを受けると、ＲＯＭ７１に、金種別に記憶されている硬貨の基準光学データおよび基準材質データを読み出して、硬貨判別部７から入力された硬貨の光学データおよび材質データと比較し、その硬貨が、受け入れ可能な硬貨か、偽造硬貨や外国硬貨などの受け入れ不能な硬貨かを判別し、受け入れ可能な硬貨であると判別したときは、さらに、その硬貨の金種を判別し、判別結果をＲＡＭ７２に書き込む。
【０２５２】
二番目に包装すべき金種の硬貨の包装硬貨ロールＣを生成する場合には、硬貨包装機に投入された硬貨のうち、偽造硬貨や外国硬貨などの受け入れ不能な硬貨は、すでに硬貨回収ボックスに回収されているので、ＣＰＵ７０によって、その硬貨は、受け入れ可能な硬貨と判別され、その硬貨の金種が判別されて、判別結果がＲＡＭ７２に書き込まれる。
【０２５３】
硬貨が、さらに、硬貨通路４内を下流側に向けて搬送され、センサ８ａによって、その硬貨が検出されると、センサ８ａから、硬貨検出信号がＣＰＵ７０に出力される。
【０２５４】
二番目に包装すべき金種の硬貨の包装硬貨ロールＣを生成する場合には、硬貨包装機に投入された硬貨のうち、偽造硬貨や外国硬貨などの受け入れ不能な硬貨は、すでに硬貨回収ボックスに回収されているので、ＣＰＵ７０は、センサ８ａから、硬貨検出信号が入力されても、何の信号も出力せず、硬貨は、第一の硬貨回収口８を通過して、センサ８ｂによって、検出される。
【０２５５】
センサ８ｂが、硬貨を検出すると、硬貨検出信号がＣＰＵ７０に出力される。
【０２５６】
ＣＰＵ７０は、センサ８ｂから、硬貨検出信号を受けると、ＲＡＭ７２に書き込まれたその硬貨の判別結果を読み出し、その硬貨の金種に対応するＲＡＭ７２のメモリ領域に、センサ８ｂによって検出された硬貨の枚数を書き込む。
【０２５７】
硬貨は、さらに、硬貨通路４内を下流側に向けて搬送され、センサ９ａによって、その硬貨が検出されると、センサ９ａから、硬貨検出信号がＣＰＵ７０に出力される。
【０２５８】
ＣＰＵ７０は、センサ９ａから、硬貨検出信号を受けると、ＲＡＭ７２に記憶されたその硬貨の判別結果を読み出すとともに、ＲＡＭ７２に記憶された包装すべき硬貨の金種を読み出す。
【０２５９】
ＣＰＵ７０は、ＲＡＭ７２に記憶されたその硬貨の判別結果と、ＲＡＭ７２に記憶された包装すべき硬貨の金種とに基づき、その硬貨の金種が、二番目に包装すべき硬貨の金種と一致するか否かを判定する。
【０２６０】
その硬貨の金種が、二番目に包装すべき硬貨の金種と一致するか否かを判定した結果、その硬貨の金種が、包装すべき硬貨の金種と一致しないと判定したときは、ＣＰＵ７０は、第二のソレノイド８４に駆動信号を出力して、第二の突出部材９ｄを、ガイドレール６ｃ内に退避した退避位置から、硬貨通路４内に突出した突出位置に回動させる。
【０２６１】
その結果、その金種が、二番目に包装すべき硬貨の金種と一致しないと判定された硬貨は、第二の突出部材９ｄによって、ガイドレール６ｂに向けて押され、ガイドレール６ｃの内壁から離れ、ガイドレール６ｃの内壁によってガイドされない状態で、第二の硬貨回収口９に送られる。
【０２６２】
第二の硬貨回収口９は、ガイドレール６ｃの内壁と、突出位置にある第二の突出部材９ｄの先端部との距離Ｌ５が、ガイドレール６ｃの内壁と、第二の硬貨回収口９のガイドレール６ｃ側の縁部との距離Ｌ６よりもわずかに大きくなるように、形成されているから、その金種が、二番目に包装すべき硬貨の金種と一致しないと判定された硬貨は、そのガイドレール６ｃ側の縁部が、ガイドレール６ｃと第二の硬貨回収口９との間の硬貨通路４の上面で支持されなくなり、第二の硬貨回収口９内に落下し、第二の硬貨回収口９に接続された第二の硬貨回収通路３２を介して、下部ホッパ３５内に回収される。
【０２６３】
これに対して、センサ８ａによって検出された硬貨の金種が、二番目に包装すべき硬貨の金種と一致している判別されていたときは、ＣＰＵ７０は何の信号も出力しない。
【０２６４】
その結果、その金種が、二番目に包装すべき硬貨の金種と一致していると判定された硬貨は、両縁部が、ガイドレール６ｃと第二の硬貨回収口９との間の硬貨通路４の上面および第二の硬貨回収口９とガイドレール６ｂとの間の硬貨通路４の上面によって支持されつつ、第二の硬貨回収口９に送られ、第二の硬貨回収口９は、ガイドレール６ｃの内壁と、第二の硬貨回収口９のガイドレール６ｂ側の縁部との距離Ｌ４が、処理すべき最小径の硬貨の径よりもわずかに小さくなるように形成されているから、硬貨は、第二の硬貨回収口９内に落下することなく、第二の硬貨回収口９を通過する。
【０２６５】
硬貨回収口９を通過した硬貨Ｃは、センサ９ｂ上を通過して、センサ９ｂによって、検出される。
【０２６６】
センサ９ｂが、硬貨を検出すると、硬貨検出信号がＣＰＵ７０に出力される。
【０２６７】
ＣＰＵ７０は、センサ９ｂから、硬貨検出信号を受けると、ＲＡＭ７２に書き込まれたその硬貨の判別結果を読み出して、その硬貨の金種、すなわち、二番目に包装すべき硬貨の金種に対応するＲＡＭ７２のメモリ領域に、センサ９ｂによって検出された硬貨の枚数を書き込む。
【０２６８】
二番目に包装すべき金種の硬貨は、さらに、硬貨通路４内を、硬貨通路４の終端部に向けて、下流側に送られる。
【０２６９】
硬貨通路４の終端部に達した二番目に包装すべき金種の硬貨は、硬貨通路４の終端部に接続された硬貨集積部１０に送られる。
【０２７０】
硬貨集積部１０に送られた二番目に包装すべき金種の硬貨は、オペレータによって、包装すべき金種の硬貨として指定された硬貨と同様にして、集積されて、所定枚数の集積硬貨が生成される。
【０２７１】
生成された集積硬貨は、オペレータによって、包装すべき金種の硬貨として指定された硬貨と同様にして、硬貨包装部２０に送られて、包装ローラ２１、２１、２１によって、その周囲に包装用フイルムが巻回され、集積硬貨に巻回された包装用フイルムの上下端部が加締められて、二番目に包装すべき金種の硬貨の包装硬貨ロールＣが生成される。
【０２７２】
こうして、生成された包装硬貨ロールＣは、包装硬貨分配手段５１によって、第一の下部包装硬貨収納ボックス４１、第二の下部包装硬貨収納ボックス４２および上部包装硬貨収納ボックス４５のうち、二番目に包装すべき金種の硬貨の包装処理に先立って、二番目に包装すべき金種の硬貨の包装硬貨ロールＣを収納すべき包装硬貨収納ボックスとして決定された包装硬貨収納ボックスに向けて、送られて、収納される。
【０２７３】
その結果、二番目に包装すべき金種の硬貨の包装硬貨ロールＣは、オペレータによって指定された包装すべき金種の硬貨の包装硬貨ロールＣとは、異なる包装硬貨収納ボックス内に収納される。
【０２７４】
こうして、次々に、二番目に包装すべき金種の硬貨が包装されて、包装硬貨ロールＣが生成され、オペレータによって指定された包装すべき金種の硬貨の包装完了後に、下部ホッパ４５から、上部ホッパ１を介して、第二の回転円板３に送られたすべての硬貨が、下部ホッパ４５および硬貨集積部１０内に送られた時点で、ＲＡＭ７２に書き込まれた二番目に包装すべき金種の硬貨の枚数が、包装すべき所定枚数に満たなくなったと判定したときは、硬貨集積部１０で集積された二番目に包装すべき金種の硬貨が、硬貨包装部２０に移送されるのに先立って、ＣＰＵ７０は、分配手段モータ９２に第一の駆動信号を出力して、包装硬貨分配手段５１の第一の包装硬貨支持部材５３を、図７に示された包装硬貨支持位置から、図７および図８において、支軸５２まわりに、時計方向に約１００度ないし１１０度にわたって、揺動させる。
【０２７５】
その結果、包装すべき所定枚数に満たない端数硬貨は、硬貨包装部２０から、シュート５０に送られ、包装硬貨分配手段５１の第一の包装硬貨支持部材５３によって支持されることなく、包装硬貨分配手段５１を通過し、ガイド板５６を介して、包装硬貨分配手段５１の下方に設けられた端数硬貨回収ボックス５５内に回収される。
【０２７６】
一方、次々に、二番目に包装すべき金種の硬貨を包装して、包装硬貨ロールＣを生成し、選択された包装硬貨収納ボックス内に収納させた結果、それまで、包装硬貨ロールＣを収納させていた第一の下部包装硬貨収納ボックス４１、第二の下部包装硬貨収納ボックス４２あるいは上部包装硬貨収納ボックス４５内に収納された包装硬貨ロールＣの一部が、第一の下部包装硬貨収納ボックス４１の開口部４１ａ、第二の下部包装硬貨収納ボックス４２の開口部４２ａあるいは包装硬貨リフト６０の上部開口部６５内に存在するようになり、第一の下部包装硬貨収納ボックス４１、第二の下部包装硬貨収納ボックス４２あるいは上部包装硬貨収納ボックス４５に対応する第一の包装硬貨センサ４１ｂ、第二の包装硬貨センサ４２ｂあるいは上部包装硬貨センサ６６から、包装硬貨検出信号がＣＰＵ７０に入力されたときは、その包装硬貨収納ボックス内に、さらに、包装硬貨ロールＣを収納させると、包装硬貨ロールＣのジャミングが生じ、これ以上、その包装硬貨収納ボックス内に、包装硬貨ロールＣを収納させることができないと判定されるから、ＣＰＵ７０は、ＲＯＭ７１に記憶された包装硬貨収納ボックス選択用データにしたがって、それまで、包装硬貨ロールＣを収納させていた包装硬貨収納ボックスに代えて、新たに包装硬貨ロールＣを収納させるべき包装硬貨収納ボックスを選択する。
【０２７７】
すなわち、ＣＰＵ７０は、第一の下部包装硬貨収納ボックス４１、第二の下部包装硬貨収納ボックス４２あるいは上部包装硬貨収納ボックス４５のうち、包装硬貨検出信号が入力されている包装硬貨センサに対応する包装硬貨収納ボックスを除く包装硬貨収納ボックスについてのデータが格納されたＲＡＭ７２のメモリ領域に、順次、アクセスして、対応する包装硬貨収納ボックス内に、すでに包装硬貨ロールＣが収納されているか否かを判定し、包装硬貨ロールＣが収納されていない包装硬貨収納ボックスを有無を判定する。
【０２７８】
その結果、包装硬貨ロールＣが収納されていない包装硬貨収納ボックスが複数存在すると判定したときは、ＣＰＵ７０は、ＲＯＭ７１に記憶された包装硬貨収納ボックス選択用データにしたがって、新たに包装硬貨ロールＣを収納させるべき包装硬貨収納ボックスを選択する。
【０２７９】
新たに包装硬貨ロールＣを収納させるべき包装硬貨収納ボックスを選択すると、ＣＰＵ７０は、アラーム手段１０６にアラームを発生させるとともに、それまで、包装硬貨ロールＣを収納させていた包装硬貨収納ボックスには、これ以上、包装硬貨ロールＣを収納させることは不可能で、それまで、包装硬貨ロールＣを収納させていた包装硬貨収納ボックスに代えて、選択した包装硬貨収納ボックスに、新たに、包装硬貨ロールＣを収納すべき旨を提案するメッセージを、ディスプレイパネル１０５に表示させる。
【０２８０】
ディスプレイパネル１０５に表示されたメッセージに基づいて、オペレータが、操作部１００の所定のキーを操作して、ＣＰＵ７０の提案に同意する旨を入力したとき、あるいは、ディスプレイパネル１０５に表示されたメッセージに対して、オペレータが、所定時間内に、操作部１００に何の信号も入力しなかったときは、ＣＰＵ７０は、選択した包装硬貨収納ボックスを、新たに、包装硬貨ロールＣを収納すべき包装硬貨収納ボックスとして、決定し、選択した包装硬貨収納ボックスについてのデータを記憶するＲＡＭ７２のメモリ領域に、オペレータによって指定された金種の硬貨の包装硬貨ロールＣが収納される旨を、包装硬貨ロール収納データとして、書き込む。
【０２８１】
これに対して、オペレータが、操作部１００の所定のキーを操作して、ＣＰＵ７０から提案された包装硬貨収納ボックス内に、包装硬貨ロールＣを収納することに同意しない旨を、操作部１００に入力したときは、ＣＰＵ７０は、ＲＯＭ７１に記憶された包装硬貨収納ボックス選択用データにしたがって、それまで、包装硬貨ロールＣを収納させていた包装硬貨収納ボックスおよびオペレータが同意しなかった包装硬貨収納ボックス以外の包装硬貨収納ボックスで、包装硬貨ロールＣが収納されていない包装硬貨収納ボックスを、新たに、包装硬貨ロールＣを収納すべき包装硬貨収納ボックスとして、選択し、アラーム手段１０６にアラームを発生させるとともに、それまで、包装硬貨ロールＣを収納させていた包装硬貨収納ボックスに代えて、再選択した包装硬貨収納ボックスに、包装硬貨ロールＣを収納すべき旨を提案するメッセージを、ディスプレイパネル１０５に表示させる。
【０２８２】
その結果、オペレータが、操作部１００の所定のキーを操作して、ＣＰＵ７０により再提案された包装硬貨収納ボックスに、包装硬貨ロールＣを収納することに同意する旨を、操作部１００に入力したとき、あるいは、ＣＰＵ７０の再提案に対して、オペレータが、所定時間内に、操作部１００に何の信号も入力しなかったときは、ＣＰＵ７０は、その包装硬貨収納ボックスについてのデータを記憶するＲＡＭ７２のメモリ領域に、オペレータによって指定された金種の硬貨の包装硬貨ロールＣが収納される旨を、包装硬貨ロール収納データとして、書き込み、アラーム手段１０６にアラームを発生させるとともに、その包装硬貨収納ボックスに、包装硬貨ロールＣを収納すべき旨のメッセージを、改めて、ディスプレイパネル１０５に表示させる。
【０２８３】
これに対して、オペレータが、操作部１００の所定のキーを操作して、ＣＰＵ７０から再提案された包装硬貨収納ボックスに、包装硬貨ロールＣを収納することに同意しない旨を、操作部１００に入力したときは、硬貨包装機には、さらに、包装硬貨ロールＣを収納することができる包装硬貨収納ボックスは残されておらず、硬貨の包装を続行することは不可能であるから、ＣＰＵ７０は、アラーム手段１０６にアラームを発生させ、さらに、この包装硬貨収納ボックスの他には、包装硬貨ロールＣを収納することができる包装硬貨収納ボックスが存在しない旨を、ディスプレイパネル１０５に表示させるとともに、オペレータに再考を求めるメッセージを、ディスプレイパネル１０５に表示させる。
【０２８４】
その結果、オペレータが、操作部１００の所定のキーを操作して、ＣＰＵ７０により再提案された包装硬貨収納ボックスに、包装硬貨ロールＣを収納することに同意する旨を、操作部１００に入力したとき、あるいは、ＣＰＵ７０の再提案に対して、オペレータが、所定時間内に、操作部１００に何の信号も入力しなかったときは、ＣＰＵ７０は、その包装硬貨収納ボックスについてのデータを記憶するＲＡＭ７２のメモリ領域に、オペレータによって指定された金種の硬貨の包装硬貨ロールＣが収納される旨を、包装硬貨ロール収納データとして、書き込み、アラーム手段１０６にアラームを発生させるとともに、その包装硬貨収納ボックスに、包装硬貨ロールＣを収納すべき旨のメッセージを、改めて、ディスプレイパネル１０５に表示させる。
【０２８５】
これに対して、オペレータが、操作部１００の所定のキーを操作して、依然として、ＣＰＵ７０により再提案された包装硬貨収納ボックスに、包装硬貨ロールＣを収納することに同意しない旨を、操作部１００に入力したときは、ＣＰＵ７０は、硬貨の包装処理を中断させ、アラーム手段１０６にアラームを発生させるとともに、それまで、包装硬貨ロールＣを収納してきた包装硬貨収納ボックスから、包装硬貨ロールＣを取り出すべき旨をオペレータに促すメッセージを、ディスプレイパネル１０５に表示させる。
【０２８６】
ディスプレイパネル１０５に表示されたＣＰＵ７０のメッセージに対して、オペレータが、それまで、包装硬貨ロールＣを収納してきた包装硬貨収納ボックスを、硬貨包装機から引き出して、収納されている包装硬貨ロールＣを取り出し、その包装硬貨収納ボックスを硬貨包装機にセットした後、操作部１００の所定のキーを操作し、スタート信号を入力すると、スタート信号はＣＰＵ７０に入力され、同時に、オペレータが、包装硬貨ロールＣを取り出した包装硬貨収納ボックスに対応する包装硬貨センサから、包装硬貨検出信号が入力されなくなるから、ＣＰＵ７０は、その包装硬貨収納ボックスについてのデータを記憶するＲＡＭ７２のメモリ領域に書き込まれた包装硬貨ロール収納データを消去し、改めて、その包装硬貨収納ボックスに、オペレータによって指定された金種の硬貨の包装硬貨ロールＣが収納される旨のデータを書き込むとともに、アラーム手段１０６にアラームを発生させ、引き続き、それまで、包装硬貨ロールＣを収納してきた包装硬貨収納ボックス内に、包装硬貨ロールＣを収納する旨のメッセージを、ディスプレイパネル１０５に表示させる。
【０２８７】
これに対して、オペレータが、それまで、包装硬貨ロールＣを収納してきた包装硬貨収納ボックスに収納されている包装硬貨ロールＣを取り出さず、操作部１００にスタート信号が入力されないときは、ＣＰＵ７０は、オペレータが、それまで、包装硬貨ロールＣを収納してきた包装硬貨収納ボックスに収納されている包装硬貨ロールＣを取り出し、操作部１００にスタート信号が入力されるまで、硬貨の包装処理を中断させる。
【０２８８】
一方、包装硬貨ロールＣが収納されていない包装硬貨収納ボックスが１つしか存在しないと判定したときは、ＣＰＵ７０は、その包装硬貨収納ボックスを、新たに包装硬貨ロールＣを収納させるべき包装硬貨収納ボックスとして、選択し、アラーム手段１０６にアラームを発生させるとともに、それまで、包装硬貨ロールＣを収納させていた包装硬貨収納ボックスには、これ以上、包装硬貨ロールＣを収納させることは不可能で、それまで、包装硬貨ロールＣを収納させていた包装硬貨収納ボックスに代えて、選択した包装硬貨収納ボックスに、新たに、包装硬貨ロールＣを収納すべき旨を提案するメッセージを、ディスプレイパネル１０５に表示させる。
【０２８９】
ディスプレイパネル１０５に表示されたメッセージに基づいて、オペレータが、操作部１００の所定のキーを操作して、ＣＰＵ７０の提案に同意する旨を入力したとき、あるいは、ディスプレイパネル１０５に表示されたメッセージに対して、オペレータが、所定時間内に、操作部１００に何の信号も入力しなかったときは、ＣＰＵ７０は、選択した包装硬貨収納ボックスを、新たに、包装硬貨ロールＣを収納すべき包装硬貨収納ボックスとして、決定し、選択した包装硬貨収納ボックスについてのデータを記憶するＲＡＭ７２のメモリ領域に、オペレータによって指定された金種の硬貨の包装硬貨ロールＣが収納される旨を、包装硬貨ロール収納データとして、書き込む。
【０２９０】
これに対して、オペレータが、操作部１００の所定のキーを操作して、ＣＰＵ７０から提案された包装硬貨収納ボックス内に、包装硬貨ロールＣを収納することに同意しない旨を、操作部１００に入力したときは、硬貨包装機には、さらに、包装硬貨ロールＣを収納することができる包装硬貨収納ボックスは残されておらず、硬貨の包装を続行することは不可能であるから、ＣＰＵ７０は、アラーム手段１０６にアラームを発生させ、さらに、この包装硬貨収納ボックスの他には、包装硬貨ロールＣを収納することができる包装硬貨収納ボックスが存在しない旨を、ディスプレイパネル１０５に表示させるとともに、オペレータに再考を求めるメッセージを、ディスプレイパネル１０５に表示させる。
【０２９１】
その結果、オペレータが、操作部１００の所定のキーを操作して、ＣＰＵ７０の再提案に同意する旨を、操作部１００に入力したとき、あるいは、ＣＰＵ７０の再提案に対して、オペレータが、所定時間内に、操作部１００に何の信号も入力しなかったときは、ＣＰＵ７０は、その包装硬貨収納ボックスについてのデータを記憶するＲＡＭ７２のメモリ領域に、オペレータによって指定された金種の硬貨の包装硬貨ロールＣが収納される旨を、包装硬貨ロール収納データとして、書き込み、アラーム手段１０６にアラームを発生させるとともに、その包装硬貨収納ボックスに、包装硬貨ロールＣを収納すべき旨のメッセージを、改めて、ディスプレイパネル１０５に表示させる。
【０２９２】
これに対して、オペレータが、操作部１００の所定のキーを操作して、依然として、ＣＰＵ７０により再提案された包装硬貨収納ボックスに、包装硬貨ロールＣを収納することに同意しない旨を、操作部１００に入力したときは、ＣＰＵ７０は、硬貨の包装処理を中断させ、アラーム手段１０６にアラームを発生させるとともに、それまで、包装硬貨ロールＣを収納してきた包装硬貨収納ボックスから、包装硬貨ロールＣを取り出すべき旨をオペレータに促すメッセージを、ディスプレイパネル１０５に表示させる。
【０２９３】
ディスプレイパネル１０５に表示されたＣＰＵ７０のメッセージに対して、オペレータが、それまで、包装硬貨ロールＣを収納してきた包装硬貨収納ボックスを、硬貨包装機から引き出して、収納されている包装硬貨ロールＣを取り出し、その包装硬貨収納ボックスを硬貨包装機にセットした後、操作部１００の所定のキーを操作し、スタート信号を入力すると、スタート信号はＣＰＵ７０に入力され、同時に、オペレータが、包装硬貨ロールＣを取り出した包装硬貨収納ボックスに対応する包装硬貨センサから、包装硬貨検出信号が入力されなくなるから、ＣＰＵ７０は、その包装硬貨収納ボックスについてのデータを記憶するＲＡＭ７２のメモリ領域に書き込まれた包装硬貨ロール収納データを消去し、改めて、その包装硬貨収納ボックスに、オペレータによって指定された金種の硬貨の包装硬貨ロールＣが収納される旨のデータを書き込むとともに、アラーム手段１０６にアラームを発生させ、引き続き、それまで、包装硬貨ロールＣを収納してきた包装硬貨収納ボックス内に、包装硬貨ロールＣを収納する旨のメッセージを、ディスプレイパネル１０５に表示させる。
【０２９４】
これに対して、オペレータが、それまで、包装硬貨ロールＣを収納してきた包装硬貨収納ボックスに収納されている包装硬貨ロールＣを取り出さず、操作部１００にスタート信号が入力されないときは、ＣＰＵ７０は、オペレータが、それまで、包装硬貨ロールＣを収納してきた包装硬貨収納ボックスに収納されている包装硬貨ロールＣを取り出し、操作部１００にスタート信号が入力されるまで、硬貨の包装処理を中断させる。
【０２９５】
こうして、新たに、包装硬貨ロールＣを収納すべき包装硬貨収納ボックスが決定されると、ＣＰＵ７０は、決定した包装硬貨収納ボックスに応じて、包装硬貨搬送部材６３を所定の位置に位置させて、硬貨の包装処理を再開し、次々に、二番目に包装すべき金種の硬貨が包装されて、所定枚数の硬貨を含む包装硬貨ロールＣが生成され、その包装硬貨収納ボックス内に収納される。
【０２９６】
次々に、二番目に包装すべき金種の硬貨が包装されて、所定枚数の硬貨を含む包装硬貨ロールＣが生成され、新たな包装硬貨収納ボックス内に収納された結果、再び、その包装硬貨収納ボックスに対応する包装硬貨センサから、包装硬貨検出信号がＣＰＵ７０に入力されたときは、上述したのと同様にして、再び、新たに、包装硬貨ロールＣを収納すべき包装硬貨収納ボックスが決定され、硬貨の包装処理ならびに包装硬貨ロールＣの生成処理および包装硬貨収納ボックスへの収納処理が続行される。
【０２９７】
こうして、次々に、二番目に包装すべき金種の硬貨が包装され、所定枚数の硬貨を含む包装硬貨ロールＣが生成されて、所定の包装硬貨収納ボックス内に収納され、オペレータによって指定された包装すべき金種の硬貨の包装完了後に、下部ホッパ４５から、上部ホッパ１を介して、第二の回転円板３に送られたすべての硬貨が、下部ホッパ４５、硬貨集積部１０および端数硬貨回収ボックス５５内に送られると、オペレータによって包装すべき金種として指定された金種の硬貨を包装して、包装硬貨ロールＣを生成した際に、下部ホッパ４５内に回収された受け入れ可能な硬貨で、検出された枚数が最も多かった金種の硬貨の包装および包装硬貨ロールＣの生成が完了する。
【０２９８】
オペレータによって、第二の包装処理モードが選択されている場合には、オペレータによって包装すべき金種として指定された金種の硬貨を包装して、包装硬貨ロールＣを生成した際に、下部ホッパ４５内に回収された受け入れ可能な硬貨で、検出された枚数が最も多かった金種の硬貨の包装および包装硬貨ロールＣの生成が完了すると、オペレータによって包装すべき金種として指定された金種の硬貨を包装して、包装硬貨ロールＣを生成した際に、下部ホッパ４５内に回収された受け入れ可能な硬貨で、検出された枚数が２番目に多かった金種の硬貨の包装処理が開始される。
【０２９９】
すなわち、ＣＰＵ７０は、まず、ＲＡＭ７２にアクセスして、オペレータによって包装すべき金種として指定された金種の硬貨を包装して、包装硬貨ロールＣを生成した際に、下部ホッパ４５内に回収された受け入れ可能な硬貨で、検出された枚数が二番目に多かった金種の硬貨を選択して、三番目に、包装すべき金種の硬貨として決定し、ＲＡＭ７２に書き込み、アラーム手段１０６にアラームを発生させるとともに、三番目に包装すべき硬貨の金種を、ディスプレイパネル１０５に表示させる。
【０３００】
次いで、ＣＰＵ７０は、第一の下部包装硬貨収納ボックス４１、第二の下部包装硬貨収納ボックス４２および上部包装硬貨収納ボックス４５についてのデータを記憶しているＲＡＭ７２のメモリ領域にアクセスして、そのメモリ領域に書き込まれた包装硬貨ロール収納データを読み出し、包装硬貨ロールＣが収納されていない包装硬貨収納ボックスを検出して、ＲＯＭ７１に記憶されている包装硬貨収納ボックス選択用データにしたがって、三番目に包装すべき金種の硬貨の包装硬貨ロールＣを収納すべき包装硬貨収納ボックスを決定する。
【０３０１】
ここに、三番目に包装すべき金種の硬貨の包装硬貨ロールＣを収納すべき包装硬貨収納ボックスは、二番目に包装をした金種の硬貨の包装を開始する場合と同様にして、決定される。
【０３０２】
こうして、三番目に包装すべき金種の硬貨の包装硬貨ロールＣを収納すべき包装硬貨収納ボックスが決定されると、ＣＰＵ７０は、下部搬送ベルトモータ９４、リフトモータ９５および供給ベルトモータ９６に駆動信号を出力して、搬送ベルト３６、硬貨リフトベルト３７および供給ベルト３８を駆動させる。
【０３０３】
その結果、下部ホッパ３５内に回収されたオペレータが、包装すべき金種の硬貨として指定した以外の金種の硬貨は、下部ホッパ３５の底部を形成する搬送ベルト３６によって、硬貨リフトベルト３７に受け渡される。
【０３０４】
搬送ベルト３６から、硬貨リフトベルト３７に受け渡された硬貨は、それぞれ、硬貨リフトベルト３７に設けられた櫛歯状の突起３７ａによって、その下縁が係止され、硬貨リフトベルト３７の面に、硬貨面が沿った状態で、下部ホッパ３５から上部ホッパ１に向けて搬送される。
【０３０５】
硬貨リフトベルト３７が駆動されるのにともなって、硬貨リフトベルト３７に受け渡された硬貨は、それぞれ、上方に送られ、硬貨リフトベルト３７の上端部近傍に設けられたスクレイパープレート（図示せず）によって、硬貨リフトベルト３７から掻き落とされ、供給ベルト３８上に落下する。
【０３０６】
こうして、供給ベルト３８上に落下した硬貨は、供給ベルト３８によって、それぞれ、上部ホッパ１内に供給され、上部ホッパ１の開口部１ａを介して、第一の回転円板２上に落下する。
【０３０７】
第一の回転円板２上に落下した硬貨は、第一の回転円板２の回転によって生じた遠心力によって、第二の回転円板３上に送られる。
【０３０８】
第二の回転円板３内に送り込まれた硬貨は、第二の回転円板３の回転により生じた遠心力により、環状のガイドに沿って移動し、環状のガイドに設けられた送出口（図示せず）から、硬貨通路４内に、１枚ずつ、送り出され、三番目に包装すべき金種の硬貨が、二番目に包装された金種の硬貨と同様にして、選択的に、硬貨集積部１０に送られて、所定枚数の硬貨が集積された集積硬貨が生成される。
【０３０９】
生成された集積硬貨は、二番目に包装された金種の硬貨と同様にして、硬貨包装部２０に送られ、包装ローラ２１、２１、２１によって、その周囲に包装用フイルムが巻回され、集積硬貨に巻回された包装用フイルムの上下端部が加締められて、三番目に包装すべき金種の硬貨の包装硬貨ロールＣが生成される。
【０３１０】
こうして、生成された包装硬貨ロールＣは、包装硬貨分配手段５１によって、第一の下部包装硬貨収納ボックス４１、第二の下部包装硬貨収納ボックス４２および上部包装硬貨収納ボックス４５のうち、三番目に包装すべき金種の硬貨の包装処理に先立って、三番目に包装すべき金種の硬貨の包装硬貨ロールＣを収納すべき包装硬貨収納ボックスとして決定された包装硬貨収納ボックスに向けて、送られて、収納される。
【０３１１】
こうして、次々に、三番目に包装すべき金種の硬貨が包装され、包装硬貨ロールＣが生成されて、三番目に包装すべき金種の硬貨の包装処理に先立って、三番目に包装すべき金種の硬貨の包装硬貨ロールＣを収納すべき包装硬貨収納ボックス内に収納された結果、その包装硬貨収納ボックスに対応する包装硬貨センサから、ＣＰＵ７０に包装硬貨検出信号が入力されたときは、ＣＰＵ７０は、二番目に包装された金種の硬貨の包装硬貨ロールＣを、新たな包装硬貨収納ボックスに収納したのと同様にして、新たに、三番目に包装すべき金種の硬貨の包装硬貨ロールＣを収納すべき包装硬貨収納ボックスを決定して、三番目に包装すべき金種の硬貨の包装硬貨ロールＣを収納させる。
【０３１２】
次々に、三番目に包装すべき金種の硬貨が包装され、所定枚数の硬貨を含む包装硬貨ロールＣが生成されて、所定の包装硬貨収納ボックス内に収納され、二番目に包装すべき金種の硬貨の包装完了後に、下部ホッパ４５から、上部ホッパ１を介して、第二の回転円板３に送られたすべての硬貨が、下部ホッパ４５、硬貨集積部１０および端数硬貨回収ボックス５５内に送られると、三番目に包装すべき金種の硬貨の包装処理ならびに包装硬貨ロールＣの生成処理および包装硬貨収納ボックスへの収納処理が完了する。
【０３１３】
同様にして、硬貨包装機に投入されたすべての受け入れ可能な硬貨が、オペレータによって指定された包装すべき金種の硬貨の包装完了後に、下部ホッパ４５に収納されている硬貨の枚数が多い順に、順次、包装され、包装硬貨ロールＣが生成されて、所定の包装硬貨収納ボックス内に収納される。
【０３１４】
こうして、硬貨包装機に投入されたすべての受け入れ可能な硬貨の包装処理ならびに包装硬貨ロールＣの生成処理および包装硬貨収納ボックスへの収納処理が完了すると、ＣＰＵ７０は、第一の回転円板モータ８０、第二の回転円板モータ８１および搬送ベルトモータ８２に、それぞれ、駆動停止信号を出力して、第一の回転円板２および第二の回転円板３の回転を停止させるとともに、搬送ベルト５の駆動を停止させて、硬貨包装機に投入された硬貨の包装処理を終了させる。
【０３１５】
硬貨の包装処理が終了すると、オペレータによって、第一の下部包装硬貨収納ボックス４１、第二の下部包装硬貨収納ボックス４２および／または上部包装硬貨収納ボックス４５が、硬貨包装機から引き出されて、第一の下部包装硬貨収納ボックス４１、第二の下部包装硬貨収納ボックス４２および／または上部包装硬貨収納ボックス４５内に収納された包装硬貨ロールＣが、オペレータによって取り出され、端数硬貨回収ボックス５５が、硬貨包装機から引き出されて、端数硬貨回収ボックス５５内に回収された包装すべき金種の端数硬貨は、オペレータによって回収される。
【０３１６】
さらに、オペレータによって、下部ホッパ４５が、硬貨包装機から引き出されて、下部ホッパ４５内に回収された包装すべき金種以外の金種の受け入れ可能な硬貨が回収され、硬貨回収ボックス３１が、硬貨包装機から引き出され、硬貨回収ボックス３１内に回収された偽装硬貨や外国硬貨などの受け入れ不能な硬貨が、受け入れ可能な硬貨と別個に回収される。
【０３１７】
本実施態様によれば、それまで、包装硬貨ロールＣを収納させていた包装硬貨収納ボックスに、これ以上、包装硬貨ロールＣを収納させることができなくなっても、自動的に、包装硬貨ロールＣが収納されていない包装硬貨収納ボックスが選択されて、包装硬貨ロールＣが収納されるように構成されているから、大量の硬貨を包装処理する場合においても、包装処理を中断することなく、長時間にわたって、連続して、硬貨包装機を動作させて、硬貨を包装することができ、きわめて効率的に、硬貨を包装して、包装硬貨ロールＣを生成し、所望の包装硬貨収納ボックス内に収納させることが可能になる。
【０３１８】
また、本実施態様よれば、硬貨包装機に下部に、第一の下部包装硬貨収納ボックス４１および第二の下部包装硬貨収納ボックス４２が着脱可能に取り付けられ、硬貨包装機に上部に、上部包装硬貨収納ボックス４５が着脱可能に取り付けられており、硬貨包装機は、３つの包装硬貨収納ボックスを備えているから、大量の硬貨を包装処理する場合においても、包装処理を中断することなく、長時間にわたって、連続して、硬貨包装機を動作させて、硬貨を包装することができ、きわめて効率的に、硬貨を包装して、包装硬貨ロールＣを生成し、所望の包装硬貨収納ボックス内に収納させることが可能になる。
【０３１９】
さらに、本実施態様によれば、第二の包装処理モードが選択され、硬貨包装機に投入された硬貨が、金種ごとに、順次、包装され、包装硬貨ロールＣが生成される場合に、硬貨の金種ごとに、包装硬貨ロールＣが異なる包装硬貨収納ボックス内に収納されるように構成されているから、包装処理の完了後に、きわめて効率的に、包装硬貨ロールＣを、金種ごとに回収することが可能になる。
【０３２０】
また、本実施態様によれば、オペレータが、包装硬貨ロールＣを収納すべき包装硬貨収納ボックスを指定することができるように構成されているから、オペレータの意思に合致し、具体的な事情に則した硬貨の包装処理を実行することが可能になる。
【０３２１】
さらに、本実施態様によれば、それまで、包装硬貨ロールＣを収納させていた包装硬貨収納ボックスに、これ以上、包装硬貨ロールＣを収納させることができなくなり、硬貨包装機によって、新たに、包装硬貨ロールＣを収納すべき包装硬貨収納ボックスが提案された場合に、オペレータが、硬貨包装機によって提案された包装硬貨収納ボックス内に、包装硬貨ロールＣを収納することに同意しないときは、オペレータが同意する包装硬貨収納ボックス内に、包装硬貨ロールＣを収納するように構成されているから、オペレータの意思に合致し、具体的な事情に則した硬貨の包装処理を実行することが可能になる。
【０３２２】
図１２は、本発明の別の好ましい実施態様にかかる硬貨包装機の包装硬貨ロール分配収納機構の略断面図である。
【０３２３】
図１２に示されるように、本実施態様にかかる硬貨包装機の包装硬貨ロール分配収納機構は、第一の上部包装硬貨収納ボックス４５ａおよび第二の上部包装硬貨収納ボックス４５ｂを備えている。
【０３２４】
ここに、第一の上部包装硬貨収納ボックス４５ａおよび第二の上部包装硬貨収納ボックス４５ｂは、いずれも、硬貨包装機に着脱可能に取り付けられている。
【０３２５】
図１２に示されるように、本実施態様においては、包装硬貨リフト６０の上部には、第一の上部包装硬貨収納ボックス４５ａに向けて、開口する第一の上部開口部６５ａと、第二の上部包装硬貨収納ボックス４５ｂに向けて、開口する第二の上部開口部６５ｂとが形成されている。
【０３２６】
図１２に示されるように、包装硬貨リフト６０の第一の上部開口部６５ａには、発光素子と受光素子を備えた第一の上部包装硬貨センサ６６ａが設けられ、第一の上部包装硬貨センサ６６ａは、第一の上部包装硬貨収納ボックス４５ａ内に収納され、積み重ねられた包装硬貨ロールＣの一部が包装硬貨リフト６０の第一の上部開口部６５ａ内に存在し、発光素子から発せられた光を、包装硬貨ロールＣが遮り、所定の時間にわたって、受光素子が検出しなったときに、すなわち、これ以上、第一の上部包装硬貨収容ボックス４５ａ内に、包装硬貨ロールＣを収納することができなくなったときに、包装硬貨検出信号をＣＰＵ７０に出力するように構成されている。
【０３２７】
同様に、図１２に示されるように、包装硬貨リフト６０の第二の上部開口部６５ｂには、発光素子と受光素子を備えた第二の上部包装硬貨センサ６６ｂが設けられ、第二の上部包装硬貨センサ６６ｂは、第二の上部包装硬貨収納ボックス４５ｂ内に収納され、積み重ねられた包装硬貨ロールＣの一部が包装硬貨リフト６０の第二の上部開口部６５ｂ内に存在し、発光素子から発せられた光を、包装硬貨ロールＣが遮り、所定の時間にわたって、受光素子が検出しなったときに、すなわち、これ以上、第二の上部包装硬貨収容ボックス４５ｂ内に、包装硬貨ロールＣを収納することができなくなったときに、包装硬貨検出信号をＣＰＵ７０に出力するように構成されている。
【０３２８】
包装硬貨搬送部材６３は、図７に示された包装硬貨ロール分配収納機構と同様に、チェーンベルト６２に固定された取り付け部６３ａと、取り付け部６３ａの下端部に設けられた軸６３ｂと、軸６３ｂまわりに揺動可能な板部材６３ｃと、板部材６３ｃの軸６３ｂと反対側の端部の下側に取り付けられたローラ６３ｄとを備え、板部材６３ｃは、図１２において、ばね（図示せず）によって、反時計方向に付勢されている。
【０３２９】
図１２に示されるように、本実施態様においては、包装硬貨搬送部材６３は、包装硬貨リフト６０のチェーンベルト６２の外側表面に取り付けられており、チェーンベルト６２によって、包装硬貨分配手段５１から送り出された包装硬貨ロールＣを受け取る包装硬貨受け取り位置と、包装硬貨分配手段５１から受け取った包装硬貨ロールＣを、第一の上部包装硬貨収容ボックス４５ａ内に送り出す第一の包装硬貨送り出し位置と、包装硬貨分配手段５１から受け取った包装硬貨ロールＣを、第二の上部包装硬貨収容ボックス４５ｂ内に送り出す第二の包装硬貨送り出し位置と、包装硬貨受け取り位置から上方に退避し、包装硬貨分配手段５１から送り出された包装硬貨ロールＣをガイド部材５７に導く退避位置との間を、昇降可能に構成されている。
【０３３０】
包装硬貨リフト６０の第一の上部開口部６５ａの直下には、通常は、図１２において、包装硬貨リフト６０の外側で、第一の上部包装硬貨収容ボックス４５ａ側の退避位置に保持され、包装硬貨搬送部材６３の板部材６３ｃ上に支持された包装硬貨ロールＣを、第一の上部包装硬貨収容ボックス４５ａ内に収納するときに、ソレノイド（図示せず）によって、退避位置から、包装硬貨リフト６０の内側の包装硬貨収納位置に向けて、突出され、包装硬貨搬送部材６３のローラ６３ｄに係合可能に構成された係合部材６４ｂが設けられている。
【０３３１】
硬貨包装部２０によって生成され、シュート５０を介して、包装硬貨分配手段５１に供給された包装硬貨ロールＣを、第一の下部包装硬貨収容ボックス４１内に収納させる場合には、図７に示された包装硬貨ロール分配収納機構と同様にして、図８に示されるように、包装硬貨搬送部材６３は、包装硬貨受け取り位置から上方に退避した退避位置に保持され、包装硬貨分配手段５１の第一の包装硬貨支持部材５３が、包装硬貨支持位置から、図１２において、支軸５２まわりに、時計方向に約１００度ないし１１０度にわたって、揺動される。
【０３３２】
その結果、第一の包装硬貨支持部材５３の支持部５３ａの上面と第二の包装硬貨支持部材５４との間で保持されていた包装硬貨ロールＣは、第一の包装硬貨支持部材５３の支持部５３ａに対して、鈍角をなして連なる第一の包装硬貨支持部材５３の分配部５３ｂを介して、ガイド部材５７の第一のガイド面５７ａ上に導かれる。
【０３３３】
こうして、ガイド部材５７の第一のガイド面５７ａ上に導かれた包装硬貨ロールＣは、第一の下部包装硬貨収納ボックス４１の開口部４１ａを介して、第一の下部包装硬貨収納ボックス４１内に落下し、第一の下部包装硬貨収納ボックス４１内に収納される。
【０３３４】
これに対して、硬貨包装部２０によって生成され、シュート５０を介して、包装硬貨分配手段５１に供給された包装硬貨ロールＣを、第二の下部包装硬貨収容ボックス４２内に収納させる場合には、図７に示された包装硬貨ロール分配収納機構と同様にして、図９に示されるように、包装硬貨搬送部材６３は、包装硬貨受け取り位置から上方に退避した退避位置に保持され、まず、図９において、破線で示されるように、包装硬貨分配手段５１の第一の包装硬貨支持部材５３が、包装硬貨支持位置から、図１２において、支軸５２まわりに、時計方向に約６０度ないし７０度にわたって、揺動される。
【０３３５】
その結果、第一の包装硬貨支持部材５３の支持部５３ａの上面と第二の包装硬貨支持部材５４との間で保持されていた包装硬貨ロールＣは、第一の包装硬貨支持部材５３の分配部５３ｂに送られ、第一の包装硬貨支持部材５３の分配部５３ｂ上に保持される。
【０３３６】
こうして、包装硬貨ロールＣが、第一の包装硬貨支持部材５３の分配部５３ｂ上に保持されると、図９において、破線で示されるように、包装硬貨分配手段５１の第一の包装硬貨支持部材５３が、さらに、図１２において、支軸５２まわりに、時計方向に約９０度にわたって、揺動される。
【０３３７】
その結果、第一の包装硬貨支持部材５３の分配部５３ｂ上に保持されていた包装硬貨ロールＣは、ガイド部材５７の第二のガイド面５７ｂ上に導かれ、第二の下部包装硬貨収納ボックス４２の開口部４２ａを介して、第二の下部包装硬貨収納ボックス４２内に落下して、第二の下部包装硬貨収納ボックス４２内に収納される。
【０３３８】
これに対して、硬貨包装部２０によって生成され、シュート５０を介して、包装硬貨分配手段５１に供給された包装硬貨ロールＣを、第一の上部包装硬貨収容ボックス４５ａあるいは第二の上部包装硬貨収容ボックス４５ｂ内に収納させる場合には、包装硬貨搬送部材６３が、包装硬貨受け取り位置に保持され、まず、包装硬貨分配手段５１の第一の包装硬貨支持部材５３が、包装硬貨支持位置から、図１２において、支軸５２まわりに、時計方向に約１００度ないし１１０度にわたって、揺動される。
【０３３９】
その結果、第一の包装硬貨支持部材５３の支持部５３ａの上面と第二の包装硬貨支持部材５４との間で保持されていた包装硬貨ロールＣは、第一の包装硬貨支持部材５３の分配部５３ｂを介して、包装硬貨搬送部材６３の上方に付勢された板状部材６３ｃの上面に導かれ、包装硬貨搬送部材６３の板状部材６３ｃの上面によって保持される。
【０３４０】
次いで、チェーンベルト６２が駆動され、包装硬貨搬送部材６３が、包装硬貨受け取り位置から、第一の包装硬貨送り出し位置に向けて、上昇される。
【０３４１】
ここに、包装硬貨搬送部材６３の板状部材６３ｃの上面によって保持された包装硬貨ロールＣを、第一の上部包装硬貨収容ボックス４５ａ内に収納させる場合には、包装硬貨搬送部材６３が上昇され、第一の包装硬貨送り出し位置の直前に達すると、ＣＰＵ７０によって、ソレノイド（図示せず）が駆動されて、係合部材６４ｂが、包装硬貨リフト６０の外側の退避位置から、包装硬貨リフト６０の内側の包装硬貨収納位置に向けて、突出される。
【０３４２】
その結果、包装硬貨搬送部材６３のローラ６３ｄが、包装硬貨収納位置に移動された係合部材６４ｂに係合し、包装硬貨搬送部材６３の板状部材６３ｂの先端部が停止される。
【０３４３】
一方、包装硬貨搬送部材６３は、さらに上昇され、第一の包装硬貨送り出し位置に達した時点で、チェーンベルト６２が停止される。
【０３４４】
したがって、包装硬貨搬送部材６３のローラ６３ｄが、包装硬貨収納位置に位置する係合部材６４ｂに係合した後に、包装硬貨搬送部材６３が、第一の包装硬貨送り出し位置に向けて、さらに上昇されるにつれて、包装硬貨搬送部材６３の板状部材６３ｂは、軸６３ｂまわりに、図１２において、反時計方向に揺動されるから、包装硬貨搬送部材６３が第一の包装硬貨送り出し位置に達すると、包装硬貨搬送部材６３の板状部材６３ｃの上面によって保持された包装硬貨ロールＣは、包装硬貨搬送部材６３から、包装硬貨リフト６０の上部に形成され、第一の上部包装硬貨収容ボックス４５ａに向けて、開口する第一の上部開口部６５ａに向けて、送り出され、第一の上部開口部６５ａを介して、第一の上部包装硬貨収納ボックス４５ａ内に落下し、第一の上部包装硬貨収納ボックス４５ａ内に収納される。
【０３４５】
一方、包装硬貨搬送部材６３の板状部材６３ｃの上面によって保持された包装硬貨ロールＣを、第二の上部包装硬貨収容ボックス４５ｂ内に収納させる場合には、ＣＰＵ７０はソレノイド（図示せず）に駆動信号を出力せず、したがって、チェーンベルト６２によって、包装硬貨搬送部材６３は、第一の包装硬貨送り出し位置を越え、第二の包装硬貨送り出し位置に向けて、移動される。
【０３４６】
その結果、包装硬貨搬送部材６３が反転し、第二の包装硬貨送り出し位置に達すると、包装硬貨搬送部材６３の板状部材６３ｃの上面によって保持された包装硬貨ロールＣは、包装硬貨搬送部材６３から、包装硬貨リフト６０の上部に形成され、第二の上部包装硬貨収容ボックス４５ｂに向けて、開口する第二の上部開口部６５ａに向けて、送り出され、第二の上部開口部６５ｂを介して、第二の上部包装硬貨収納ボックス４５ｂ内に落下し、第二の上部包装硬貨収納ボックス４５ｂ内に収納される。
【０３４７】
本実施態様においても、図１ないし図１１に示された実施態様と同様にして、オペレータが、包装硬貨ロールＣを収納すべき包装硬貨収納ボックスを指定したときは、包装硬貨ロールＣは、まず、オペレータによって指定された包装硬貨収納ボックス内に収納され、一方、オペレータが、包装硬貨ロールＣを収納すべき包装硬貨収納ボックスを指定しないときは、包装硬貨ロールＣは、まず、ＲＯＭ７１に記憶された包装硬貨収納ボックス選択用データにしたがって、ＣＰＵ７０によって選択された包装硬貨収納ボックス内に収納される。
【０３４８】
その結果、それまで、包装硬貨ロールＣを収納させていた包装硬貨収納ボックス内に、それ以上、包装硬貨ロールＣを収納できなくなると、図１ないし図１１に示された実施態様と同様にして、第一の下部包装硬貨収納ボックス４１、第二の下部包装硬貨収納ボックス４２、第一の上部包装硬貨収納ボックス４５ａおよび第二の上部包装硬貨収納ボックス４５ｂのうち、包装硬貨ロールＣが収納されていない包装硬貨収納ボックスが選択され、選択された包装硬貨収納ボックス内に、包装硬貨ロールＣが収納される。
【０３４９】
オペレータによって、第二の包装処理モードが選択された場合には、包装硬貨ロールＣは、金種ごとに異なる包装硬貨収納ボックス内に収納される。
【０３５０】
したがって、本実施態様によれば、硬貨包装機は、硬貨包装機に下部に、第一の下部包装硬貨収納ボックス４１および第二の下部包装硬貨収納ボックス４２が着脱可能に取り付けられ、硬貨包装機に上部に、第一の上部包装硬貨収納ボックス４５ａおよび第二の上部包装硬貨収納ボックス４５ｂが着脱可能に取り付けられており、硬貨包装機は、４つの包装硬貨収納ボックスを備え、包装硬貨ロールＣを、自動的に、第一の下部包装硬貨収納ボックス４１、第二の下部包装硬貨収納ボックス４２、第一の上部包装硬貨収納ボックス４５ａあるいは第二の上部包装硬貨収納ボックス４５ｂ内に選択的に収納させることが可能になるから、大量の硬貨を包装処理する場合においても、包装処理を中断することなく、より長時間にわたって、連続して、硬貨包装機を動作させて、硬貨を包装することができ、きわめて効率的に、硬貨を包装して、包装硬貨ロールＣを生成し、所望の包装硬貨収納ボックス内に収納させることが可能になる。
【０３５１】
本発明は、以上の実施態様に限定されることなく、特許請求の範囲に記載された発明の範囲内で種々の変更が可能であり、それらも本発明の範囲内に包含されるものであることはいうまでもない。
【０３５２】
たとえば、図１ないし図１１に示された実施態様においては、包装硬貨ロールＣは、ＲＯＭ７１に記憶された包装硬貨収納ボックス選択用データにしたがって、あるいは、オペレータの指定にしたがって、第一の下部包装硬貨収納ボックス４１、第二の下部包装硬貨収納ボックス４２および上部包装硬貨収納ボックス４５のいずれかに、各包装硬貨収納ボックスに、それ以上、包装硬貨ロールＣが収納させることができなくなるまで、順次、金種別に収納されるように構成され、図１２に示された実施態様においては、包装硬貨ロールＣは、ＲＯＭ７１に記憶された包装硬貨収納ボックス選択用データにしたがって、あるいは、オペレータの指定にしたがって、第一の下部包装硬貨収納ボックス４１、第二の下部包装硬貨収納ボックス４２、第一の上部包装硬貨収納ボックス４５ａおよび第二の上部包装硬貨収納ボックス４５ｂのいずれかに、各包装硬貨収納ボックスに、それ以上、包装硬貨ロールＣが収納させることができなくなるまで、順次、金種別に収納されるように構成されているが、包装硬貨ロールＣを収納すべき包装硬貨収納ボックスの選択にあたっては、第一の下部包装硬貨収納ボックス４１および第二の下部包装硬貨収納ボックス４２を、１つの包装硬貨収納ボックスとして取扱い、包装硬貨ロールＣを収納すべき包装硬貨収納ボックスとして、第一の下部包装硬貨収納ボックス４１および第二の下部包装硬貨収納ボックス４２が選択されたときに、生成された包装硬貨ロールＣを、第一の下部包装硬貨収納ボックス４１および第二の下部包装硬貨収納ボックス４２に、交互に収納させるように制御することもできる。同じ金種の硬貨の包装硬貨ロールＣを、第一の下部包装硬貨収納ボックス４１あるいは第二の下部包装硬貨収納ボックス４２内に収納する場合に、第一の下部包装硬貨収納ボックス４１あるいは第二の下部包装硬貨収納ボックス４２内にのみ、第一の下部包装硬貨収納ボックス４１あるいは第二の下部包装硬貨収納ボックス４２内に、それ以上、包装硬貨ロールＣを収納させることができなくなるまで、包装硬貨ロールＣを収納させ、次いで、第二の下部包装硬貨収納ボックス４２あるいは第一の下部包装硬貨収納ボックス４１内に、包装硬貨ロールＣを収納させるときは、第一の下部包装硬貨収納ボックス４１あるいは第二の下部包装硬貨収納ボックス４２内に収納された包装硬貨ロールＣが、開口部４１ａあるいは開口部４２ａの下方で、積み重ねられて、盛り上がり、第一の下部包装硬貨収納ボックス４１あるいは第二の下部包装硬貨収納ボックス４２内に、さらに、包装硬貨ロールＣを収納させることが可能であるにもかかわらず、対応する包装硬貨センサ４１ｂあるいは包装硬貨センサ４２ｂが、開口部４１ａあるいは開口部４２ａ内に包装硬貨ロールＣを検出して、包装硬貨検出信号がＣＰＵ７０に出力され、ＣＰＵ７０が、第一の下部包装硬貨収納ボックス４１あるいは第二の下部包装硬貨収納ボックス４２内には、それ以上、包装硬貨ロールＣを収納させることができないと判定することがあり得るが、このように、包装硬貨ロールＣを、同じ金種の硬貨の包装硬貨ロールＣを、１つずつ、あるいは、所定数ずつ、第一の下部包装硬貨収納ボックス４１および第二の下部包装硬貨収納ボックス４２に、交互に、収納させるように制御されているときは、第一の下部包装硬貨収納ボックス４１あるいは第二の下部包装硬貨収納ボックス４２内に収納された包装硬貨ロールＣが、開口部４１ａあるいは開口部４２ａの下方で、積み重ねられて、盛り上がることを防止することができ、第一の下部包装硬貨収納ボックス４１および第二の下部包装硬貨収納ボックス４２のスペースを有効に活用することが可能になる。また、第一の下部包装硬貨収納ボックス４１および第二の下部包装硬貨収納ボックス４２は、いずれも、硬貨包装機の下部に、着脱可能に取り付けられ、包装硬貨分配手段５１の第一の包装硬貨支持部材５３を揺動するだけで、包装硬貨ロールＣを、第一の下部包装硬貨収納ボックス４１あるいは第二の下部包装硬貨収納ボックス４２内に、選択的に収納させることができ、さらには、第一の下部包装硬貨収納ボックス４１および第二の下部包装硬貨収納ボックス４２は、単に、下部包装硬貨収納ボックス４０の壁部４０ａによって、分割されているに過ぎず、一体として、硬貨包装機に着脱されるから、このように、第一の下部包装硬貨収納ボックス４１および第二の下部包装硬貨収納ボックス４２を、１つの包装硬貨収納ボックスとして取扱い、包装硬貨ロールＣを収納すべき包装硬貨収納ボックスとして、第一の下部包装硬貨収納ボックス４１および第二の下部包装硬貨収納ボックス４２が選択されたときに、生成された包装硬貨ロールＣを、第一の下部包装硬貨収納ボックス４１および第二の下部包装硬貨収納ボックス４２に、交互に収納させるように制御する場合には、硬貨包装機の処理効率を低下させることなく、包装硬貨ロールＣを回収する際の取扱いを簡易化することが可能になる。
【０３５３】
また、前記実施態様においては、硬貨包装機は、第一の包装処理モードおよび第二の包装処理モードを実行可能で、オペレータによって指定された金種の硬貨の包装および硬貨包装機内に投入されたすべての硬貨の金種別包装を実行可能に構成されているが、硬貨包装機が、第一の包装処理モードおよび第二の包装処理モードを実行可能に構成されていることは必ずしも必要でなく、第一の包装処理モードおよび第二の包装処理モードの一方の包装処理モードのみを実行可能に構成されていてもよく、さらには、第一の包装処理モードおよび第二の包装処理モードに加えて、他の処理モード、たとえば、硬貨包装機内に投入された硬貨から、受け入れ可能な硬貨を選別するとともに、金種別の枚数を計数する計数処理モードを実行可能に構成されていてもよい。
【０３５４】
さらに、前記実施態様においては、第一の下部包装硬貨収納ボックス４１および第二の下部包装硬貨収納ボックス４２は、下部包装硬貨収納ボックス４０に形成された壁部４０ａによって分割され、一体的に設けられているが、第一の下部包装硬貨収納ボックス４１および第二の下部包装硬貨収納ボックス４２を、独立したボックスによって形成してもよい。
【０３５５】
また、図１ないし図１１に示された実施態様においては、硬貨包装機は、３つの包装硬貨収納ボックスを備え、図１２に示された実施態様においては、硬貨包装機は、４つの包装硬貨収納ボックスを備えているが、硬貨包装機は、２以上の包装硬貨収納ボックスを備えていればよく、硬貨包装機に設けられる包装硬貨収納ボックスの数はとくに限定されるものではない。
【図面の簡単な説明】
【０３５６】
【図１】図１は、本発明の好ましい実施態様にかかる硬貨包装機の略平面図である。
【図２】図２は、図１のＡ−Ａ線に沿った略断面図である。
【図３】図３は、図１のＢ−Ｂ線に沿った略断面図である。
【図４】図４は、ストッパの略斜視図である。
【図５】図５は、硬貨包装部の詳細を示す略平面図である。
【図６】図６は、第一の硬貨回収口および第二の硬貨回収口の近傍の硬貨通路４の略平面図である。
【図７】図７は、シュート、包装硬貨分配手段、包装硬貨リフト、第一の下部包装硬貨収納ボックス、第二の下部包装硬貨収納ボックスおよび上部包装硬貨収納ボックスを含む包装硬貨ロール分配収納機構の詳細を示す略断面図である。
【図８】図８は、硬貨包装部によって生成され、シュートを介して、包装硬貨分配手段に供給された包装硬貨ロールを、第一の下部包装硬貨収容ボックス内に収納させる場合の包装硬貨分配手段および包装硬貨搬送部材の状態を示す略断面図である。
【図９】図９は、硬貨包装部によって生成され、シュートを介して、包装硬貨分配手段に供給された包装硬貨ロールを、第二の下部包装硬貨収容ボックス内に収納させる場合の包装硬貨分配手段および包装硬貨搬送部材の状態を示す略断面図である。
【図１０】図１０は、硬貨包装部によって生成され、シュートを介して、包装硬貨分配手段に供給された包装硬貨ロールを、上部包装硬貨収容ボックスに収納させる場合に、包装硬貨ロールを、包装硬貨リフトの包装硬貨搬送部材に受け渡すときの包装硬貨分配手段および包装硬貨搬送部材の状態を示す略断面図である。
【図１１】図１１は、図１ないし図１０に示された硬貨包装機の制御系、検出系、駆動系、入力系および表示系のブロックダイアグラムである。
【図１２】図１２は、本発明の別の好ましい実施態様にかかる硬貨包装機の包装硬貨ロール分配収納機構の略断面図である。
【符号の説明】
【０３５７】
１  上部ホッパ
２  第一の回転円板
３  第二の回転円板
４  硬貨通路
４ａ  方向転換部
５ａ  プーリ
５  搬送ベルト
６ａ、６ｂ  ガイドレール
７  硬貨検出部
８  第一の硬貨回収口
８ａ  センサ
８ｂ  センサ
８ｃ  切欠き部
８ｄ  第一の突出部材
９  第二の硬貨回収口
９ａ  センサ
９ｂ  センサ
９ｃ  切欠き部
９ｄ  第二の突出部材
１０  硬貨集積部
１０ａ、１０ｂ  集積ドラム
１１  ストッパ
１１ａ  ストッパの突出部
１１ｂ  ストッパの底部
１１ｃ  ストッパの回転軸
１２  螺線状の突起
１３  シャッタ
２０  硬貨包装部
２１  包装ローラ
２２  硬貨支持ポスト
２３  包装用フイルムロール
２４  供給ローラ
２５  カッタ
２６  加締爪
３０  第一の硬貨回収通路
３１  硬貨回収ボックス
３２  第二の硬貨回収通路
３５  下部ホッパ
３６  搬送ベルト
３７  硬貨リフトベルト
３７ａ  櫛歯状の突起
３８  供給ベルト
４０  下部包装硬貨収納ボックス
４０ａ  壁部
４１  第一の下部包装硬貨収納ボックス
４１ａ  開口部
４１ｂ  第一の包装硬貨センサ
４２  第二の下部包装硬貨収納ボックス
４２ａ  開口部
４２ｂ  第二の包装硬貨センサ
４５  上部包装硬貨収納ボックス
４５ａ  第一の上部包装硬貨収納ボックス
４５ｂ  第二の上部包装硬貨収納ボックス
４６  床面
４７  キャスター
５０  シュート
５１  包装硬貨分配手段
５２  支軸
５３  第一の包装硬貨支持部材
５３ａ  第一の包装硬貨支持部材の支持部
５３ｂ  第一の包装硬貨支持部材の分配部
５４  第二の包装硬貨支持部材
５５  端数硬貨回収ボックス
５６  ガイド板
５７  ガイド部材
５７ａ  第一のガイド面
５７ｂ  第二のガイド面
６０  包装硬貨リフト
６１  プーリ
６２  チェーンベルト
６３  包装硬貨搬送部材
６３ａ  取り付け部
６３ｂ  軸
６３ｃ  板部材
６３ｄ  ローラ
６４ａ  係合部
６４ｂ  係合部材
６５  包装硬貨リフトの上部開口部
６５ａ  包装硬貨リフトの第一の上部開口部
６５ｂ  包装硬貨リフトの第二の上部開口部
６６  上部包装硬貨センサ
６６ａ  第一の上部包装硬貨センサ
６６ｂ  第二の上部包装硬貨センサ
７０  ＣＰＵ
７１  ＲＯＭ
７２  ＲＡＭ
７３  バス
７４  Ｉ／Ｏポート
８０  第一の回転円板モータ
８１  第二の回転円板モータ
８２  搬送ベルトモータ
８３  第一のソレノイド
８４  第二のソレノイド
８５  ストッパソレノイド
８６  集積ドラムモータ
８７  シャッタソレノイド
８８  ポスト移動機構
８９  搬送ローラ駆動機構
９０  供給ローラモータ
９１  加締爪駆動機構
９２  分配手段モータ
９３  チェーンベルトモータ
９４  下部搬送ベルトモータ
９５  リフトモータ
９６  供給ベルトモータ
１００  操作部
１０５  ディスプレイパネル
１０６  アラーム手段
【図１】
2006139557.tif 000003
【図２】
2006139557.tif 000004
【図３】
2006139557.tif 000005
【図４】
2006139557.tif 000006
【図５】
2006139557.tif 000007
【図６】
2006139557.tif 000008
【図７】
2006139557.tif 000009
【図８】
2006139557.tif 000010
【図９】
2006139557.tif 000011
【図１０】
2006139557.tif 000012
【図１１】
2006139557.tif 000013
【図１２】
2006139557.tif 000014